(57)【要約】放送コンテンツの双方向通信。マスメディア放送ネットワークは放送コンテンツと複数のレシピエントとを通信させる。放送受信機はレシピエントに放送コンテンツを提示する。クライアントコンピュータは放送コンテンツの選択された部分に関する質問を送信する。各々のレシピエントによって作動される双方向通信遠隔制御では、放送コンテンツが提示される局チャンネルに放送受信機がチューニングするようにチャンネル制御信号を伝送する。この制御では質問を受信したり、レシピエントに質問を提示したり、質問への応答を入力受付したり、クライアントコンピュータに応答を伝送したりする。各々の応答を収集することによって、選択されたコンテンツの一部分が、応答するレシピエントに晒されていることを検証する。
2006505225.tif 000002
【特許請求の範囲】
【請求項１】
チャンネル制御信号を送って、放送受信機を放送コンテンツが提供される局のチャンネルにチューニングするように動作するチャンネル制御送信機と、
質問を送るように動作するクライアント送信機であって、前記質問は前記放送コンテンツから選択された一部分に関する質問を備える、当該クライアント送信機と、
前記質問を受信する双方向通信受信機と、
前記放送コンテンツのレシピエントに、受信した質問を提供する出力装置と、
前記レシピエントが前記質問に対する応答を入力するように動作する入力装置と、
前記応答を送信する双方向通信送信機と、
前記応答に対する次の処理のために、送られた応答を受信するクライアント受信機とを備える、放送コンテンツと双方向通信するための遠隔制御システム。
【請求項２】
前記出力装置は、前記放送コンテンツの放送時間を示すタイミング情報に基づいて前記質問を提供する、請求項１の遠隔制御システム。
【請求項３】
前記質問は前記レシピエントの人口統計情報に基づくものである、請求項１の遠隔制御システム。
【請求項４】
前記チャンネル制御送信機は、前記放送コンテンツが提供される局のチャンネルを示す同期信号に応じて前記チャンネル制御信号を自動送信する、請求項１の遠隔制御システム。
【請求項５】
前記放送コンテンツは広告を備え、
前記放送コンテンツから選択された一部分は前記広告から選択された一部分を備える、請求項１の遠隔制御システム。
【請求項６】
前記放送コンテンツは複数の広告を備え、
前記放送コンテンツから選択された一部分は前記複数の広告のうちの少なくとも１つから選択された一部分を備える、請求項１の遠隔制御システム。
【請求項７】
前記レシピエントからレシピエントの音声を受信し、前記レシピエントの音声を前記双方向通信送信機に送るマイクロフォンであって、前記双方向通信送信機は前記レシピエントの音声を前記クライアント受信機に送信することによって前記クライアントコンピュータに送る、当該マイクロフォンと、
スピーカーをさらに備え、
前記クライアント送信機は前記クライアントコンピュータからの送信者の音声を送信し、
前記双方向通信受信機は、送信された送信者の音声を受信し、前記スピーカーを介して前記送信者の音声を送る、請求項１の遠隔制御システム。
【請求項８】
前記出力装置はディスプレイを備える、請求項１の遠隔制御システム。
【請求項９】
前記入力装置は応答キーパッドを備える、請求項１の遠隔制御システム。
【請求項１０】
前記質問を前記クライアント送信機に送り、前記クライアント受信機から前記応答を受信するクライアントコンピュータをさらに備える、請求項１の遠隔制御システム。
【請求項１１】
質問を送信できるクライアント送信機であって、前記質問は前記放送コンテンツから選択された一部分に関する質問を備える、当該クライアント送信機と、
質問応答デバイスであって、前記質問を受信する受信機と、
受信した質問を前記放送コンテンツのレシピエントに提供するディスプレイと、
前記レシピエントが前記質問応答デバイスに前記質問に対する応答を入力することができるキーパッドと、
前記応答を送信する送信機とを備える、当該質問応答デバイスと、
前記応答に対する次の処理のために、送信された応答を受信するクライアント受信機を備える、放送コンテンツと双方向通信するための質問応答システム。
【請求項１２】
前記ディスプレイは、前記放送コンテンツの放送時間を示すタイミング情報に基づいて前記質問を提供する、請求項１１の質問応答システム。
【請求項１３】
前記質問は前記レシピエントの人口統計情報に基づくものである、請求項１１の質問応答システム。
【請求項１４】
前記放送コンテンツは広告を備え、
前記放送コンテンツから選択された一部分は前記広告から選択された一部分を備える、請求項１１の質問応答システム。
【請求項１５】
前記放送コンテンツは複数の広告を備え、
前記放送コンテンツから選択された一部分は前記複数の広告のうちの少なくとも１つから選択された一部分を備える、請求項１１の質問応答システム。
【請求項１６】
前記質問を前記クライアント送信機に送り、前記クライアント受信機から前記応答を受信するクライアントコンピュータをさらに備える、請求項１１の質問応答システム。
【請求項１７】
チャンネル制御信号を送って、放送受信機を前記放送コンテンツが提供される局のチャンネルにチューニングするように動作するチャンネル制御送信機をさらに備える、請求項１１の質問応答システム。
【請求項１８】
前記チャンネル制御送信機は、前記放送コンテンツが提供される局のチャンネルを示す同期信号に応じて前記チャンネル制御信号を自動送信する、請求項１７の質問応答システム。
【請求項１９】
チャンネル制御信号を送って、放送受信機を前記放送コンテンツが提供される局のチャンネルにチューニングするように動作するチャンネル制御送信機であって、前記放送コンテンツは前記放送コンテンツから選択された一部分に関する質問を含む第１の質問を備える、当該チャンネル制御送信機と、
前記放送コンテンツのレシピエントが前記第１の質問に対する応答を入力できる入力装置と、
入力された応答を送信する双方向通信送信機と、
次の処理のために、送信された応答を受信するクライアント受信機とを備える、放送コンテンツと双方向通信するための遠隔制御システム。
【請求項２０】
前記入力装置は応答キーパッドを備える、請求項１９の遠隔制御システム。
【請求項２１】
クライアントコンピュータから補助質問を送るように動作するクライアント送信機であって、前記補助質問は広告コンテンツから選択された一部分に関する質問を備える、当該クライアント送信機と、
前記補助質問を受信する双方向通信受信機と、
前記補助質問を前記レシピエントに提供する出力装置とをさらに備える、請求項１９の遠隔制御システム。
【請求項２２】
前記出力装置はディスプレイを備える、請求項２１の遠隔制御システム。
【請求項２３】
前記補助質問は第１の質問を備える、請求項２１の遠隔制御システム。
【請求項２４】
前記出力装置は、前記放送コンテンツの放送時間を示すタイミング情報に基づいて前記補助質問を提供するディスプレイを備える、請求項２１の遠隔制御システム。
【請求項２５】
前記補助質問は前記レシピエントの人口統計情報に基づくものである、請求項２１の遠隔制御システム。
【請求項２６】
前記チャンネル制御送信機は、前記放送コンテンツが提供される前記局のチャンネルを示す同期信号に応じて前記チャンネル制御信号を自動送信する、請求項１９の遠隔制御システム。
【請求項２７】
前記放送コンテンツは広告を備え、
前記放送コンテンツから選択された一部分は前記広告から選択された一部分を備える、請求項１９の遠隔制御システム。
【請求項２８】
前記放送コンテンツは複数の広告を備え、
前記放送コンテンツから選択された一部分は前記複数の広告のうちの少なくとも１つから選択された一部分を備える、請求項１９の遠隔制御システム。
【請求項２９】
複数のレシピエントに放送コンテンツを送るように動作するマスメディア放送ネットワークと、
前記放送コンテンツを前記複数のレシピエントに提供するように動作する複数の放送受信機と、
複数のレシピエントに各々対応する複数のクライアントコンピュータであって、各クライアントコンピュータはクライアント送信機とクライアント受信機を備え、前記クライアント送信機は前記放送コンテンツから選択された一部分に関する質問を送るように動作する、当該複数のクライアントコンピュータと、
複数の双方向通信リモートコントローラであって、各リモートコントローラは前記複数のレシピエントの各人によって操作され、各リモートコントローラは、
チャンネル制御信号を送って、前記放送受信機のうちの１つを前記放送コンテンツが提供される局のチャンネルにチューニングするように動作するチャンネル制御送信機と、
前記クライアントコンピュータのうちの１つに対応する前記クライアント送信機から送信された前記質問を受信する双方向通信受信機と、
前記放送コンテンツの特定のレシピエントに対して、受信した質問を提供する出力装置と、
前記特定のレシピエントが前記質問に対する応答を入力できる入力装置と、
前記複数のクライアントコンピュータのうちの１つに対応する前記クライアント受信機に対して、入力された応答を送信する双方向通信送信機を備える複数の双方向通信リモートコントローラとを備える、当該複数の双方向通信リモートコントローラとを備え、
前記質問に対する正しい返答を含む入力された各応答は、特定のレシピエントが、少なくとも前記放送コンテンツから選択された一部分に接していたことを検証するものである、放送コンテンツと双方向通信するためのシステム。
【請求項３０】
データ記憶センターをさらに備え、
前記クライアントコンピュータは、前記複数のリモートコントローラから受信した応答を前記データ記憶センターに送り、
前記データ記憶センターは、前記応答が前記質問に対する正しい返答を含んでいるかどうかを判定し、
前記データ記憶センターは、前記質問に対して正しい返答を含む応答を入力した複数のレシピエントのうちの少なくとも一人に賞を与える、請求項２９のシステム。
【請求項３１】
前記出力装置は、前記放送コンテンツの放送時間を示すタイミング情報に基づいて前記質問を提供するディスプレイを備える、請求項２９のシステム。
【請求項３２】
前記入力装置は応答キーパッドを備える、請求項２９のシステム。
【請求項３３】
前記複数のリモートコントローラのうちの特定のリモートコントローラに提供される質問は、前記特定のリモートコントローラを操作している特定のレシピエントの人口統計情報に基づくものである、請求項２９のシステム。
【請求項３４】
前記放送コンテンツは広告を備え、
前記放送コンテンツから選択された一部分は前記広告から選択された一部分を備える、請求項２９のシステム。
【請求項３５】
前記放送コンテンツは複数の広告を備え、
前記放送コンテンツから選択された一部分は前記複数の広告のうちの少なくとも１つから選択された一部分を備える、請求項２９のシステム。
【請求項３６】
複数のレシピエントに複数の広告を含むコンテンツをマスメディア放送ネットワークを介して放送する工程と、
前記レシピエントに前記放送コンテンツを提供する工程と、
前記複数の広告のうちの少なくとも１つから選択された一部分に関する質問を送る工程と、
前記レシピエントのうちの特定の一人によって操作される質問応答デバイスに前記質問に対する応答を入力する工程と、
前記質問応答デバイスからクライアントコンピュータに前記応答を送信する工程と、
前記クライアントコンピュータからデータ収集センターに前記応答を送る工程を備える、放送広告コンテンツと双方向通信するための方法。
【請求項３７】
前記質問を送る工程は、前記放送する工程を実行する時間を含む同期信号を受信する工程を備え、
前記質問は、前記同期信号に基づいて前記質問を送る工程で送られる、請求項３６の方法。
【請求項３８】
前記質問を送る工程は、前記クライアントコンピュータから特定のレシピエントが操作する質問応答デバイスに前記質問を送る工程と、
前記特定のレシピエントが操作する質問応答デバイスに前記質問を提供する工程を備える、請求項３６の方法。
【請求項３９】
前記質問を送る工程は、前記放送する工程を実行する時間を含む同期信号を受信する工程を備え、
前記質問は、前記同期信号に基づいて前記質問を送る工程で送信される、請求項３８の方法。
【請求項４０】
前記質問を提供する工程は、前記放送する工程を実行する時間を含む同期信号を受信する工程を備え、
前記質問は、前記同期信号に基づいて前記質問を提供する工程で提供される、請求項３８の方法。
【請求項４１】
前記応答が前記質問に対する正しい返答を含んでいるかどうかを判定する工程と、
前記質問に対する正しい返答を含む応答を送信したレシピエントに賞を与える工程をさらに備える、請求項３６の方法。
【請求項４２】
前記質問応答デバイスを介して、受信機を、前記放送コンテンツを提供する工程で前記放送コンテンツが提供される局のチャンネルにチューニングする工程をさらに備える、請求項３６の方法。
【請求項４３】
前記質問は、特定のレシピエントの人口統計情報に基づくものである、請求項３６の方法。
【請求項４４】
前記放送ネットワークは、少なくとも、ケーブルネットワーク、衛星ネットワーク、ラジオネットワーク、およびテレビネットワークのうちの１つを備える、請求項３６の方法。
【請求項４５】
マスメディア放送ネットワークを介して複数のレシピエントにコンテンツを放送する工程と、
前記レシピエントに前記放送コンテンツを提供する工程と、
前記放送コンテンツから選択された一部分に関する質問を前記複数のレシピエントのうちの特定の一人のクライアントコンピュータに送る工程と、
前記クライアントコンピュータから前記特定のレシピエントの双方向通信リモートコントローラに前記質問を送る工程と、
前記双方向通信リモートコントローラを介して前記特定のレシピエントに前記質問を提供する工程を備える、放送コンテンツに対応する質問を提供するための方法。
【請求項４６】
前記双方向通信リモートコントローラから前記クライアントコンピュータに前記特定のレシピエントの応答を送信する工程と、
前記クライアントコンピュータからデータ収集センターに前記応答を送る工程をさらに備える、請求項４５の方法。
【請求項４７】
前記双方向通信リモートコントローラに前記応答を入力する工程をさらに備える、請求項４６の方法。
【請求項４８】
前記応答が前記質問に対する正しい返答を含んでいるかどうかを判定する工程と、
前記質問に対する正しい返答を含む応答を送信したレシピエントのうちの一人に賞を与える工程をさらに備える、請求項４６の方法。
【請求項４９】
前記質問を送る工程は、前記放送する工程を実行する時間を含む同期信号を受信する工程を備え、
前記質問は、前記同期信号に基づいて前記質問を送る工程で送られる、請求項４５の方法。
【請求項５０】
前記質問を送る工程は、前記放送する工程を実行する時間を含む同期信号を受信する工程を備え、
前記質問は、前記同期信号に基づいて前記質問を送る工程で送信される、請求項４５の方法。
【請求項５１】
前記質問を提供する工程は、前記放送する工程を実行する時間を含む同期信号を受信する工程を備え、
前記質問は、前記同期信号に基づいて前記質問を提供する工程で提供される、請求項４５の方法。
【請求項５２】
前記双方向通信リモートコントローラを介して、受信機を、前記放送コンテンツを提供する工程で前記放送コンテンツが提供される局のチャンネルにチューニングする工程をさらに備える、請求項４５の方法。
【請求項５３】
前記放送ネットワークは、少なくとも、ケーブルネットワーク、衛星ネットワーク、ラジオネットワーク、およびテレビネットワークのうちの１つを備える、請求項４５の方法。
【請求項５４】
クライアントコンピュータから、放送コンテンツの放送時間と、前記放送コンテンツが提供される局のチャンネルを送信するクライアント送信機と、
リモートコントローラであって、前記クライアントコンピュータから送信された前記放送時間と前記局のチャンネルを受信する双方向通信受信機と、
放送受信機を前記局のチャンネルにチューニングする命令を備えるチャンネル制御信号を生成するプロセッサと、
前記送信された放送時間に対応する時間に前記チャンネル制御信号を送信するチャンネル制御送信機とを備える、当該リモートコントローラとを備える、放送受信機を遠隔からチューニングすることによって放送コンテンツを受信するためのシステム。
【請求項５５】
前記放送コンテンツは予め選択されたコンテンツを備える、請求項５４のシステム。
【請求項５６】
前記放送コンテンツは広告と急報のうちの１つを備える、請求項５４のシステム。
【請求項５７】
前記システムは、クライアント受信機をさらに備え、
前記クライアント送信機は、前記双方向通信受信機に対して、前記放送コンテンツから選択された一部分に関する質問をさらに送信し、
前記リモートコントローラは、受信した前記質問を提供するディスプレイと、
前記複数のレシピエントのうちの特定のレシピエントが、前記質問に対する応答を入力するために操作することができる応答キーパッドと、
入力された応答を前記クライアント受信機に送信する双方向通信送信機とをさらに備え、
前記質問に対する正しい返答を備える応答は、応答するレシピエントが少なくとも前記放送コンテンツから選択された一部分に接していたことを検証するものである、請求項５４のシステム。
【請求項５８】
データ記憶センターをさらに備え、
前記データ記憶センターは前記応答を受信し、
前記データ記憶センターは、前記応答が前記質問に対する正しい返答を含んでいるかどうかを判定し、
前記データ記憶センターは、前記質問に対して正しい返答を含む応答を入力した複数のレシピエントのうちの少なくとも一人に賞を与える、請求項５７のシステム。
【請求項５９】
前記ディスプレイは、タイミング情報に基づいて前記質問を提供する、請求項５７のシステム。
【請求項６０】
前記リモートコントローラに提供される質問は、前記リモートコントローラを操作している特定のレシピエントの人口統計情報に基づくものである、請求項５７のシステム。
【請求項６１】
前記放送コンテンツは広告を備え、
前記放送コンテンツから選択された一部分は前記広告から選択された一部分を備える、請求項５７のシステム。
【請求項６２】
前記放送コンテンツは複数の広告を備え、
前記放送コンテンツから選択された一部分は前記複数の広告のうちの少なくとも１つから選択された一部分を備える、請求項５７のシステム。
【請求項６３】
前記放送コンテンツの放送時間と前記放送コンテンツが提供される局のチャンネルをクライアントコンピュータに送る工程と、
前記クライアントコンピュータからリモートコントローラに前記放送時間と前記局のチャンネルを送信する工程と、
前記リモートコントローラが、送信された放送時間と局のチャンネルを受信する工程と、
前記放送受信機を前記局のチャンネルにチューニングする命令を備えるチャンネル制御信号を生成する工程と、
送信された放送時間に対応する時間に、放送受信機に前記チャンネル制御信号を送信することによって、前記放送受信機を前記局のチャンネルにチューニングする工程とを備える、放送受信機を遠隔からチューニングすることによって放送コンテンツを受信するための方法。
【請求項６４】
前記放送コンテンツは予め選択されたコンテンツを備える、請求項６３の方法。
【請求項６５】
前記放送コンテンツは広告と急報のうちの１つを備える、請求項６３の方法。
【請求項６６】
マスメディア放送ネットワークを介して複数のレシピエントに前記放送コンテンツを放送する工程と、
前記局のチャンネル上のレシピエントに前記放送コンテンツを提供する工程と、
前記クライアントコンピュータに、前記放送コンテンツから選択された一部分に関する質問を送る工程と、
前記クライアントコンピュータから前記質問を前記リモートコントローラに送信する工程と、
前記質問を前記リモートコントローラに提供する工程と、
前記リモートコントローラから前記質問に対する応答を前記クライアントコンピュータに送信する工程と、
前記クライアントコンピュータからデータ収集センターに前記応答を送る工程とを備える、請求項６３の方法。
【請求項６７】
前記リモートコントローラに前記応答を入力する工程をさらに備える、請求項６６の方法。
【請求項６８】
前記質問を送る工程は、前記放送する工程を実行する時間を含む同期信号を受信する工程を備え、
前記質問は、前記同期信号に基づいて前記質問を送る工程で送られる、請求項６６の方法。
【請求項６９】
前記質問を送る工程は、前記放送する工程を実行する時間を含む同期信号を受信する工程を備え、
前記質問は、前記同期信号に基づいて前記質問を送る工程で送信される、請求項６６の方法。
【請求項７０】
前記質問を提供する工程は、前記放送する工程を実行する時間を含む同期信号を受信する工程を備え、
前記質問は、前記同期信号に基づいて前記質問を提供する工程で提供される、請求項６６の方法。
【請求項７１】
前記応答が前記質問に対する正しい回答を含んでいるかどうかを判定する工程と、
前記質問に対する正しい返答を備える応答を送信したレシピエントに賞を与える工程をさらに備える、請求項６６の方法。
【請求項７２】
前記放送ネットワークは、少なくとも、ケーブルネットワーク、衛星ネットワーク、ラジオネットワーク、および、テレビネットワークのうちの１つを備える、請求項６６の方法。
【請求項７３】
マスメディア放送ネットワークを介して、複数のレシピエントに前記コンテンツを放送する工程であって、前記放送コンテンツはコンテンツ識別信号を備える、当該工程と、
検出装置によって、前記コンテンツ識別信号の提供を検出する工程と、
前記検出装置から、前記コンテンツ識別信号の提供検出のアクノリッジをクライアントコンピュータに送信する工程と、
前記アクノリッジに基づいて視聴率を計算するために、前記クライアントコンピュータからデータ収集センターに前記アクノリッジを送る工程とを備える、放送コンテンツの視聴率情報を獲得するための方法。
【請求項７４】
前記クライアントコンピュータから、前記検出装置に確認質問を送る工程と、
前記検出装置を介して特定のレシピエントが前記確認質問に対する応答を提出したかどうかを判定する工程と、
前記検出装置を介して前記特定のレシピエントが前記確認質問に対する応答を提出したという判断に基づいて、前記放送コンテンツに対する前記特定のレシピエントの露出時間を確認する工程とをさらに備える、請求項７３の方法。
【請求項７５】
前記放送コンテンツから選択された一部分に関する没頭度確認質問を送る工程と、
前記検出装置に、前記没頭度確認質問に対する応答を入力する工程と、
前記検出装置から前記クライアントコンピュータに前記没頭度確認質問を送る工程と、
前記クライアントコンピュータから前記データ収集センターに前記没頭度確認質問を送る工程とをさらに備える、請求項７４の方法。
【請求項７６】
前記没頭度確認質問に対する応答が前記没頭度確認質問に対する正しい返答を含んでいるかどうかを判定する工程と、
前記没頭度確認質問に対する正しい返答を備える没頭度確認質問に対する応答を送信したレシピエントに賞を与える工程をさらに備える、請求項７５の方法。
【請求項７７】
前記検出装置を介して前記コンテンツ識別信号が提供される局のチャンネルに受信機をチューニングする工程をさらに備える、請求項７５の方法。
【請求項７８】
前記放送ネットワークは、少なくとも、ケーブルネットワーク、衛星ネットワーク、ラジオネットワーク、および、テレビネットワークのうちの１つを備える、請求項７３の方法。
【発明の詳細な説明】
【技術分野】
【０００１】
（発明の分野）
本発明は、放送コンテンツと双方向通信する技術に関し、特に、本発明は放送コンテンツと対話する際に特にインターネットのような分散型コンピュータネットワークに連結する対話式の遠隔質問応答デバイスを介して、放送コンテンツと対話する遠隔制御システムおよび放送コンテンツ対話方法に関する。
【０００２】
（従来技術）
従来の広告モデルでは、放送媒体（例えば、ＴＶネットワーク、ラジオ局、新聞、雑誌）が、消費者が関心を抱く娯楽コンテンツ（例えば、ＴＶ番組）を制作してきた。消費者とは、広告主の商品やサービスを使用し、娯楽コンテンツとともに広告コンテンツ（「広告」）を見たり、聞いたり、読んだり、取り入れたり、接したりするであろう人である。広告主とは、消費者に何らかの購入、使用又は行動を促すための広告を配信する実体である。媒体は、（例えば、放送、ケーブル伝送、印刷媒体の大量配布、アウトメディア、インターネット、プライベートネットワークにより）娯楽コンテンツ及び広告を消費者に配給する。媒体は、消費者に娯楽コンテンツの配給料金を課す場合もあるが、典型的に、媒体は、娯楽コンテンツとともに広告を配給する代わりに、ほとんどの歳入を広告主から受けている。
【０００３】
プロモータが、多くの消費者を惹き付ける広告コンテンツ、言い換えれば、広告主を惹き付けるコンテンツの提案、展開、作成及び／又は配信を行う。広告主は、娯楽コンテンツとともに広告を配給するためにプロモータにお金を支払って娯楽コンテンツのスポンサーになる。広告費は、一般的に、広告に接する消費者の数が多いほど高くなる。プロモータは、広告費を使って広告コンテンツを製作及び配信するプロモータのコストを相殺して、利益を上げる。消費者は、一般的に、娯楽コンテンツを見たり、聞いたり、取り入れたり、接したりするための料金は、支払わない。また、消費者は、広告を見たり、聞いたり、取り入れたり、接したりするための料金も、受け取らない。消費者の、従来の報酬は、広告を我慢する代わりに、ほとんどお金がかからず、又は、無料で娯楽コンテンツを見たり、聞いたり、更には楽しむことができるということである。
【０００４】
最近の技術的進歩（すなわち、インターネット）により、娯楽の配信口となり得る数が増大した。この増大に伴い、消費者は、多数の娯楽形態に惑わされている。その結果、広告主は、多数の消費者を獲得することが更に難しくなっている。更に、プロモータは、多数の消費者が娯楽コンテンツ及び広告を見たり、聞いたり、取り入れたり、接したりするであろうことを保証することが更に難しくなっている。この現象により、広告費が下がるため、プロモータの利益が下がる。
【０００５】
広告主の目標は、広告主の商品又はサービスに関する情報を含み、消費者が記憶する広告を消費者に提供することである。しかしながら、典型的に、消費者は広告を無視又は回避する。消費者は、多くの場合、広告が提供されると、「消したり」、チャンネルを変えたり、立ち去ったりする。更に、消費者は、広告依存性の低い娯楽形態（例えば、プレミアムチャンネル）や、広告をスキップする技術（例えば、ビデオレコーダ、個人向け記録デバイス（ＰＲＤ））等の使用への関心を益々高めている。
【０００６】
広告は、マスメディア広告とターゲット広告の２種類に分類される。マスメディア広告（例えば、放送ネットワークを介するＴＶ、ケーブル、サテライト、ラジオ、新聞、雑誌、ダイレクトメール、ダイレクトＥメール、インターネット配信等）は、幅広い消費者層に向けて広範囲に基づいた広告メッセージを配信する。
【０００７】
広告のマスメディア放送は、放送ネットワークを受信している誰でも同じ広告コンテンツを受信するような放送ネットワークにより、人々の実態的人口統計学またはその他の基準に関係なく、一つ以上の広告を提供する。例えば、同じテレビチャンネル、配信インターネットウェブサイトまたはラジオ局を選局したり、または、同じ雑誌ページ、新聞ページまたはビルボードを読む各々の人々は、同じ娯楽および広告内容を受ける。それゆえ、これらの広告はマスメディア放送広告より成る。
【０００８】
一方、ターゲット広告は、広告主により特定された人口統計学的プロファイルに合う消費者に向けた特定の個人向け広告に焦点を合わせたものである。マスメディア広告は、一般的に、ターゲット広告よりインプレッション当たりのコストが安い。しかしながら、ターゲット広告は一般的に、より効果的であり、技術の進化とともに、インプレッション当たりのコストも安くなっている。その結果、マスメディア広告の効果が疑問視されてきた。
【０００９】
消費者は既にテレビ放送コンテンツとラジオ放送コンテンツとの対話を望んでいる。数１０年間に渡るゲームショー（とラジオショー）の成功は、対話が望まれていることを示すものである。しかしながら、一般的に、消費者は、我がことのように対話する（即ち、同じことが実際の「プレーヤー」によってスクリーン上で発生するが、テレビ放送された「大きな声で明瞭に」というささいな要求に答えて、些細な恩恵だけを受けとる、例えば、質問に正確に答えたという感覚を持たされる）状態に置かれる。従来から娯楽は、対話的であるかもしれない放送コンテンツを見たり聞いたりする消費者に対する唯一の報酬である。今までのところ、大衆消費者が意味のある報酬を受けるように対話できる放送プログラムはなかった。
【００１０】
米国特許６６０６７４５に記載されている
【数１】
2006505225.tif 000003
【００１１】
の広告プロセスとそのシステムは、マスメディアネットワークを介して放送される(報酬広告)見がいのある広告との対話を行うことによって、消費者に明確な恩恵を提供するものである。このプロセスでは、広告コンテンツの放送と、広告コンテンツのうち選択された部分に関する質問を送り、質問に対する応答を収集して、質問に対する正確な返答を含む応答を行った消費者に報酬を与える。質問に対して正確に返答がなされたことは、応答する消費者が広告コンテンツに接したことを意味する。マス質問応答を収集できるインフラが存在し、これには、インターネットに接続されたパーソナルコンピュータと電話網に接続された電話器が含まれる。しかしながら、インフラに対する制限が存在し、これには、素早く収集可能なマス質問応答数に対する「ボトルネック」が含まれる。対話的質問応答デバイスである従来型の電話を消費者が信頼しているがゆえに、通話する消費者からの従来型電話呼の全てをコスト効率良く取り扱う従来型の電話ポートと対話的音声応答ポートが十分に用意されていないだけで、対話を望む一部の消費者はフラストレーションを感じることがある。さらに、従来の電話呼は時間がかかり、それが次第に増大するにつれ、全ての消費者の応答を電話を介して完全に登録するために必要となる通話長と呼数により、プロモータの双方にとって非常にコストがかかるものとなる（０．３０ドル／呼かかる）。また、何百万人もの消費者から同時に発生する長い通話呼を扱うことを可能にする国内の既存の電話インフラ全体には幾つかの制限がある。従って、インターネットを介する対話を促進することが、電話通話の弱点を克服するためには必要である。
【００１２】
業界で受け入れられている標準化されたソフトウェアとハードウェアプロトコルの欠如と、対話したいという消費者の願望を取り込むための新技術と新デバイスの導入に対する信頼の欠如から、インタラクティブＴＶを大衆に普及させることが遅れている。現在までのインタラクティブＴＶを提供する試みは、対話的コンテンツと簡単に対話することができない大多数の消費者を置き去りにしたものであった。遠隔制御デバイスをそれが利用される部屋に導入するとともに、別の「ボックス」を加え、それに関連するインストールを必要とする従来の対話システムは、消費者にとって否定的なものである。
【００１３】
「高品位ＴＶ」などのインターネットを使って消費者が対話することを可能にする試みによって、パーソナルコンピュータにログインしてインターネットに接続した消費者は、放送もしくはウェブサイトでなされた同期化された質問に応答することができる。しかしながら、このプロセスの大部分は、大多数の視聴者には受け入れられなかった。それは、消費者の中には、コンピュータの近くでなければならないか、もしくは、第２のＴＶ非関連デバイスを使って対話しならければならない場合は、通常見る位置からＴＶプログラムを見れないため不便と思う者がいる、あるいは、対話に必要な余計な努力を十分当然とするには、対話に対する報酬がわからない者がいるからである。
【００１４】
この観点から、マスメディア放送コンテンツに接するように消費者の気を引き、また、消費者が放送コンテンツと簡単に対話でき応答できるようなコスト効率がよく、娯楽性があり、有益で、効果的な方法が必要である。また、個々の消費者が放送コンテンツに接していることを確認することによって、消費者が放送コンテンツに没頭（イマーシオン：immersion)していることを検証する必要がある。さらに、放送コンテンツに関する質問に対する消費者の応答を受け取ることによって、消費者が放送コンテンツに没頭していることを検証する必要がある。また、消費者が放送コンテンツに没頭しながら、即ち、パーソナルコンピュータや電話器の所で行って質問に応答することなく、また、パーソナルコンピュータを携帯することなく広告や娯楽方法コンテンツと対話することを可能にする双方向通信リモート質問応答デバイスが必要である。さらに、放送受信機が予め選択された放送コンテンツを提供する際にその受信機を自動的にチューニングする必要がある。
【００１５】
（発明の要約）
本発明は、ＣＲＡＶに没頭していることを検証する質問、または、マスメディア放送を介して配信されるその他の双方向質問に、消費者が容易に対話して応答することができる、インターネット接続式の対話型の遠隔質問応答デバイスを提供する。
【００１６】
対話式の遠隔デバイスでは、消費者は物理的にパソコンの前に着席したままである必要や、または、ワイヤレスラップトップコンピュータまたはパーソナル携帯情報機器を持ち運ぶ必要が無しに、放送コンテンツと対話することができる。
【００１７】
対話式の遠隔デバイスでは更に、放送コンテンツ提示のために放送受信機を所望の局チャネルにチューニングさせる為に、自動または手動にて放送受信機の遠隔制御を行うことができる。
【００１８】
放送ネットワークおよび情報収集システムから成る、二重の分散型双方向通信基盤の一部として、本発明はコスト効果が良く、消費者にフレンドリーであり、使いやすく、双方向に応答を収集して追加的な質問を提示するインターネット基盤システムに接続して、容易にかつ迅速に双方向テレビを見ている消費者が接続することができる対話式遠隔質問応答デバイスを提供する。
【００１９】
消費者は、対話式の遠隔質問応答デバイスを介して、放送コンテンツが備える質問に応答することができる。
【００２０】
更に、対話式の遠隔質問応答デバイスは、消費者への質問、追加的質問、世論調査質問、または他の質問を示すことができる。その際に、消費者はこれらの質問に、対話式の遠隔質問応答デバイスを介して応答することができる。
【００２１】
したがって、消費者は、彼らが一般的にテレビ放送を見る場所（すなわち、リビングルームソファー、ベッドルーム、勉強部屋、その他）から去ることなく、放送コンテンツと対話することができる。
【００２２】
その上、消費者は、パーソナルコンピュータの場所へ移動したり、例えばラップトップコンピュータまたはパーソナル携帯情報機器等のワイヤレスパソコンを持ち運んだりすることなく、放送コンテンツと対話することができる。
【００２３】
提出された応答は、対話式の遠隔デバイスを介して、例えばインターネットのような配信コンピュータネットワークを経て接続されるサーバコンピュータ等である情報収集システムに送られる。情報収集システムは、応答を処理することができる。あるいは、情報収集システムは、応答を処理するデータ記憶センターに応答を送り届けることができる。本発明は、放送エンタテイメントや広告コンテンツとの双方向通信を可能にすることができる。
【００２４】
本発明は、消費者報酬型の広告伝達手段没頭広告バンドル（コンシューマ・リワーデッド・アドバタイジング・ビークル・イマーシブ・アド・バンドル：以下「ＣＲＡＶ  Ａｄ」と記載）を伝達してよい。ＣＲＡＶ  Ａｄは、広告のビネット（「ビネット」）及びビネットの選択された部分について質問から成る確認用の質問（「質問」）を備えていて良い。オプションの没頭警報（「警報」）は、ＣＲＡＶ  Ａｄ放送が近づいていることを消費者に知らせることができる。ＣＲＡＶ  Ａｄは、視覚的および／または視聴的なものであってよい。ＣＲＡＶ  Ａｄは、任意の可能な手段又は可能な手段の任意の組み合わせにより、話され、印刷され、表示されるものであってよい。
【００２５】
消費者は、対話式の遠隔質問応答デバイスを介して質問に応答することができる。更に、対話式の遠隔質問応答デバイスは、消費者に質問を示すことができる。
【００２６】
対話式遠隔質問応答デバイスは、放送コンテンツが提示される局チャネルに、放送受信機を自動的にチューニングすることができる。
【００２７】
これら又は他の、本発明の形態、目的および本発明の特徴は、以下の典型的な実施例の詳細な説明、そして、添付される図面の参照により明らかになるであろう。
【００２８】
（発明の実施の形態）
本発明に係る双方向通信リモート質問応答デバイスによって、レシピエントは、放送コンテンツが提供される視聴場所から移動することなく放送コンテンツと対話することができる。例えば、レシピエントは、放送コンテンツを見ることができ、また、インターネットに接続された双方向通信リモート質問応答デバイスを介して、放送コンテンツに関する質問に応答することができる。従って、レシピエントは、見る場所を離れてパーソナルコンピュータからの質問に応答する必要がなく、また、消費者は個別のパーソナルコンピュータ、例えば、ラップトップコンピュータや個人向け電子補助機器を携帯する必要もない。また、双方向通信リモート質問応答デバイスは、放送受信機を、放送コンテンツを提供する局のチャンネルに自動的もしくは手動でチューニングできる。
【００２９】
本発明において、プロモータは、広告主の商品及びサービスの販売促進及び保有を実質的にコスト効率良く高めながら、双方向通信による広告のアピール度を高めることができる。従来のマスメディア広告と比較した場合、例示的な実施形態は、消費者を広告に完全に没頭させる広告を配給する。例示的な実施形態は、印刷物、ラジオ、テレビ、ゲーム番組又は消費者に通じる任意の他の方法により広告を配給できる。
【００３０】
没頭とは、消費者に広告を思い出させる注目度が高いレベルのことである。没頭は、最高の、最も効果的な価値のある注目レベルである。没頭は、広告主が商品に対する消費者の最大限の関心を得るのに役立つ。商品は、競合する商品より容易かつ即座に思い出される。
【００３１】
没頭は、いくつかの方法により高められる。まず、没頭は、注意又は警告信号など、脳内の直接感情応答を広告が引き起こすときに高められる。この信号により、消費者は広告へ更に多くの注意を払い、消費者が広告を思い出す可能性が高められる。受動的に広告を見たり聞いたりするのと違い、消費者が広告と相互作用すると、消費者は、広告を思い出す傾向がより強くなる。また、広告を思い出す消費者の能力をテストすることにより、記憶要求が没頭を高める。更に、より長い効果的な広告の長さにより得られる延長された露出により、没頭の可能性が高められる。効果的な長さの始まりは、人が広告される商品を認識する最初の瞬間である。没頭を高める別の広告技術は、広告を配信する別の複数媒体伝達手段を使用することである（すなわち、ＴＶ広告と同時又はそれに続いて、印刷又はインターネットベースの広告を使用する）。また、報酬は、消費者が挑戦及び報酬を好むため、没頭を作り出すのに役立ち、好感の持てる広告が即座に容易に想起される。
【００３２】
（ＣＲＡＶ  Ａｄの説明）
本願明細書において引用されている米国特許第６６０６７４５号にて説明したように、消費者報酬型の広告伝達手段没頭広告バンドル（「ＣＲＡＶ  Ａｄ」）により、プロモータが視聴率及び没頭を高めるプロセスが得られる。本願明細書において、図１８を参照しながら、ＣＲＡＶ  Ａｄの例について記載する。しかしながら、ＣＲＡＶ  Ａｄを規定するために、この時点で図１８を参照することが有益である。
【００３３】
以下、図１８を参照すると、例示的なＣＲＡＶ  Ａｄが表示されている。ＣＲＡＶ  Ａｄは、少なくとも１つの広告ビネット（「ビネット」）１８１０と、確認用の質問（「質問」）１８２０とを含む広告である。また、没頭警告（「警告」）１８０５もまた含まれてもよい。更に、オプションの正しい解答（「解答」）１８３０が含まれてよい。これらの部分は、任意の持続時間のものであってよいＣＲＡＶ  Ａｄを作る。ＣＲＡＶ  Ａｄは、視覚的及び／又は聴覚的なものであってよい。ＡＲＡＶ  Ａｄは、任意の可能な手段又は可能な手段の任意の組み合わせに、話され、印刷され、表示され、聞かれ、又は伝達されてよい。また、ＣＲＡＶ  Ａｄ又は連続したＣＲＡＶ  Ａｄは、番組全体のベースとなるものであってもよい。
【００３４】
質問１８２０のコンポーネントの一部又はすべては、ビネット１８１０から「切り離され」てよい（すなわち、ビネット１８１０は、印刷物であってよく、質問１８２０は、オンライン又は電話によりポストされてよい）。更に、質問１８２０の応答時間は、質問１８２０をしたとき、消費者がビネット１８１０を記憶して（記憶から）すぐに想起するように制限されてよい。同様に、警告１８０５及び／又は解答１８３０は、ビネット１８１０及び／又は質問１８２０から切り離されてよい。したがって、ビネット、質問、警告および報酬の申し出は、同じ通信メディア、または異なる通信メディアを介して伝達可能である。コミュニケーションメディアは放送ネットワーク１０５若しくは応答デバイス１１１を含んでいても良い。
【００３５】
オプションである警告１８０５（点線で示す）は、この後のビネット１８１０を記憶すれば、消費者は報酬を得る資格をもてるかもしれないという消費者に対する注意である。警告１８０５は、没頭すれば報酬が得られると消費者に信じさせる何らかの合図又は操作上の手順であってよい。警告１８０５は、ロゴ（例えば、ＣＲＡＶロゴなど）、音又は何らかの他の別個の通知のような単純なものであってよい。また、警告１８０５は、より大量のデータを含んでよい。警告１８０５は、製品のブランド名及び獲得できる報酬が何であるかに関する情報を含んでよい。警告１８０５中に記憶に焼き付けることにより、広告主は、ＣＲＡＶ  Ａｄの露出時間を効果的に開始する。警告１８０５は、緊急信号及び記憶要求である。これらの広告技術により、消費者が広告を思い出す可能性が高くなる。警告１８０５は、任意の持続時間であってよい。
【００３６】
警告１８０５の後、ビネット１８１０が放送される。ビネット１８１０は、消費者である視聴者に与える目的の製品やサービス又は任意の他の情報の従来のコマーシャルであってよい。これは、主要な製品又はサービスの利点、価格情報、イメージ作りの情報などを含んでよい。ビネット１８１０は、任意の持続時間であってよい。
【００３７】
ビネット１８１０の放送後、質問１８２０が放送される。質問１８２０は、１以上の質問を含む。１つの質問は、ビネット１８１０にリンクしたものであってよい。この質問は、消費者がある情報を思い出す必要があるようなものである。他の質問は、世論、ノンセクション又は他の情報を尋ねるものであってよく、これらの質問は、オンライン又はオフラインで尋ねられてよい。質問１８２０の質問は、ビネット１８１０の後に別々の画面で表示されるか、娯楽コンテンツの下のクロールラインで尋ねられるか、オフラインなどの別の方法で示されてよい。
【００３８】
消費者は、没頭確認及び質問応答プロセス中に広告されている商品に集中し続けなければならないため、従来の広告（すなわち、映像又は音声クリップ）が従来の持続時間を延ばしたとしても、質問１８２０は、ＣＲＡＶ  Ａｄの有効長さを増大するように作用する。質問１８２０中、プロモータ又は広告主は、可能性のある多項選択式の解答を与えてよく、又は、多項選択式の解答の助けなしに解答するように消費者に要求してよい。質問１８２０は、１以上の質問を含み、報酬情報、登録又はログイン命令、多項選択式の解答、「残り時間」カウンタ及びブランド情報を含んでよい。ＣＲＡＶ  Ａｄは、質問１８２０の後に終了してよい。
【００３９】
解答１８３０は、解答１８３０に点線で示されているように、付加されてよく、オプションである。解答１８３０は、ＣＲＡＶ  Ａｄの有効長さを延ばす。解答１８３０は、適用された場合、質問１８２０の以上の質問に対する１以上の解答を含む。また、解答１８３０は、ロゴ又は他の情報を含んでもよい。解答１８３０は、ＴＶ媒体を介して放送されてよく、又は別の通信媒体（すなわち、ラジオ、印刷物、電話１４５、インターネット１３０）により配信されてよい。
【００４０】
「スニークピーク」ビネットと呼ばれる別のオプションが統合されてよい。スニークピークは、ＣＲＡＶ  Ａｄビネット１８１０と同一のものであってよい。また、スニークピークは、消費者が質問１８２０に解答する手助けとなる他の情報を含んでもよい。スニークピークは、実際のＣＲＡＶ  Ａｄ中に示されないが、ＣＲＡＶ  Ａｄの前に示される。スニークピークは、ＣＲＡＶ  Ａｄ前の数分、数時間、数日、数週間など、特徴付けられてよい。スニークピークビネットは、ロゴ、音又は別の方法により示されてよい。この代わりとして、消費者には、特定の番組中のある時点でスニークピークが流れることだけが知らされてよい。
【００４１】
消費者には、１以上の広告がＣＲＡＶ  Ａｄのスニークピークビネットであることが告げられる。そうすることで、消費者は、ＣＲＡＶ  Ａｄ質問１８２０の解答に役立つ追加情報が得られるかもしれない特定のコマーシャル又はすべての可能性のあるコマーシャルに、より多大に注意を払うようになる。例えば、スニークピークの一例を挙げると、「次の６つの広告のうち１つが来週の日曜日のＣＲＡＶ  Ａｄで特徴付けられます。どの広告がＣＲＡＶ  Ａｄであるかをこの時点で告げませんので、それらすべてに注意を払ってください。」この同じプロセスは、スニークピークに加え、ビネットに適用されてよい。したがって、例えば、多数の広告の伝達中、ロゴの形をした警告が、ビネットの形をした広告の隅に現れてよい。ビネットを伝達した後、１以上のビネットに対して没頭確認質問を有する１以上の質問が示される（すなわち、娯楽コンテンツが流れている間、画面の下側の位置で）。ユーザが呼びかけると、ユーザは、１以上の示された没頭確認質問に解答するように要求される。
【００４２】
（ＣＲＡＶ  ＡＤシステム）
図１は、本発明の例示的な実施形態の主要なコンポーネントを示すブロック図である。図１を参照すると、ＣＲＡＶ  Ａｄシステム１００は、放送ネットワーク１０５と、消費者１１０と、解答デバイス（「デバイス」）１１１と、情報収集システム１１２と、データ格納センタ１９５とを含む。消費者１１０、広告主、プロモータ又は他の実体が本発明を使用する。消費者１１０とは、広告のレシピエントであり、広告主の商品やサービスを使用し、娯楽コンテンツ及び広告を見たり、聞いたり、読んだり、取り入れたりするであろう人である。広告主とは、消費者に何らかの購入、使用又は行動を促すための広告を配信する実体である。プロモータは、多くの消費者を惹き付ける広告コンテンツ、言い換えれば、広告主を惹き付けるコンテンツの提案、展開、作成及び／又は配信を行う。消費者、広告主及びプロモータの点で本発明について記載するが、当業者であれば、他の実体が使用可能であることを認識するであろう。
【００４３】
放送ネットワーク１０５は、消費者１１０と娯楽コンテンツ及び広告とをつなぐ手段である。放送ネットワークは、テレビ、ケーブル、ラジオ、印刷メディア（雑誌、新聞等）、アウトドアメディア（ビルボード、サイン、バス等）ダイレクトメール、ダイレクトＥメール、配信インターネット、プライベートネットワークなど、又この他のマスメディアブロードキャストを備えてよい。
【００４４】
デバイス１１１は、登録及び応答情報を情報収集システム１１２に伝達する手段である。デバイス１１１は、没頭確認質問及び他の情報を放送した後、関連する登録及び応答情報を情報収集システム１１２に送ることにより、消費者１１０と伝達する手段であってもよい。情報収集システム１１２は、登録及び応答情報をデータ格納センタ１９５に送る手段である。データ格納手段１９５は、登録及び応答情報を格納する手段である。
【００４５】
放送ネットワーク１０５は、放送ＴＶネットワーク１２０、プライベートネットワーク１２５、ケーブルネットワーク１３５、インターネットネットワーク１３０、衛星ネットワーク１４０又は任意の他のネットワーク１４１（例えば、新聞）を含んでよい。当業者であれば、多数の通信ネットワーク及びシステム（現在利用可能なシステム及び将来的なシステムを含む）が、放送ネットワーク１０５と置換又は交換されてよいことを認識するであろう。例えば、放送ネットワーク１０５は、ラジオ、アウトドアメディア（ビルボード、サイン、バス等）、印刷メディア（新聞、雑誌等）ダイレクトメールなど、又この他の放送ネットワークを備えてよい。
【００４６】
応答デバイス１１１は、電話１４５、パーソナルディジタルアシスタント（「ＰＤＡ」）１５０、双方向型ＴＶ１５５、インターネットコンピュータ１３０、ホスピタリティ産業用のプライベートネットワーク（すなわち、スポーツバー及びパブデバイス）１６５、又は任意の他のデバイス１６６を含み得る。他の応答デバイス１６６は、消費者によって完了でき、その後データ記憶センタ１９５に配信される印刷応答装置を含むことができる。例えば、印刷応答装置は、手書き又はタイプされた応答等を含む。
【００４７】
デバイス１１１は、携帯電話ネットワーク、双方向ビーパー（ベル）、及び米国中の多数のレストラン及びパブで見受けられる登録商標権を有するＮＴＮシステムなどの双方向性が含まれるネットワークデバイスを含み得る。登録又は解答を行うために、異なる指示及び方法が用いられてよい。当業者は、多数のデバイス（現在利用可能なデバイス及び将来的なデバイスを含む）が、デバイス１１１と置換又は交換されてよいことを認識するであろう。更に、当業者は、１つのデバイスが登録用に使用され、別のデバイス１１１がＣＲＡＶ  Ａｄに応答するために使用可能であることを認識するであろう。
【００４８】
情報収集システム１１２は、電話会社ＳＰ１７０、ＰＤＡ  ＳＰ１７５、ＴＶ  ＳＰ１８０、インターネットＳＰ１８５、プライベートネットワークＳＰ１９０、及び任意の他の情報収集システム１９１を含む多数のサービスプロバイダ（「ＳＰ」）を含んでよい。例えば、その他の情報収集システム１９１は、例えばアメリカ郵政公社、ファクシミリ装置または他のシステムのような、プライベート配信ネットワークを備えることができる。当業者は、多数の配信システム（現在利用可能なシステム及び将来的なシステムを含む）が、情報収集システム１１２と置換又は交換されてよいことを認識するであろう。
【００４９】
情報収集システム１１２は、情報収集システム１１２により収集されたデータを格納するデータ格納センタ１９５とつながる。データ格納センタ１９５は、パーソナルデータセンタ（「ＰＤＣ」）データベース１９７と、データコンパイル格納（「ＤＣＳ」）センタデータベース１９６を含んでよい。データ格納センタ１９５は、登録情報及び応答情報、勝者の無作為選択、将来的なデータマイニング事業用に収集されたデータの長期的格納を含む。ＰＤＣ１９７は、氏名、住所、社会保障番号（典型的に、税金の申告用に賞品獲得者からのみ得られる）、個人ＩＤ番号、電話番号などを含むものであってよい消費者の個人情報を格納する。ＤＣＳ１９６は、登録中に収集された人口統計学的データ、ＣＲＡＶ  ＩＤ及びＣＲＡＶ  ＡＤ質問１８２０の解答を格納してよい。
【００５０】
データ格納センタ１９５は、プライバシーデータベース１９９を含んでもよい。プライバシーデータベース１９９は、登録中に個人的な秘密情報を提供し、ＣＲＡＶ  Ａｄに応答する消費者１１０に対して、プロモータがプライバシー保護を与えることを決定したときに使用される。プライバシーデータベース１９９は、ＰＤＣ１９７及びＤＣＳ１９６からの記録の照合を要求した後、消費者の身元が人口統計学的及び履歴上の記録と照合される。これにより、セキュリティ、データ保護及び隔離レベルが確保される。
【００５１】
（ＣＲＡＶ  Ａｄプロセスの概観）
図２は、例示的なＣＲＡＶ  Ａｄプロセスの概観を示す流れ図である。以下、図２を参照すると、「開始」ステップ２０１で、例示的なＣＲＡＶ  Ａｄプロセス２００が開始される。ステップ２０５においてプロモータは、ＣＲＡＶ  Ａｄを広告主に販売する。ステップ２１０において、プロモータ及び広告主は、放送ネットワーク１０５を使用して、将来的なＣＲＡＶ  Ａｄを普及させる。ステップ２１５において、プロモータは、放送ネットワーク１０５、デバイス１１１、情報収集システム１１２及びデータ格納センタ１９５を使用して、ＣＲＡＶ  Ａｄを消費者１１９に伝達し、消費者１１０と相互作用する。ステップ２２０において、プロモータは、デバイス１１１、情報収集システム１１２及びデータ格納センタ１９５を使用して、消費者の登録情報及び応答情報を収集する。ステップ２２５において、賞品を授与する以外の目的で、登録及び／又は応答情報が使用されるか否かが決定される。ステップ２２５の解答が「はい」であり、登録及び／又は応答情報が使用されれば、プロセスは、プロモータが広告主及び他の関心をもつ実体に対して登録及び応答情報を編集及び／又は配信するステップ２２６に進む。ステップ２２５の解答が「いいえ」であり、登録及び応答情報が使用されなければ、プロセスは、直接ステップ２３０に進む。ステップ２３０において、プロモータは、データ格納センタを使用して、勝者を選択し賞品を配送する。その後、プロセスは、「終了」ステップ２９９に進み、終了する。
【００５２】
（ＣＲＡＶ  Ａｄの販売）
図３は、図２のステップ２０５に示されているように、プロモータが広告主にＣＲＡＶ  Ａｄを販売する方法を表す例示的なプロセスを示した流れ図である。
【００５３】
以下、図３を参照すると、「開始」ステップ３０１で、例示的なＣＲＡＶ  Ａｄプロセス２０５が開始される。ステップ３０５において、プロモータは、伝達するためのＣＲＡＶ  Ａｄ及び通常の広告の数と、広告ごとの請求額を決定する。ステップ３１０において、プロモータは、ＣＲＡＶ  Ａｄ及び通常の広告を販売する。次に、プロセスは、図２のステップ２１０に進む。
【００５４】
ＣＲＡＶ  Ａｄは、多数の方法で値段をつけられてよい。例えば、値段は、番組の視聴者の規模（すなわち、視聴率）に応じたものであってよく、又は、オークションや入札プロセスに基づいて値段がつけられてよく、この場合、最も高い値を付けた入札者にＣＲＡＶ  Ａｄが与えられる。値付けを確立するために、プロモータは、標準的な制作費、販売促進費及び放送費に基づいて既存の番組の収益性を分析してよい。これは、標準的な広告にかかる標準的な広告費で相殺されてよい。プロモータのＣＲＡＶ  Ａｄの値段は、より大きな視聴者規模の価値及び消費者１１０の間でのより高品質の没頭を含んでよい。これにより、１分当たりのコストがより高い広告費が正当化され、追加料金の歳入が、ＣＲＡＶ  Ａｄ報酬コスト、ＣＲＡＶ  Ａｄ使用許可及び販売促進費、及び質問１８２０応答管理プロセス費を相殺するのに役立つ。
【００５５】
ＣＲＡＶ  Ａｄの値段を決定するとき、以下のことが考慮されてよい。すなわち、販売促進費、使用される同時放送会場、没頭報酬の数及び種類、質問１８２０における質問数（すなわち、没頭確認質問、ポーリング質問、完全に正しい応答の数を減らすための多様な難問のノンセクションベースの質問）、オンエア対オフエア没頭確認応答、登録要求、質問１８２０の応答収集方法論、及び勝者の選択及び賞品授与の責任である。また、プロモータは、消費者１１０が、没頭確認プロセス中に１以上の特別な広告主立案の質問に解答するように要求されるかを決定しなければならない。この市場データは、広告主にとって非常に価値がある可能性があり、プロモータにより請求される料金を更に実質のあるものにし得る。また、プロモータは、質問１８２０に１以上の特別な世論質問を追加するように決定してもよい。このデータは、プロモータの他のプログラムに関連したものであってよく、ある一定のプログラミングタイプに対する消費者１１０の関心度を決定してよく、任意の他のマーケティング関連の問題を検討してよい。また、これらの世論質問は、世論応答の結果を与えることに対してプロモータに報酬を支払う可能性のある世論機関に対するサービスとして行われてもよい。
【００５６】
（消費者へのＣＲＡＶ  Ａｄの提供）
図４は、図２のステップ２１０に示されているように、プロモータ及び広告主が放送ネットワーク１０５を使用して、将来的なＣＲＡＶ  Ａｄを普及させる方法を表した例示的なプロセスを示す流れ図である。プログラムの視聴者規模を最大化するために、ＣＲＡＶ  Ａｄの放送について公衆に通知することが好ましい。ＣＲＡＶ  Ａｄを含む伝達の前に、プロモータは、ＣＲＡＶ  Ａｄが伝達されるプログラムを受信するであろう消費者１１０に対して事前に注意を与える。このような事前注意は、ＣＲＡＶ  Ａｄについて消費者１１０に知らせるとともに、深く没頭するほど、消費者１１０が実質的な報酬を受けられることになるであろうことを知らせる教育的かつ一般的な公開情報を含んでよい。これらの事前注意は、詳細な賞品情報を含み、その名称及び／又はロゴを明らかにし、放送前に消費者１１０による登録を促すものであってもよい。プロモータ及び広告主は、この事前通知を与えてよい。
【００５７】
以下、図４を参照すると、「開始」ステップ４０１において、例示的なＣＲＡＶ  Ａｄが開始される。ステップ４０５において、プロモータは、将来的なＣＲＡＶ  Ａｄ放送の事前通知を与えるか否かを決定する。答えが「いいえ」であれば、プロセスは、図２のステップ２１５に進む。答えが「はい」であれば、プロセスは、プロモータ及び広告主が事前通知用の放送ネットワーク１０５を選択するステップ４１０に進む。事前通知用に使用可能な放送ネットワーク１０５は、放送ＴＶネットワーク１２０、プライベートネットワーク１２５、ケーブルネットワーク１３５、インターネット１３０、衛星ネットワーク１４０又は任意の他のシステム１４１を含む。ステップ４１５において、プロモータ及び広告主は、選択した放送ネットワーク１０５を使用して消費者１１０に将来的なＣＲＡＶ  Ａｄの利用可能性を伝達する。ステップ４１６において、プロモータは、消費者１１０が予め登録することが可能か否かを決定する。答えが「いいえ」であれば、プロセスは、図２のステップ２１５に進む。答えが「はい」であれば、プロセスは、ステップ４２０に進む。
【００５８】
ステップ４２０において、消費者１１０は、デバイス１１１を使用してＣＲＡＶ  Ａｄに応答するように登録するか否かを決定する。ステップ４２０の答えが「いいえ」であれば、プロセスは、図２のステップ２１５に進む。一つの例示的な代替実施形態において、ＣＲＡＶ  Ａｄシステムは単純なものであり、登録が不要である。しかしながら、例示的な代替実施形態において、プロセス中に登録が要求される。登録が好ましい理由は、登録することで、プロモータ及び広告主が消費者１１０に関する詳細な情報を収集できることである。ステップ４２０の答えが「はい」であれば、消費者１１０は、ステップ４２５に示されているように、登録を行う。その後、プロセスは、図２のステップ２１５に進む。
【００５９】
図５は、図４のステップ４２５に示されているように、登録プロセスのプライバシーオプションを適用する方法を表した例示的なプロセスを示す流れ図である。以下、図５を参照すると、「開始」ステップ５０１において、例示的なＣＲＡＶ  Ａｄプロセス４２５が開始される。ステップ５０５において、プロモータは、プライバシーオプションを与えるか否かを決定する。プライバシーオプションは、秘密の個人データを人口統計学的データから隔離する。プライバシーオプションが使用されれば、データ格納センタ１９５は、ステップ５１０に示されているように、プライバシーデータベース１９９を含む。その後、プロセスは、ステップ５１５に進む。プライバシーオプションが与えられなければ、プロセスは、ステップ５０５からステップ５１５へと直接進む。ステップ５１５において、消費者１１０は、デバイス１１１を使用して登録を行い、プロセスは、図２のステップ２１５に進む。
【００６０】
プライバシーオプションが重要な理由は、プライバシーオプションにより、消費者１１０が、自分の個人登録情報が外部の関係者により人口統計学的情報及び応答情報と照合されるという心配が少なくなることである。
【００６１】
（登録）
質問１８２０の持続時間が短いため、消費者１１０は、割り当てられたＣＲＡＶ  Ａｄ時間内にすべて登録を行い、ＣＲＡＶ  Ａｄに応答することができない場合がある。したがって、消費者１１０は、通常、ＣＲＡＶ  Ａｄが放送される前に登録することを望む。いくつかの登録オプションが利用可能である。
【００６２】
登録情報は、さまざまなデータを含んでよい。一つの例示的な実施形態において、プロモータは、人口統計学的情報の使用を望まず、単純に、追跡及び賞品授与の目的で消費者１１０の特定を求める。したがって、消費者１１０は、勝者として選択されれば、連絡が取れる場所や身元に関する簡単な情報を提供するように求められる。この情報は、電話番号、社会保障番号（又はその一部）、生年月日、氏名及び住所を含んでよい。登録情報を提供した後、消費者１１０には、固有の「ＣＲＡＶ  ＩＤ」が与えられる。この番号は、無作為に発生させた固有の番号、又は簡単に思い出せる番号や一連の番号（生年月日や電話番号の組み合わせなど）であってよく、番号の中にＩＤ情報を与えてもよい。
【００６３】
登録に関する別の例示的な実施形態において、プロモータは、ＩＤ情報、製品に関する情報又は世論に関する情報の獲得を望むことがある。各消費者１１０の人口統計学的プロファイルは、年齢、性別、人種、体重、身長、郵便番号、自宅の住所又は電子メールアドレス、仕事、個人の年収、学歴、政治的所属、宗教、家族構成、ＴＶとコンピュータの数、広告主関連又は世論の調査質問及び過去のＣＲＡＶ  Ａｄの解答（応答の履歴情報）を含んでよい。詳細な登録は、ＣＲＡＶ  Ａｄごとに要求されてよい。しかしながら、ＣＲＡＶ  Ａｄごとにこの情報を収集すると、登録の処理時間及びコストがかかり、冗長的になり、消費者１１０が応答の提出を思いとどまることもある。したがって、１回限りの登録プロセスが利用可能であってもよい。このモードにおいて、オリジナルの登録を行った後に、ＣＲＡＶ  Ａｄの応答ごとに、変更／更新された人口統計学的情報又はＩＤ情報（配偶者の有無や電話番号の変更など）のみが追加される。このシナリオでは、ＰＤＣ１９７にオリジナルの登録情報が格納される。データ格納センタ１９５に新しい応答又は更新情報が伝送されると、データ格納センタ１９５は更新される。
【００６４】
登録に関する別の代替実施形態において、１回限りの登録が使用される場合（上述したように）、広告主は、報酬を貰う資格が得られるように、すでにＣＲＡＶ  ＩＤをもつ消費者１１０に追加の人口統計学的情報を入力してもらってよい。この場合、オリジナルの登録を行った後、追加のＣＲＡＶ  Ａｄ応答ごとに、新しい「応答」情報が追加される。このシナリオでは、ＤＣＳ１９６にオリジナルの登録情報が格納され、データ格納センタ１９５に新しい応答が伝送されると、その登録情報はデータ格納センタ１９５へ追加登録される。ＣＲＡＶ  ＩＤは、ＣＲＡＶ  Ａｄの記録への追加を許可する前に要求される。
【００６５】
（放送ＣＲＡＶ  Ａｄ及び消費者との相互作用）
図６は、図２のステップ２１５に示されているように、プロモータが放送ネットワーク１０５、デバイス１１１、情報収集システム１１２及びデータ格納センタ１９５を使用して、ＣＲＡＶ  Ａｄを消費者１１０に伝達し、消費者１１０と相互作用する方法を表した例示的プロセスを示す流れ図である。以下、図６を参照すると、「開始」ステップ６０１において、例示的ＣＲＡＶ  Ａｄプロセス２１５が開始される。ステップ６０５において、プロモータは、放送ネットワーク１０５を使用して、警告１８０５、ビネット１８１０及び質問１８２０を伝達する。傾向１８０５とは、消費者が報酬を勝ち取る権利者になるには、次にくるビネット１８１０を記憶することが望ましいということを消費者に喚起する注意である。ビネット１８１０は、消費者である視聴者へのプレゼンテーション用の製品又はサービス又は任意の他の情報の従来のコマーシャルであってよい。質問１８２０は、１以上の質問を含む。ステップ６１０において、消費者１１０は、質問１８２０に解答する。ステップ６１５において、解答１８３０を伝達するためのオプションは、プロモータがこのオプションの使用を望むか否かに応じて与えられる。解答１８３０は、質問１８２０の１以上の質問の少なくとも１つに対する解答を含む。ステップ６１５の答えが「いいえ」であり、解答１８３０が伝達されなければ、プロセスは、図２のステップ２２０に進む。ステップ６１５の答えが「はい」であれば、ステップ６２０に示されているように、プロモータは、放送ネットワーク１０５を使用してカウンタ時間が終了した後、解答１８３０を伝達する。その後、プロセスは、図２のステップ２２０に進む。
【００６６】
図７は、図６のステップ６０５に示されているように、プロモータが、放送ネットワーク１０５を使用して、警告１８０５、ビネット１８１０及び質問１８２０を伝達する方法を表した例示的なプロセスを示す流れ図である。以下、図７を参照すると、「開始」ステップ７０１において、例示的なＣＲＡＶ  Ａｄプロセス６０５が開始される。ステップ７０５において、プロモータは、放送ネットワーク１０５を使用して警告１８０５を伝達する。警告１８０５は、賞品の詳細及び広告主及び／又はプロモータのロゴを含んでよい。また、警告１８０５は、プロモータ又は他の実体が表示を望む任意の他の情報を含んでもよい。ステップ７１０において、プロモータは、放送ネットワーク１０５を使用してビネット１８１０を伝達する。ビネット１８１０は、広告及び広告主及び／又はプロモータのロゴを含んでよい。また、ビネット１８１０は、プロモータ又は他の実体が表示を望む任意の他の情報を含んでもよい。ステップ７１５において、プロモータは、放送ネットワーク１０５を使用して質問１８２０を伝達する。あるいは、プロモータは一つ以上の応答デバイス１１１を使用し、質問１８２０を伝達することができる。質問１８２０は、質問、可能性のある解答、ログイン応答情報、残り時間カウンタ及び広告主及び／又はプロモータのロゴを含んでよい。また、ＣＲＡＶ  Ａｄ質問１８２０は、プロモータが含ませたい任意の他の情報を含んでもよい。その後、プロセスは、図６のステップ６１０に進む。
【００６７】
（ＣＲＡＶ  Ａｄの解答）
図８は、図６のステップ６１０に示されているように、消費者１１０がＣＲＡＶ  Ａｄに解答する方法を表した例示的なプロセスを示す流れ図である。以下、図８を参照すると、「開始」ステップ８０１において、例示的なＣＲＡＶ  Ａｄプロセス６１０が開始される。ステップ８０２において、デバイス１１１は、消費者１１０にＣＲＡＶ  ＩＤを入力するように促す。ステップ８０５において、消費者１１０がＣＲＡＶ  ＩＤを入力したか否かが決定される。ステップ８０５の答えが「いいえ」であり、消費者１１０がＣＲＡＶ  ＩＤを入力しなければ、ステップ８１１に示されているように、登録が許可されない。登録が許可されれば、プロセスは、ステップ８１５に進む。登録が許可されなければ、ステップ８１６に示されているように、消費者１１０に対して、ＣＲＡＶ  Ａｄへの応答を提出する前に登録を行わなければならないことが知らされる。その後、プロセスは、図６のステップ６１５に進む。
【００６８】
ステップ８０５の答えが「はい」であり、消費者１１０がデバイス１１１を使用してＣＲＡＶ  ＩＤを入力すれば、ステップ８１０に示されているように、デバイス１１１は、ＣＲＡＶ  ＩＤを受け取る。ＣＲＡＶ  ＩＤは、プロモータ又は広告主により割り当てられた番号であってよい。それは、手動入力の必要性をなくすために、メモリに格納されてよい。ＣＲＡＶ  ＩＤをメモリに格納する方法の例は、インターネット上でクッキーを使用すること、又は格納された番号を電話（短縮ダイヤルメモリ機能）に入力することを含む。ステップ８１５において、放送ネットワーク１０５又はデバイス１１１は、ＣＲＡＶ  Ａｄ質問１８２０の第１の質問及び解答の選択肢を伝達する。質問は、没頭確認質問、ポーリング質問、ノンセクション質問、又は任意の他のタイプの質問であり得る。解答の選択肢は、所定の応答オプションａ、ｂ、ｃ、ｄなどのセットであってよく、又は、消費者１１０は、解答をそのまま入力するように要求されてよい。解答のオプションは、放送局間で異なるものであってよい固有の番号又は文字の放送を含んでよく、これにより、ＣＲＡＶ  Ａｄを見るために消費者１１０により使用される放送媒体又は場所を決定するために、データ格納センタ１９５により、引き続き復号が行われる。ステップ８２０において、消費者１１０は、自分の解答をデバイス１１１に入力する。ステップ８２５において、プロモータは、放送ネットワーク１０５又はデバイス１１１を使用して、同じ質問１８２０の一部として別の質問を伝達してよい。この質問は、別の没頭確認質問、又は消費者１１０に関する情報を得るために使用される質問であってよい。この情報は、人口統計学的情報又は他の情報を含んでよい。プロモータが、決定ステップ８２５に対して「はい」を選択すれば、プロセスは、ステップ８３０に進み、デバイス１１１は、新しい質問を伝達する。ステップ８３５において、消費者は、デバイス１１１に解答を入力する。その後、プロセスは、ステップ８２５へと戻り、繰り返される。ステップ８２５の答えが「いいえ」であり、他の質問が尋ねられなければ、プロセスは、ステップ８２６に進む。ステップ８２６において、ステップ８０５において消費者１１０がＣＲＡＶ  ＩＤを入力したか否かが決定される。ステップ８２６の答えが「はい」であれば、プロセスは、図６のステップ６１５に進む。ステップ８２６の答えが「いいえ」であれば、プロセスは、消費者１１９が登録を行うためのオプションを有するステップ８２７に進む。ステップ８２７の答えが「はい」であり、消費者１１０が登録を行えば、プロセスは、図６のステップ６１５に進む。答えが「いいえ」であり、消費者１１０が登録を行わないか、登録が完了していなければ、プロセスは、ステップ８２８に進み、応答は破棄される。その後、プロセスは、図６のステップ６１５に進む。
【００６９】
（ＣＲＡＶ  ＡＤの解答の収集）
図９を構成する図９Ａ及び図９Ｂは、図２のステップ２２０に示されているように、登録及び応答情報を収集するための例示的な全国規模ネットワークを示す描写図である。質問１８２０を収集するネットワークは、任意のデータ収集活動において２つの変数に対応するようにデザインされる。第１に、予想されるトラフィック及び地理的／時間帯の要求が満たされなければならない。第２に、登録及び応答の情報が、データ格納センタ１９５に送信されなければならない。図９Ａは、米国の地図を示し、従来の電話機１４５が、登録及び応答情報を電話会社ＳＰ１７０に送信する方法を示す。図９Ｂは、米国の地図を示し、インターネットコンピュータ１３０が登録及び応答情報をインターネットＳＰ１８５に送信する方法を示す。両方の図は米国を示しているが、当業者であれば、収集システムは、任意の国又は複数の国に与えられてよいことを認識するであろう。
【００７０】
以下、図９Ａを参照すると、消費者の応答が電話機１４５により電話会社ＳＰ１７０に送信される方法を示すネットワークが示されている、当業者は、予測されるトラフィック及び地理的／時間帯の要求を満たすための複数の方法を認識するであろう。トラフィックという用語と同様に、トラベリング情報は「トラフィック」と呼ばれ、２点間の長さは「距離」と呼ばれ、遅延トラフィックは「コンジェッション」と呼ばれる。例示的な実施形態において、質問１８２０の応答を扱うためには、１つのウェブサイト及び１つの電話番号で十分である。しかしながら、ほとんどの場合、多数の応答トラフィックを扱うには、複数回線が必要である。
【００７１】
遠隔通信回線の場合、デザイン要素が、距離の短縮及びコンジェッションの解消に役立つ可能性がある。例えば、複数の電話番号（１つ又は複数の情報収集システム１１２に接続されている）が、地理的に中心となる場所に配置されてよい。更に、到来呼を１つ又は複数の情報収集システム１１２に向けるスイッチを組み込んだ１つの公開された電話番号が、到来呼の起点に基づいて方向付けされて、地理的に中心となる場所に配置されてよい。図９Ａは、登録及び応答情報を電話会社ＳＰ１７０に送信する電話機１４５のオプションを示す。
【００７２】
インターネットネットワーク１３０などのネットワーク上に与えられる応答に関して、以下のデザイン要素は、距離の短縮及びコンジェッションの回避に役立つ可能性がある。すなわち、地理的に中心となる場所に配置された固有ウェブサイトアドレスをもつミラーウェブサイト（それぞれが情報収集システム１１２として作用）と、ユーザのＳＰ１１２付近に地理的に中心となる場所に理想的に配置された１以上のミラーウェブサイトに再方向付けされた１つの公開されたウェブサイトアドレスと、個々のインターネットＳＰ１８５又は認可された情報収集システム１１２がホストする固有ウェブサイトである。図９Ｂは、登録及び応答情報をインターネットＳＰ１８５に送信するインターネットコンピュータ１６０のオプションを示す。
【００７３】
図１０は、情報収集システム１１２が、登録及び応答情報をデータ格納センタ１９５に送信する方法を示す。登録及び応答情報は、ＳＰネットワークによりホストされてよい情報収集システム１１２に送信される。また、ＣＲＡＶウェブサイトが、情報収集システム１１２になるようにセットアップされてもよい。このＣＲＡＶウェブサイトは、データ格納センタ１９５と同じ場所に収容されてよい。ＣＲＡＶ  Ａｄが終了すると、情報収集システム１１２は、登録及び応答情報をデータ格納センタ１９にタイムスケジュール通りに同期させて送信する。消費者１１０のデータがデータ格納センタ１９５により受信され確認されると、応答情報は、情報収集システム１１２により自動消去するようにプログラムされてよい。図１０は、登録及び応答情報を送信するための３つの情報収集システム、すなわち、インターネットＳＰ１８５、電話会社ＳＰ１７０及びプライベートネットワークＳＰ１９０を示す。
【００７４】
（ＣＲＡＶ  Ａｄの勝者の選択及び賞品の配送）
図１１は、図２のステップ２３０に示されているように、プロモータが勝者を選択し賞品を配送する方法を表した例示的なプロセスを示す流れ図である。以下、図１１を参照すると、「開始」ステップ１１０１において、例示的なＣＲＡＶ  Ａｄプロセス２３０が開始される。ステップ１１０５において、データ格納センタ１９５は、ＰＤＣ１９７に登録情報を、ＤＣＳ１９６に応答情報を格納する。ステップ１１１０において、プロモータ又は第三者のサービスプロバイダは、ＤＣＳ１９６のデータベースから勝者及び補欠勝者を無作為に選択する。ＤＣＳ１９６のデータベースは、すべての要求された質問に正確に解答した消費者１１０のリストを含む。また、プロモータ、広告主又は第三者のサービスプロバイダは、可能性がある勝者に連絡を取る。（この第三者のサービスプロバイダは、消費者の解答に関する情報やクーポンを含む処理サービスを提供してもよい。）プロモータ又は広告主により選択されるプロセスに基づいて、可能性がある勝者の身元及び可能性がある勝者の登録及び応答情報の真実性が確認されてよい。このオプションが使用されれば、プロモータは、消費者の登録及び応答情報が真正のものであることを証明することにより身元を確認する。プロモータは、賞品を授与する前に、人口統計学的データ又は秘密データを確認するように可能性がある勝者に要求してよい。プロモータは、質問１８２０において、１以上の質問を繰り返してよい。プロモータは、質問１８２０の応答に一致する応答を与えることができない可能性がある勝者の失格を決定してよい。
【００７５】
ステップ１１２０において、勝者に賞品獲得の資格があるかが決定される。ステップ１１２０の答えが「いいえ」であれば、プロセスは、ステップ１１２５に進み、補欠勝者のリストから、次の補欠勝者が選択される。ステップ１１３１において、補欠勝者に資格があるかが決定される。ステップ１１３１の答えが「いいえ」であれば、プロセスは、ステップ１１２５に戻り、繰り返される。ステップ１１３１の答えが「はい」であれば、プロセスは、ステップ１１３２に進む。
【００７６】
ステップ１１２０の答えが「はい」であれば、プロセスは、ステップ１１３２に進み、確認された勝者は、勝者のリストに追加され、勝者総数が増える。ステップ１１３５において、すべての勝者に資格があるかが決定される。ステップ１１３５の答えが「いいえ」であれば、プロセスは、ステップ１１１０に進み、繰り返される。ステップ１１３５の答えが「はい」であれば、プロセスは、ステップ１１４０に進む。ステップ１１４０において、勝者情報及び他の選択された情報（すなわち、人口統計学上関係のあるデータ及び質問１８２０の応答の結果）は、特に、消費者１１０が情報の送信を認めたら、広告主及び／又は他の関心のある実体に送信されてよい。また、プロモータ、広告主又は第三者のサービスプロバイダは、勝者を公表する。ステップ１１４５において、プロモータ、広告主又は第三者のサービスプロバイダは、賞品を勝者に配送する。その後、プロセスは、ステップ１１９９で終了する。
【００７７】
（ＣＲＡＶ  Ａｄの他の応用）
上記記載は、理想的に、ＴＶやインターネット１３０などの視覚的なマスメディア技術に適しているが、ラジオなどの音声のみの技術や、雑誌や新聞広告などの資格のみの放送媒体を用いた別のマスメディアチャンネルで利用されてもよい。ＣＲＡＶ  Ａｄは、複雑で高度に開発されたコンピュータデバイス１１１を用いて、又は単に電話１４５を使用することにより解答されてよい。当業者は、上記の発明に任意の方法媒体及び応答媒体が与えられてよいことを認識するであろう。更に、本発明は、娯楽コンテンツ内への広告の提供に限定されるものではなく、他のタイプの情報の提供に及ぶものであってよい。最後に、消費者１１０、プロモータ及び広告主に対して本発明を記載してきたが、当業者は、他の実体が使用可能であることを認識するであろう。例えば、第三者のサービスプロバイダが担う役割は、登録及び応答情報の収集、登録及び応答情報の真実性を証明するためにその情報の選別、関連データを抽出するための登録及び応答情報の引き出し、勝者及び補欠勝者の無作為選択、及び賞品処理及び配送確認サービスの提供である。
【００７８】
（例）
ＣＲＡＶ  Ａｄプロセスを良好に説明するために、代表的な例が与えられる。
【００７９】
プロモータは、ＡＢＳ放送会社（「ＡＢＳ」）であり、広告主は、ＡＣＭＥモータース（「ＡＣＭＥ」）である。消費者１１０は、フロリダ州ラルゴの４人家族である。デーリー氏は６０歳であり、デーリー夫人は５８歳である。２人の息子の居所は自宅である。マイクは２５歳であり、マークは２３歳である。
【００８０】
図１２は、ＣＲＡＶ  Ａｄの例を示す流れ図である。ステップ１２０１において、例示的なプロセスが開始される。ステップ１２０５において、ＡＢＳは、２つの２分間のＣＲＡＶ  ＡｄスロットをＡＣＭＥモータース（「ＡＣＭＥ」）に販売する。ステップ１２１０において、ＡＢＳ及びＡＣＭＥは、ＣＲＡＶ  Ａｄの将来的な放送を広告し、その結果、デーリー家が登録を行う。ステップ１２１５において、ＣＲＡＶ  Ａｄが放送される。ステップ１２２０において、ＣＲＡＶ  Ａｄの応答が収集される。ステップ１２２５において、ＤＣＳは、賞品授与以外の目的のために収集された情報を使用するために利用される。ステップ１２２６において、ＤＣＳは、賞品の勝者に関するものではない情報の引き出し、抽出、編集及び送信を行う。ステップ１２３０において、ＤＣＳは、勝者を選択し賞品を配送するために利用される。
【００８１】
図１３は、図１２のステップ１２０５に示されているように、広告スロットの販売方法を示す流れ図である。以下、図１３を参照すると、ＡＢＳは、ステップ１３０５に示されているように、２つのＣＲＡＶ  Ａｄをそれぞれ＄１，７００，０００で販売し、２４時間の通常広告をそれぞれ＄３７５，０００で販売することを決定する。ＡＢＳは、ステップ１３１０に示されているように、２つのＣＲＡＶ  ＡｄをＡＣＭＥに、２４時間の通常広告を他の広告主に販売する。その後、プロセスは、図１２のステップ１２１０に進む。
【００８２】
広告の値段を決定するために、ＡＢＳは、図１４に示されている表に従う。ＡＢＳは、「ロイヤーズ・イン・ラブ（Lawyers  in  Love）」という番組の平均利益を決定する。「ロイヤーズ・イン・ラブ」は、８  ＰＭ  ＥＳＴ／８  ＰＭ  ＭＳＴに放送（ディレイタイムスロットで放送）され、放送時間は６０分である。番組の平均視聴率は、７００万人の消費者１１０である。ＡＢＳは、１６の１分広告（３２３０秒スポット）を番組に割り当てた。ＡＢＳは、広告主に対して３０秒スポット当たり＄３００，０００を請求し、番組当たり９６０万ドルの歳入を獲得する。番組の費用は、＄８，０００，０００である。したがって、平均利益は、番組の歳入（９６０万ドル）−番組の支出（８００万ドル）＝純利益（１６０万ドル）である。１０００人の消費者１１０当たりの広告主にかかる平均コストは、ＣＲＡＶ  Ａｄを考慮に入れなければ、＄４２．８６である。
【００８３】
次に、ＡＢＳは、代替分析を決定する。＄１，７００，０００の値が付いた２つのＣＲＡＶ  Ａｄは、ＡＢＳが以前２４０万ドルの歳入を得ていた８つの３０秒広告スロットに取って代わる。また、ＡＢＳは、百万ドルを賞品に配分することを望み、ＣＲＡＶ  Ａｄの値段は３４０万ドルになる。ＣＲＡＶデータ収集コストは、＄５１０，０００である。ＡＢＳは、ＣＲＡＶ関連の登録及び情報収集システム１１２が装備された第三者の情報保管収集組織であるＴＰＲにこの料金を支払う。また、ＴＰＲは、勝者及び補欠を選択し、勝者の応答が真正のものであることを証明し、ＡＢＳ及びＡＣＭＥにリストを提供し、賞品の配送プロセスを取り扱う。ＡＢＳは、＄４００，０００を費やして、将来的なＣＲＡＶ  Ａｄを普及する。
【００８４】
ＡＢＳは、ＣＲＡＶ  Ａｄのコンテストが視聴者を３０％増大させると見積もる。したがって、ＡＢＳは、従来の広告の値段を２５％上げる。新しい広告の値段は、３０秒スロット当たり＄３７５，０００である。したがって、広告主は、３０秒の通常広告当たり＄３７５，０００を支払う（＄３００，０００に対して）が、その代わりに、より高い没頭レベルを潜在的に達成し、通常広告がインプレッション当たりより低いコストでより多くの視聴者に放送される。１０００人の消費者１１０当たりの新しいコストは、より低くなり、＄４２．２１となる。
【００８５】
このように、２４スロットに対して、スロット当たり＄７５，０００値上がりすると、ＡＢＳに更に１８０万ドルの歳入が追加される。これは、次にくるＣＲＡＶ  Ａｄを普及させるための追加コスト＄４００，０００と、ＣＲＡＶ情報収集、編集及び勝者選択／確認用の＄５１０，０００により相殺される。したがって、ＡＢＳは、さらなる純利益＄８９０，０００を実現する。これにより、番組の収益性が５５％を超える分だけ上がる。
【００８６】
図１５は、図１２のステップ１２１０に示されているように、ＡＢＳ及びＡＣＭＥが将来的なＣＲＡＶ  Ａｄを普及させる例示的なＣＲＡＶ  Ａｄプロセスを示す描写的な流れ図である。ステップ１５０１において、「開始」ボタン１５０１でプロセス１２１０が開始される。ステップ１５０１において、ＡＢＳ及びＡＣＭＥは、ＣＲＡＶ  Ａｄを普及させ、その事前通知を与えることを決定する。
【００８７】
ステップ１５１０において、ＡＢＳは、ＴＶ、インターネット１３０、電子メール及びＴＶガイドでＣＲＡＶ  Ａｄを普及するように選択し、ＡＣＭＥは、インターネット１３０、電子メール及びケーブルＴＶでＣＲＡＶ  Ａｄを普及するように選択する。ステップ１５１５において示されているように、放送前の数週間、ＡＢＳは、ＡＢＳネットワークで、次にくる「ＣＲＡＶ／ＡＣＭＥ新車懸賞付きクイズ番組」のプロモーションを促進する。また、ＡＢＳは、ＴＶガイド雑誌の広告を購入し、ＡＢＳウェブサイトに情報を投稿し、電子メールリストに情報を送り出す。また、ウェブサイト上のＡＣＭＥのバーナー及び３５０万人の加入者への電子メールの通知でも、ＣＲＡＶ  Ａｄを普及させる。また、ＡＣＭＥは、ハイテクＴＶケーブルチャンネルネットワークで宣伝する。デーリー氏は、ＡＢＳで普及されたＣＲＡＶ  Ａｄを目にする。デーリー夫人は、インターネット１３０サーフィンをしながら、ＡＣＭＥのウェブサイトで普及されたＣＲＡＶ  Ａｄを目にする。マイクは、ハイテクＴＶケーブルで普及されたＣＲＡＶ  Ａｄを目にする。マークは、普及されたＣＲＡＶ  Ａｄを目にしない。ＣＲＡＶ  Ａｄのプロモーションに表示されているものは、以下のとおりである。日曜日の８：００ＥＳＴの「ロイヤーズ・イン・ラブ」を見れば、５０台の新車のＡＣＭＥコンバーチブルのうち１台があなたのものに。登録はｗｗｗ．ＣＲＡＶ．ｔｖ、お電話は１−８００−ＣＲＡＶＮＯＷまで。」将来的なＡＣＭＥ  ＣＲＡＶ  Ａｄのすべての放送プロモーションは、この登録情報を含む。登録は、ＴＰＲにより行われる。
【００８８】
ステップ１５２０の後、デーリー氏とデーリー夫人が登録することを選択する。マイクは、この時点では登録することを選択しない。マークは、登録のことを知らないため、登録しない。ステップ１５２５に示されているように、デーリー氏は、電話１４５を使用して登録し、デーリー夫人は、インターネットコンピュータ１６０を使用して登録する。その後、プロセスは、ステップ１２１５に進む。
【００８９】
登録プロセスで、デーリー氏とデーリー夫人が登録情報を入力させる。図１６は、氏名、社会保障番号、電話番号、ＰＩＮ、生年月日、電子メール、住所、勝利を含むものであってよいサンプルＣＲＡＶ記録を示す。また、プロモータは、性別、郵便番号、子供の数、配偶者の有無、人種、体重、身長、仕事、年収、学歴、政治的所属及び宗教的所属を含むものであってよい人口統計学的情報の入力を消費者１１０に求めてもよい。この情報は、ＴＶ及びコンピュータの所有台数、車の所有台数、お気に入りのＴＶネットワークを含む情報が補足され更新されてよい。履歴応答情報は、過去のＣＲＡＶ  Ａｄに対して消費者１１０が与えた応答に関する情報を与える。
【００９０】
登録プロセス中に、消費者１１０が人口統計学的情報を入力する間、質問１８２０は、人口統計学的情報を収集する機会を与える。この情報は、ＣＲＡＶ人口統計学的情報に追加されてよく、又は、履歴応答データに追加されてよい。この場合、将来的に検索及び編集を容易に行うために、記録に、レベルＩＩの人口統計学的記録が組み込まれてよい。レベルＩＩの人口統計学的情報は、最初の記録ポイントの後に収集されるため、すべてではないが、一部の消費者１１０の情報を含むものであってよい。その結果、初期登録時にすべての登録者により提供される最初のレベルＩの人口統計学的情報とは対照的に、レベルＩＩの人口統計学的情報は、全調査人口を制限する可能性がある。
【００９１】
図１７は、ＡＢＳが警告１８０５と、ビネット１８１０と、質問１８２０とを放送するステップ１２１５の例示的実施形態を示す流れ図である。以下、図１７を参照すると、プロセス１２１５は、「開始」ステップ１７０１において開始される。ステップ１７０５において、ＡＣＭＥは、複数のデバイスで同時的ＡＣＭＥ  ＣＲＡＶ  Ａｄ放送を与えることにより、マルチサイマルキャスト概念の利用を決める。ＡＣＭＥは、ＡＢＳ、ＡＣＭＥのウェブサイト、ハイテクＴＶケーブル、Ｒ−ＢＡＲネットワークで、日曜日の８：３００ＰＭ  ＥＳＴに同時にＡＣＭＥのＣＲＡＶ  Ａｄを流すのを選択する。したがって、同一のＡＣＭＥのＣＲＡＶ  Ａｄが、８：３３ＰＭ  ＥＳＴでのこれらの媒体上のマルチサイマルキャストである。デーリー氏は、ＡＢＳ１２０で「ロイヤーズ・イン・ラブ」を見ている間、ＡＣＭＥのＣＲＡＶ  Ａｄを目にする。デーリー夫人は、インターネット１３０にログオンしている間、ＡＣＭＥのＣＲＡＶ  Ａｄを目にする（デーリー夫人は、ログオンしたときに、すでに自分のＣＲＡＶ  ＩＤを提供されている。）。マイクは、自室でハイテクＴＶケーブル１３５を見て、ＡＣＭＥのＣＲＡＶ  Ａｄを目にする。マークは、Ｒ−Ｂａｒネットワーク１２５を使用して、ローカルバーでＡＣＭＥのＣＲＡＶ  Ａｄを目にする。ステップ１７１０において、消費者１１０は解答する。デーリー氏は、電話１４５を使用して解答する。
【００９２】
デーリー夫人は、インターネットコンピュータ１６０を使用して解答する。マイクは、自分のパームパイロットＰＤＡ１５０を使用して解答するが、マイクは、まだ登録を終えてない。マークは、Ｒ−Ｂａｒデバイス１６５を使用して解答する。ステップ１７１５から１７２０に示されているように、質問１８２０の解答１８３０が、ＡＢＳでのみ放映される。解答１８３０は、インターネット１３０、ハイテクＴＶケーブル１３５及びＲ−Ｂａｒネットワーク１２５上では流されない。
【００９３】
図１８は、図１７に示されているように、消費者１１０が見るＣＲＡＶ  Ａｄを示す。ステップ１８０５において、警告１８０５が映し出される。警告１８０５は、以下の通りである。「次のＡＣＭＥ自動車会社のＣＲＡＶ  Ａｄを記憶すれば、５０台の新車のＡＣＭＥコンバーチブルのうち１台があなたのものに。」この警告１８０５は、１０秒間流される。ステップ１８１０において、ビネット１８１０が放送される。ビネット１８１０は、非ＣＲＡＶ  Ａｄでの放送にも適した６０秒の娯楽情報広告である。ステップ１８２０において、質問１８２０が放送される。質問１８２０は、３つの質問を含む。すなわち、ＡＢＳ、ＡＣＭＥのウェブサイト、ハイテクＴＶ及びＲ−ＢＡＲのプライベート放送ネットワークを含む放送ネットワーク１０５で放送される没頭確認質問１８２０ａと、広告主の質問１８２０ｂと、ポーリング質問１８２０ｃであり、その両方は、電話ネットワークと、ＡＣＭＥのウェブサイトと、Ｒ−Ｂａｒプライベートネットワークと、パームパイロットＰＤＡネットワークを含むデバイス１１１を介して配信される。没頭確認質問１８２０ａでは、「サイドインパクトのエアバックを特徴とする新しいＡＣＭＥモデルは何ですか？」と尋ねる。多項選択式の応答が、以下のように表示又は音声化される。すなわち、１）ＳＤ２０２０、２）ＸＰ２０３０、３）ＸＸ２０４０、４）ＸＹＺ１２３である。第2の質問である広告主の質問１８２０ｂが伝達される。これは、さまざまなデバイス１１１を介して応答する間、消費者１１０に提示される広告主により意図された質問である。この質問では、「新車を購入する予定はいつですか？」と尋ねる。多項選択式の応答が、以下のように表示又は音声化される。すなわち、１）２年以上後、２）２年以内、３）1年以内、４）６ヶ月以内である。ステップ１８２０ｃにおいて、第３の質問であるポーリング質問１８２０ｃが表示又は音声化される。この質問は、さまざまなデバイス１１１を介して応答する間、消費者１１０に対して提示され、契約を結んだ世論調査会社用のためのものである。この質問では、「以下の選択肢から、２００８年米国大統領として誰に投票する予定ですか？」と尋ねられる。多項選択肢の応答が、以下のように表示又は音声化される。すなわち、１）ヒラリー・クリントン、２）コリン・パウエル、３）ジェブ・ブッシュ、４）フランク・マッジオである。ステップ１８３０において、質問１の正解、すなわち、ＸＰ２０３０が表示又は音声化される。
【００９４】
図１９は、図１７のステップ１７１０に示されているように、デーリー家によりＣＲＡＶ  Ａｄが解答される方法を示す流れ図である。デーリー氏に関して、プロセスは以下のとおりである。デーリー氏は、登録時に与えられた電話番号にダイヤルすることにより、電話１４５を使用して解答する。ステップ１９０２に示されているように、電話番号は、電話応答代行サービスにつながり、デーリー氏にＣＲＡＶ  ＩＤを尋ねる。デーリー氏は、すでに登録を済ませているので、自分のＣＲＡＶ  ＩＤを入力し、ステップ１９１０において承認される。ステップ１９３０において、電話１４５で、デーリー氏は解答選択肢付きの第1の質問１８２０ａに取り組む。ステップ１９３５において、指示に従って、プッシュホン式の電話１４５の１を押して、「ＳＤ２０２０」と解答する（これは、正しい応答ではない。）。別の質問が尋ねられ、プロセスは、ステップ１９４０からステップ１９４５へ進む。ステップ１９４５において、デーリー氏は、解答選択肢付きの第２の質問１８２０ｂを尋ねられる。ステップ１９５０において、デーリー氏は、電話１４５の１を押して、「２年以上後」と解答する。第３の質問１８２０ｃが尋ねられ、プロセスは、ステップ１９４０からステップ１９４５へ進む。ステップ１９４５において、デーリー氏は、第３の質問を尋ねられる。ステップ１９５０において、デーリー氏は、電話１４５の４を押して、大統領に「フランク・マッジオ」に投票すると解答する（これは、彼の政治的な読みの深さの徴候である。）。
【００９５】
デーリー夫人に関して、プロセスは、以下のとおりである。すなわち、デーリー夫人は、インターネットコンピュータ１６０を使用して解答する。デーリー夫人には、ログオン時に自動的にＣＲＡＶ  ＩＤがすでに与えられているため（ステップ１９０２から１９１０）、質問に解答すればよいだけである。ステップ１９３０において、インターネット１３０は、没頭確認質問１８２０ａを示す。ステップ１９３５において、デーリー夫人は、「ＸＰ２０３０」を選択する。ステップ１９４５において、インターネットネットワーク１３０は、解答選択肢付きの広告主の質問１８２０ｂを示す。ステップ１９５０において、デーリー夫人は、「２年以内」を選択する。別の質問があるため、プロセスは、再度、ステップ１９４０からステップ１９４５へ進む。ステップ１９４５において、解答選択肢付きのポーリング質問１８２０ｃが示される。ステップ１９５０において、デーリー夫人は、大統領の選択肢を表す「フランク・マッジオ」を選択する（デーリー家は知的な家族である。）。
【００９６】
マイクに関して、プロセスは、以下のとおりである。マイクは、ハイテクＴＶケーブル１３５に表示されたウェブサイトにアクセスするために、自分のパームパイロット１５０を使用する。マイクは登録していないが、登録が許可され、プロセスは、ステップ１９０５から、登録が許可されるステップ１９２５の後、ステップ１９３０へ進む。ステップ１９３０において、解答選択肢付きの没頭確認質問１８２０ａが表示される。ステップ１９３５において、マイクは、３（「ＸＸ２０４０」）と解答する。別の質問があるため、プロセスは、ステップ１９４０から１９４５へ進む。ステップ１９４５において、解答選択肢付きの広告主の質問１８２０ｂが表示される。ステップ１９５０において、マイクは、３（「１年以内」）と解答する。ポーリング質問１８２０ｃに対して同じプロセスが続き、マイクはそれに解答する。追加の質問がないため、プロセスは、ステップ１９４０からステップ１９２６へ進む。ステップ１９２６において、マイクは、ＣＲＡＶ  ＩＤをもっていないため、プロセスは、ステップ１９２７に進み、マイクは、登録を行い、自動的に入力されるＣＲＡＶ  ＩＤを得る。その後、プロセスは、ステップ１７２０に進む。
【００９７】
マークに関して、プロセスは、以下のとおりである。マークは、バーのプライベートネットワークを使用し、それが、ＣＲＡＶ  Ａｄを放送し、プライベートネットワークに接続され、プレーに登録したバーにいる消費者１１０に質問１８２０を提示する。マークは、ステップ１９０２において、ＣＲＡＶ  ＩＤを求められる。マークは、予め登録していないので、「ＮＯＮＥ」とタイプし、プロセスは、ステップ１９０５へ進んだ後、ステップ１９２５へ進む。ステップ１９２５において、ＣＲＡＶ  Ａｄの間に登録が許可されて、プロセスは、ステップ１９３０に進む。ステップ１９３０において、解答選択肢付きの没頭確認質問１８２０ａが表示される。ステップ１９３５において、マークは、３（「ＸＸ２０４０」）と解答する。別の質問が尋ねられるため、プロセスは、ステップ１９４０から１９４５へ進む。ステップ１９４５において、解答選択肢付きの広告主の質問１８２０ｂが表示される。ステップ１９５０において、マークは、３（「１年以内」）と解答する。別の質問が尋ねられるため、プロセスは、ステップ１９４０から１９４５へ進む。ステップ１９４５において、解答選択肢付きのポーリング質問１８２０ｃが表示される。ステップ１９５０において、マークは、１（「ヒラリー・クリントン」）と解答する。尋ねられる質問は他にないため、プロセスは、ステップ１９４０からステップ１９２６へ進む。ステップ１９２６において、デバイスは、マークがＣＲＡＶ  ＩＤをもっていないことを認識する。プロセスは、ステップ１９２７に進み、マークは、（ＣＲＡＶ  ＩＤを獲得するための）登録プロセスに進むか、質問１８２０の応答情報を失うかのどちらを希望するか尋ねられる。マークは、登録情報の完了を開始するが、気が変わってログオフする。マークは、登録が完了していないため、ＣＲＡＶ  ＩＤを割り当てられず、ステップ１９２８に示されているように、彼の登録は破棄される。
【００９８】
図１２のステップ１２２０において、ＣＲＡＶ  Ａｄの解答が収集される。これは、電話会社ＳＰ１７０、インターネットＳＰ１８５、ＰＤＡ  ＳＰ１７５、Ｒ−ＢａｒプライベートネットワークＳＰ１９０により行われて、応答及び応用可能な登録叙法をＴＰＲのＤＣＳ１９５へ送る。
【００９９】
図２０は、図１２のステップ１２２６及び１２２７に示されているように、勝者を選択して賞品を配送するために、データ格納センタ１９５を使用する。ステップ２００１において、プロセスは、「開始」ボタンで開始される。ステップ２００５において、ＴＰＲのデータ管理センタ１９５は、（ゲームプレー中に登録された人の）登録情報を格納し、ＤＣＳ１９６は、デーリー氏、デーリー夫人、マイクを含むすべての登録済みの消費者１１０の応答情報を格納する。ステップ２０１０において、可能性のある勝者及び補欠勝者が、ＤＣＳ１９６内に格納された質問１８２０ａに対するすべての正解から無作為選択及び抽出される。マイクは、５０人の勝者の一人として選択され、デーリー夫人は、５０人の補欠勝者の第一番目の人として選択される。ＴＰＲは、すべての５０人の勝者に連絡をとることにより、確認プロセスを開始する。ステップ２０２０において、各勝者の資格が認められ、各勝者が確認されると、ステップ２０３５において、確認された勝者のリストに名前が追加され、勝者カウンタが増える。最終的に、ＴＰＲは、ステップ２０１０において、マイクに連絡をとって、ステップ２０２０において、ＣＲＡＶ  ＩＤ、登録情報及び応答情報を確認する。マイクの登録情報に偽りがあったため（登録時に６０歳と答えていたが、実際は２５歳）、失格となる。これは、ＡＢＳプロモーションの規則に従った勝利条件として、偽りのない解答が要求されるためである。潜在的に間違った情報又は紛らわしい情報をなくすために、データ格納センタ１９５からマイクのデータもすべて取り除かれる。これは、データベースの完全性を維持するために行なわれる。ステップ２０２０によれば、マイクの情報が正しくないため、ステップ２０２５に示されているように、リストの一番上にいる最初の補欠勝者が選択される。デーリー夫人が最初の補欠勝者であるため、ステップ２０２５において、彼女の情報が確認される。デーリー夫人の没頭確認質問が正確であり、ステップ２０３１において、人口統計学的データが正確であることが証明され確認されたため、確認された勝者として選択され、ステップ２０３２において、リストに追加される。
【０１００】
ステップ２０３５において、５０人の勝者すべてが選択され確認されると、プロセスは、ステップ２０４０に進み、ＴＰＲは、デーリー夫人を含むすべての勝者の身元に関する情報をＡＢＳに送る。ステップ２０４０において、ＡＢＳ及びＡＣＭＥは、デーリー夫人を含むすべての勝者の名前を共同で公表する。ステップ２０４０において、ＴＰＲからＡＢＳに渡される情報には、ＡＣＭＥ及び世論調査会社用の質問に対する消費者のすべて応答に関する人口統計学的情報を含む記録が含まれ、ＡＢＳは、ＡＣＭ又は世論統計を獲得するためのＡＢＳと契約を結んだ調査組織にこれを渡すように決めてよい。この記録は、登録及び応答データから生じ、データが引き出される。この情報は、５５３万２千人の女性消費者１１０、平均年収が＄７５，０００を超える家庭の５３４，４６１人のものを示す統計を含む。また、この情報は、これらのうち、６．５％がフロリダ州に居住し、５０歳を超え、３．４４３％が６ヶ月以内に車を購入する予定があり、５．２％が大都市圏のＮＹＣエリアに住み、０．８４２９％が６ヶ月以内に新車を購入する予定があることを示す。また、この統計は、全年齢群及び全職業にわたって、フランク・マッジオが、一般投票の５９．８％のシェアで２００８年の大統領として選出されるであろうことを示している。
【０１０１】
ステップ２０４５において、ＴＰＲは、デーリー夫人及び他の勝者にコンバーチブルを送る。プロセスは、ステップ２０９９において終了する。
【０１０２】
（他の応用）
上記記載は、放送ＴＶ１２０、ケーブルＴＶ１３５、衛星ＴＶ１４０、プライベートネットワーク１２５、他のネットワーク１４１及び配信インターネット１３０などの視覚的なマスメディア放送技術に理想的に適しているが、ラジオなどの音声のみの技術、雑誌又は新聞広告などの視覚のみの放送媒体を使用して、別のマスメディアチャンネルにおいて利用されてもよい。ＣＲＡＶ  Ａｄは、複雑かつ高度の開発されたコンピュータデバイス１１１を用いるか、単純に電話１４５を使用して解答されてよい。当業者であれば、本発明は、任意の放送媒体及び応答媒体を用いて実施されてよいことを認識するであろう。
【０１０３】
ＣＲＡＶシステムおよび方法は、いかなるマスメディア放送ネットワーク１０５全体においても利用されることができる。例えば、マスメディアの放送ネットワーク１０５は、テレビ、ケーブル、衛星、ラジオ、アウトドアメディア（ビルボード、サイン、バス）、印刷メディア（新聞、雑誌）、ダイレクトメール、インターネット、または、プライベートネットワークと同様に、他の放送ネットワークを含むことができる。
【０１０４】
プライベートネットワークは、ＴｉＶｏＲ．（登録商標）のようなパーソナル記録デバイスに接続されるデバイスをネットワークを含むことができる。
【０１０５】
更に、多数のマスメディア放送ネットワーク１０５が収束して一緒に利用されるときに、ＣＲＡＶ  Ａｄの領域および効果を広げることができる。
【０１０６】
（ラジオ）
ラジオ番組は電波やインターネットを介して配信される。テレビ産業と同様にラジオ局が得る広告収入によって、コンテンツ（音楽やニュースやスポーツ等）のコストや製作コストだけでなく、人件費や販売促進費などの間接経費が埋め合わされる。テレビと同様に広告や広告ポッドはコンテンツのセグメント間に埋め込まれる。消費者は、チャンネルを切り換えて他の形態の娯楽（例えば、ＣＤやＤＶＤやテレビ等）を聞いたり、ラジオを切ることによってラジオ広告を避ける傾向がある。
【０１０７】
ラジオ番組のセグメント内の一ＣＲＡＶの広告、即ち、ＣＲＡＶ広告ポッドを放送することができる。番組内の一部もしくは全てがＣＲＡＶ広告であってもよい。ＣＲＡＶ広告に「警告」音や特定の警告文言を入れて、気をひいてもよい。番組や番組セグメントの最初に、あるいは、一つの広告、即ち、一つの広告ポッドの最初や最後に警告を配置することができる。広告（オーディオ「ビネット」）の放送後に、聴取者にログイン命令を与えることができる。この命令によって、電話機や携帯電話を介して没頭度を確認することを勧めることができる。さらに、この命令によって、応答デバイス１１１のうちのいずれかを介して没頭度を確認するように示唆することができる。従って、消費者は、応答デバイス１１１を介して登録したり、没頭度確認質問やその他の質問に対する応答を提供することができる。ＣＲＡＶ広告前もしくは後に質問を放送することができる。また、デバイス１１１を利用した質問応答の双方向通信プロセス中に、サービスプロバイダ１１２が提供するネットワークを介して質問を提供することもできる。
【０１０８】
プロモータは、複数の質問を与えて不正行為をやりにくくすることを望むことがある。例えば、不正行為の中には、消費者がコンテンツを学習して次のプレーヤーに質問と回答を与えることがある。また、プロモータは、双方向通信可能期間を制限したいと望むことがある。没頭度確認質問だけでなく、その他の質問が含まれていてもよい。例えば、テレビを利用するＣＲＡＶ広告の場合と同様に、その他の質問には、スポンサー考案の質問や投票形式の質問や人口統計情報に関する質問等が含まれていてもよい。
【０１０９】
上述したテレビ産業界でＣＲＡＶ広告を利用する態様はラジオ産業を反映したものである。これらの態様には、ＣＲＡＶプレーヤーの先行プロモーションと登録、ＣＲＡＶ  ＩＤ番号の割当て、調査、実際に重要であると評価して賞を与える態様が含まれる。プロモータが販売価格やＣＲＡＶ広告コストを決定するために利用する方法、分析、販売技術でも類似性が認められることはもとより、従来技術で実施されたこれらの態様によれば、ラジオ放送産業とテレビ放送産業の間で類似性が認められる。
【０１１０】
（プリントメディア：本／雑誌／新聞）
本や雑誌や新聞は、自動販売機やプリント物販売店から購買者に配布される。さらに、これらのプリント物のオンライン版はインターネットを介して配信される。電波放送マスメディア（例えば、テレビやラジオ）のコストは時間に依存する。即ち、ラジオやテレビのコンテンツのコストは時間単位で計算され、広告単位は時間単位で販売される。一方、印刷マスメディアのコンテンツのコストは、印刷ページ上の広告サイズのようなスペースに依存する。印刷ページが多ければ多いほど、プリント物のコストは高くなる。
【０１１１】
プリントメディアから得られる広告収入によって、用紙コスト、印刷コスト、配布コスト、書面と写真コンテンツの開発と製作コスト、人件費や販売促進コストなどの間接経費が埋め合わされる。サイズの違う広告をコンテンツのセグメント間もしくはプリントメディアのセクション間に埋め込むことができる。消費者は、広告を無視したり、広告周囲の記事を読んだり、ページをめくったり、文章を読むのをやめたりして、印刷広告を避ける傾向がある。
【０１１２】
印刷コンテンツのセグメント内とセグメント間にサイズの異なるＣＲＡＶ広告を印刷したり、割当てることができる。広告に警告マークや警告ロゴを含ませて、気を引くこともできる。さらに、印刷された特定の命令を広告内に与えることによって、気を引くこともできる。また、インターネットを介して配信される雑誌（電子雑誌やインタネット上のミニコミ）や新聞には、音声のもしくは視覚的な警告があってもよい。印刷広告のうちの一つに警告ロゴを入れることによって、その個々の広告のコンテンツに気を引かせることができる。また、複数の広告に警告ロゴを入れることによって、広告の一セクション、もしくは、そのセクション内にある広告のうちの一つに対するコンテンツに気を引かせることができる。複数の広告は一つの印刷広告ポッドを備えていてもよい。
【０１１３】
プリントメディア広告を見た後、消費者は、各種応答デバイス１１１を介して登録したり、質問に対して応答することができる。実施形態によれば、没頭度確認質問を広告に印刷したり、印刷出版物内のどこか別のところに隠したり、応答デバイス１１１を介して質問双方向通信／応答プロセス中に限って提供することができる。双方向通信／応答プロセス中に質問を提供して、質問に対して迅速に回答できるように広告の記憶を要求することによって、没頭度を高めることができる。
【０１１４】
上述したように、プロモータは、複数の質問を提供して、不正行為をよりやりにくくしたいと望むことがある。プロモータは、消費者による広告との双方向通信を１回だけ許すことによって、本気に適切にプレイしたいという願望を高めることができ、また没頭度の尤度と有効性を高めることができる。広告を次に見られないようにするために、プロモータは、双方向通信期間を制限する、即ち、アナウンスしたタイムフレーム内に限り双方向通信／没頭度確認を許してもよい。従って、消費者は記憶に基づき正確かつタイムリーに質問に対して回答することができる。没頭度確認質問だけでなく、その他の質問が含まれていてもよい。例えば、その他の質問には、スポンサーが考案した質問や、投票形式の質問や、人口統計情報に関する質問等が含まれていてもよい。
【０１１５】
上述したテレビ産業を利用したＣＲＡＶ広告の大部分の態様は、マスメディア印刷産業を反映したものである。例えば、これらの態様には、ＣＲＡＶプレーヤーの先行プロモーションと登録、ＣＲＡＶ  ＩＤ番号の割り当て、調査、実際に重要であると評価して賞を与える態様が含まれる。印刷産業と比較すると、従来技術で実施されたこれらの態様に関してラジオ放送産業とテレビ放送産業の間で類似性が認められる。プロモータが販売価格やＣＲＡＶ広告コストを決定するために利用する方法、分析、販売技術でも類似性が認められる。
【０１１６】
（アウトドアメディア）
アウトドアメディアとしては、広告板や、建物上あるいは建物内部の定置看板や、タクシーやバスや飛行機のバナー広告や、小型飛行船上の移動看板が挙げられる。アウトドアマスメディア広告は、短期間で確実に通行中の消費者の気を引くことができる。アウトドアメディアを作成するために、プロモータは、広告板「ラップ（wraps）」や、タクシーのプリントカード挿絵などのプリント物、掲示板や建物に直接描画したもの、もしくは、電子広告板を利用する。電子広告板には、広告メッセージや娯楽コンテンツ、例えば、ニュースヘッドラインやスポーツヘッドライン等を表示してもよい。しかしながら、ほとんどのアウトドアメディアには広告メッセージが含まれているが、従来のコンテンツはあまり含まれていない。
【０１１７】
アウトドアメディアのプロモータが得られる広告収入によって、文書／写真コンテンツの開発および製作費、用紙コスト、プリントコスト、描画コスト、配布コスト、取り付けコスト、材料費、間接経費、レンタル料、さらに、広告板の所有者やタクシーや広告施設の所有者から請求されるその他の料金が埋め合わされる。消費者は、無視したり視線をそらすことでアウトドアメディア広告を避ける傾向がある。
【０１１８】
ＣＲＡＶのアウトドアマスメディア広告は、気を引くためにアウトドアメディア広告上に視覚的「警告」マークやロゴを備えていてもよい。もしくは、アウトドアメディア広告に可聴音を入れて気を引いてもよい。可聴音は、電波を介して提供したり、アウトドアメディアアイテム自体から発することができる。また、アウトドアメディアＣＲＡＶ広告はログイン命令を提供することができるので、消費者は各種応答デバイス１１１を介して双方向通信を行って、登録したり、質問に対する応答を返すことができる。没頭度確認質問は、アウトドアメディア広告上にプリントすることができる。また、応答デバイス１１１を介して、質問双方向通信／応答プロセス中に没頭度確認質問を提供することができる。
【０１１９】
上述したように、プロモータは複数の質問を提供して、不正行為をやりにくくしたいと望むことがある。プロモータは、消費者による広告との双方向通信を１回だけ許すことによって、本気に適切にプレイしたいという願望を高めることができ、また没頭度の尤度と有効性を高めることができる。プロモータは、次の広告が見られないように、双方向通信用の期間を制限する、即ち、アナウンスされたタイムフレーム内に限り双方向通信と没頭度確認を許可することができる。従って、消費者は、記憶に基づいて正確かつタイムリーに質問に対して回答することができる。没頭度確認質問だけでなく、その他の質問が含まれていてもよい。例えば、その他の質問には、スポンサー考案の質問や、投票形式の質問や、人口統計情報に関する質問等が含まれていてもよい。
【０１２０】
上述したテレビ産業を利用したＣＲＡＶ広告の態様はアウトドアメディア産業を反映したものである。例えば、それらの態様には、ＣＲＡＶプレーヤーの先行プロモーションと登録（広告板のプロモータは、「将来のＣＲＡＶ広告用スペースに注目してください」と通行人に通知することができる）、登録済みプレーヤーに対するＣＲＡＶ  ＩＤ番号の割り当て、登録と質問に対する応答の調査、実際に重要であると評価して賞を与える態様が含まれる。アウトドアメディアと比較すると、従来技術で実施されたこれらの態様に関してラジオ放送産業とテレビ放送産業の間で類似性が認められる。また、プロモータが販売価格やアウトドアＣＲＡＶ広告コストを決定するために利用する方法、分析、販売技術でも類似性が認められる。
【０１２１】
（ダイレクトメール）
ダイレクトメールは、消費者がそれを開いているときに確実に消費者の注意をひくことができる。ダイレクトメールのプロモータの多くは、プリント物（封筒、プリント広告チラシ、パンフレット、割引券等）を利用し、それらの広告の実質的な配布コストを負担することになる。アウトドアメディアと同様に、大抵のダイレクトメール媒体には従来のコンテンツはあまり含まれておらず、通常、広告メッセージが中心となっている。しかしながら、ある面では、ダイレクトメールのプロモータはプリントメディア産業でのコスト構造の多くに対峙している。何故ならば、コストは、放送時間ではなくスペースによって決まるからである。
【０１２２】
ダイレクトメールのプロモータは、一枚の広告ビラを郵送したり、複数の広告ビラをマスメーリングリストに基づいて郵送して、料金別納郵便料金程度の節約をすることができる。１つの封筒に複数の郵便物が入っている場合（ダイレクトメール版の広告「ポッド」）、配布コストは複数の広告主が分担することによって、折り込み広告ごとのコストを削減する。ダイレクトメール媒体によって集められた広告収入によって、用紙コスト、プリントコスト、配布コストと郵便料、出荷コスト、間接経費、文書／写真コンテンツの開発および製作コストが埋め合わされる。消費者は、受け取った郵便物を仕分けして、ときには開封前に破棄したりして、ダイレクトメール媒体を避ける傾向がある。
【０１２３】
ＣＲＡＶ版ダイレクトメール広告は、封筒や折り込み広告自体に視覚的な警告マークやロゴが含まれていてもよい。プリントされた１つの折り込み広告に警告ロゴを付して、個々のＣＲＡＶ広告に気を引かせることができる。また、複数の折り込み広告（ダイレクトメール広告ポッド）の場合は、全ての折り込み広告に警告を付して気を引くこともできる。ＣＲＡＶ封筒、即ち、ＣＲＡＶ広告によって、プリントされたログイン命令を提供することによって、各種応答デバイス１１１を介して容易に双方向通信することが可能となる。従って、消費者は、応答デバイス１１１を介して登録したり、質問に対する応答を返すことができる。また、没頭度確認質問を封筒や折り込み広告にプリントすることもできる。また、質問応答／双方向通信プロセス中に質問を提供することもできる。
【０１２４】
上述したように、プロモータは、複数の質問を提供して不正行為をやりにくくしたいと望むことがある。プロモータは、消費者による広告との双方向通信を１回だけ許すことによって、本気に適切にプレイしたいという願望を高めることができ、また没頭度の尤度と有効性を高めることができる。プロモータは、次の広告が見られないように、双方向通信用の期間を制限する、即ち、アナウンスされたタイムフレーム内に限って双方向通信と没頭度確認を許可することができる。従って、消費者は、記憶に基づいて正確かつタイムリーに質問に対して回答することができる。没頭度確認質問だけでなく、その他の質問が含まれていてもよい。例えば、その他の質問には、スポンサー考案の質問や、投票形式の質問や、人口統計情報に関する質問等が含まれていてもよい。
【０１２５】
上述したテレビ産業を利用したＣＲＡＶ広告の態様はダイレクトメール産業を反映したものである。例えば、それらの態様には、ＣＲＡＶプレーヤーの先行プロモーションと登録（最初の郵便物によって、レシピエントに対して、将来の郵便物によってＣＲＡＶロゴが提供されたり事前登録がなされることを通知することができる）、登録済みプレーヤーに対するＣＲＡＶ  ＩＤ番号の割り当て、登録と質問に対する応答の調査、実際に重要であると評価して賞を与える態様が含まれる。ダイレクトメール媒体産業と比較すると、従来技術で実施されたこれらの態様に関してラジオ放送産業とテレビ放送産業の間で類似性が認められる。プロモータが販売価格やダイレクトメールＣＲＡＶ広告コストを決定するために利用する方法、分析、販売技術でも類似性が認められる。
【０１２６】
（インターネット）
インターネットを介したＣＲＡＶ広告の大量配布は複数の形態で行うことができ、その各々は他のマスメディアの態様を共有することができる。また、インターネットのおかげで、プロモータは、近代的なマスメディアとの関連のうすい特定のコストを抑えることができる。例えば、インターネットのプロモータは、「同報通信電子メール広告」を作成することができる。このような広告では、プロモータは、電子メールアドレスリストに基づいて電子メールを大量配信して、材料費や送料を負担せずにダイレクトメールキャンペーンを模擬することができる。
【０１２７】
インターネットのプロモータは、テレビやラジオで放送されるコンテンツと埋め込み広告、もしくは、単に広告そのもののビデオ版を消費者に対して「ストリーミング」することができる。「リクエストされたストリーム化インターネット広告」では、リクエストに基づいて、プロモータはコンテンツを消費者に対してストリーミングすることができる。「同時通信放送広告」では、プロモータは、テレビやラジオで放送されるコンテンツと埋め込み広告の同時通信放送版をストリーミングすることができ、それらはウェブサイトから大量配信される。オーディオ／ビデオ送信の例では、プロモータは帯域コストを負担する。これは、ストリーミング広告あるいはストリーミングＣＲＡＶ広告を消費者に送るために、広告主に支払うコストを計算する場合には必ず考慮しなければならないものである。
【０１２８】
プリント物の配布者の中には、「インターネットを反映した表示広告」を提供するものもある。例えば、新聞配布者は、オンライン版のプリント物をウェブサイトに提供することができる。インターネット版のプリント物を利用する消費者は、新聞に含まれるコンテンツや広告をウェブサイト上で見ることができる。それらのインターネットを反映した表示広告は、上述したプリントメディア広告と同様のものである。
【０１２９】
また、インターネットのプロモータは、インターネット広告の手段として「マスメディアバナー広告」を利用する。プロモータは、広告主を消費者に直接結びつけることなく、また、対象を決めることなくマスメディアのウェブサイト上に常に広告を載せることによって、ＣＲＡＶマスメディアバナー広告を作成することができる。ＣＲＡＶバナー広告には警告が含まれていてもよく、また、登録して広告のコンテンツに対する没頭度を検証する消費者の一部に実質的な報酬を与えてもよい。これらのＣＲＡＶ広告は、特定の基準を満たす消費者だけに表示される特定対象向けインターネット広告とは異なるものである。
【０１３０】
消費者は、広告を含むブラウザウィンドウを閉じてインターネット広告を避けたり、全体的に広告から構成されているウェブサイトを避ける傾向がある。しかしながら、インターネットＣＲＡＶ広告によって消費者の注意を広告にひきつけることによって、こういった消費者の傾向を克服することができる。上述したインターネット広告の各々には、広告自体に警告／没頭度確認プロセスを組み込むことによってＣＲＡＶ広告が含まれていてもよい。リクエストされたストリームや同時通信放送やインターネットを反映した表示やマスメディアバナー放送による複数のＣＲＡＶ広告には広告「ポッド」が含まれていてもよいので、ポッド内の１つ以上の広告に関する没頭度確認質問を与えることができる。ＣＲＡＶ広告に警告ロゴや警告音や特定の警告文言を含ませて気を引くことができる。
【０１３１】
ストリーミング広告や表示広告やビデオ／オーディオビネット付きバナー広告の放送後に、消費者にはログイン命令が提供され、通常、没頭度の確認のためにインターネットを介してログインするように示唆されるが、その他の応答デバイス１１１から利用することもできる。従って、消費者は、応答デバイス１１１を介して登録したり、没頭度確認質問に対する応答を返すことができる。また、ビネットに続いて、ＣＲＡＶ広告前もしくは後に質問を配信することができる。また、質問応答／双方向通信プロセス中にデバイス１１１を用いて、サービスプロバイダ１１２が提供するネットワークを介して質問を提供することもできる。
【０１３２】
上述したように、プロモータは複数の質問を提供して、不正行為をやりにくくしたいと望むことがある。プロモータは、消費者による広告との双方向通信を１回だけ許すことによって、本気に適切にプレイしたいという願望を高めることができ、また没頭度の尤度と有効性を高めることができる。プロモータは、次の広告が見られないように、双方向通信用の期間を制限する、即ち、アナウンスされたタイムフレーム内に限って双方向通信と没頭度確認を許可することができる。従って、消費者は、記憶に基づいて正確かつタイムリーに質問に対して回答することができる。没頭度確認質問だけでなく、その他の質問が含まれていてもよい。例えば、その他の質問には、スポンサー考案の質問や、投票形式の質問や、人口統計情報に関する質問等が含まれていてもよい。
【０１３３】
上述したテレビ産業を利用したＣＲＡＶ広告の態様は、インターネットを介したＣＲＡＶ広告を反映したものである。これらの態様には、ＣＲＡＶプレーヤーの先行プロモーションと登録、ＣＲＡＶ  ＩＤ番号の割り当て、調査や、実際に重要であると評価して賞を与える態様が含まれる。従来技術で実施されたこれらの態様に関してインターネット産業とテレビ放送産業の間で類似性が認められる。さらに、プロモータが販売価格やＣＲＡＶ広告コストを決定するために利用する方法、分析、販売技術でも類似性が認められる。
【０１３４】
（プライベートネットワーク）
プライベートネットワークは、全マスメディア産業に存在している可能性がある。例えば、プライベートネットワークには、メーリングリスト（米国郵便サービス配送ネットワークを介した郵便物の配布）や、雑誌予約購読リスト、電子メールアドレス配信リスト、購買者への録音配信（Ｍｕｚａｋ等）、バーやレストラン内にある双方向通信デバイスに接続された放送コンテンツの接続ネットワーク（ＮＴＮ等）、ケーブルシステムを介して即時応答サーバー上のビデオに接続している消費者、パーソナルビデオレコーダネットワークの所有者が含まれる。
【０１３５】
プライベートネットワークを介してＣＲＡＶ広告をマスメディア放送する場合、プライベートネットワークには、ネットワーク全体にコスト効率よく広告を配信する（つまり放送する）機能が必要とされる。この放送は、人口統計情報などの対象のプロフィールに基づいてプライベートネットワークに接続している消費者のセグメントに対してインタラクティブ広告を放送することもある対象メディアとは異なるものである。
【０１３６】
一般的に、プライベートネットワークを介して配信される広告に対して、その産業界にある同じ消費者回避方法（つまり、ページをめくることによってプリント広告が避けられる）が利用される。同様に、同じＣＲＡＶ広告の公共ネットワーク版と同様に、ＣＲＡＶ広告をプライベートネットワークを介して行うことによって没頭度を高めることができる。
【０１３７】
（収束）
ＣＲＡＶ広告の有効性を高めるために、一収束範囲（コンバージェンス：convergence）内の複数のメディアにＣＲＡＶ広告を放送する（クロスメディア放送）ことができる。例えば、プロモータは、ラジオやテレビやインターネットやプリント物によって、新車に関する同一のメッセージを含むＣＲＡＶ広告を配信することができる。これらの広告は、複数のメディアの形態で、同時にもしくは時間を変えて提供される。各メディアの制約事項に基づくものであれば、広告の外観は異っていてもよいが、没頭度確認質問は全メディアについて共通のものであってもよい。
【０１３８】
図２１は、本発明の一実施形態に係るマスメディアフォーマットの収束範囲２１００に放送されるＣＲＡＶ広告を示す。図に示すように、プロモータは、放送ネットワーク１０５のうちの二つ以上のものを介して、ＣＲＡＶ広告、即ち、ＣＲＡＶ広告ポッドを消費者１１０に放送することができる。ＣＲＡＶ広告、即ち、ＣＲＡＶ広告ポッドは、複数の放送ネットワーク１０５を介して同時に、もしくは、個別に放送することができる。消費者１１０は、ＣＲＡＶ広告、即ち、ＣＲＡＶ広告ポッドから選択されたコンテンツの一部に関する没頭度確認質問に応答することによって、ＣＲＡＶ広告、即ち、ＣＲＡＶ広告ポッドに反応することができる。消費者１１０は、１つ以上の応答デバイス１１１を介して質問に対して応答することができる。複数の放送ネットワーク１０５のうちの１つ以上のものを介して質問を提供することができる。また、応答デバイス１１１を介して質問を提供することもできる。応答デバイス１１１は、それぞれのサービスプロバイダ１１２を介して消費者の質問に対する応答をデータ記憶センター１９５に送る。質問に対して正確に応答した消費者には報奨を与えることができる。
【０１３９】
一実施形態によれば、プロモータや広告主は、全メディアに渡る複数のＣＲＡＶ広告を束にし、各メディアによって個別に、あるいは、メディアのうちの１つ（例えば、テレビ）に提供される命令によって双方向通信プロセスを開始させることができる。一実施形態によれば、一つのメディアは、他のメディアのＣＲＡＶ広告に正確に答える際にＣＲＡＶプレーヤーを支援するための「ヒント」を提供することができる。例えば、地方紙はＣＲＡＶロゴを載せた広告を発行することがある。その広告は、同じ広告主がスポンサーとなっていて放映されるＣＲＡＶ広告が夕方の特定のタイムフレームに特定のテレビネットワークを介してＣＲＡＶ広告ポッドで放送されることを説明するものである。一実施形態によれば、没頭度の確認は、ＣＲＡＶ広告の放映後に限って可能であってもよい。質問は放送されてもよいし、元の広告に入れてもよいし、応答／双方向通信プロセス中に提供されてもよい。従って、プリント広告のＣＲＡＶロゴによって、将来放映されるＣＲＡＶ広告のテレビ視聴者に対して、示されているＣＲＡＶ広告ポッドの中のどの広告が没頭度質問の適用対象であるかについてヒントを与えることができる。この収束方法は、ラジオを介して、もしくは、ラジオとプリント物とテレビと適時のダイレクトメールとプライベートネットワークとその他の放送メディアの連携によって実施することができる。さらに、「外した」ＣＲＡＶ広告を、各種のマスメディアフォーマットで様々な部分に配信することができる。
【０１４０】
別の収束の一態様は、高解像度信号を介して提供される帯域の利用である。この帯域は、データやインターネットやラジオやテレビ放送されるコンテンツを含む複数の信号に分割可能である。複数のチャンネルでこの帯域を利用することによって、通常の、もしくは、高解像度のテレビやラジオによるＣＲＡＶ広告の配信が可能である。また、没頭度確認質問が入ったインターネットコンテンツを提供することも可能である。同様に、インターネット信号には、ＣＲＡＶ広告（ストリーム、表示、ビデオ／オーディオビネットのバナー）が含まれていることがある。上述したように、インターネットＣＲＡＶ広告では、市場にあるその他のクロスメディアＣＲＡＶ広告と同じ没頭度確認質問を利用することができる。さらに、複数のメディアフォーマットによって、放映予定のポッド内のどの広告、もしくは、どの複数の広告に関する没頭度を確認するかということについて、放映されるＣＲＡＶ広告の視聴者にヒントを与えることができる。  
収束の別の一例としては、テレビ放送用セットトップボックスやプライベートビデオレコーダ（「ＰＶＲ」）から送られるデータを提供する「バックチャンネル」技術がある。セットトップボックスとＰＶＲは、衛星ネットワークやケーブルネットワークを介して放送コンテンツ信号を受信し、モニタにその信号を表示する。モニタはテレビを備えていてもよい。消費者は、セットトップボックスやＰＶＲのバックチャンネルにアクセスして、セットトップボックスやＰＶＲからサードパーティにデータを送る。このバックチャンネル信号は第二の信号源から送られてもよい。第二の信号源には、ブロードバンド／ダイヤルアップインターネットアクセス、電話機、ケーブル、衛星が含まれていてもよい。また、バックチャンネル信号は２ウェイ通信を提供することもできる。従って、セットトップボックスやＰＶＲのバックチャンネル機能を利用することによって、没頭度の確認や登録や応答／双方向通信を実行することができる。
【０１４１】
セットトップボックスとＰＶＲの場合、収束範囲の複数のマスメディアフォーマットでＣＲＡＶ広告（あるいはＣＲＡＶ広告要素）を消費者に送ることができる。例えば、テレビ放送を介して警告とビネットを送ることができる一方で、没頭度確認質問と双方向通信要素をインターネットを介して配信することができる。
【０１４２】
一実施形態によれば、消費者は、ＣＲＡＶ広告を見ながらセットトップボックス、ＰＶＲ、もしくは、リモートコントローラのボタンを押下して、第二のＣＲＡＶ広告を開くことができる。第二のＣＲＡＶ広告には、表示広告やフルモーションビデオが含まれていてもよく、また、放送中のＣＲＡＶ広告の要素と同じ、即ち、全ての要素を提供することができる。この一実施形態によれば、消費者はセカンドブランドのＣＲＡＶ広告に接することができる。
【０１４３】
本発明がマスメディア放送ネットワークに適用され、新たな種類の配送テクノロジをコンテンツやＣＲＡＶ広告を含む広告を配信するための新たなマスメディアプラットフォームとして利用できることは、当業者であれば理解できる。これらの将来のメディアは、ＣＲＡＶ広告配信／双方向通信システムの一部を構成し、上述したクロスメディア収束方法で利用される。
【０１４４】
（双方向通信リモート質問応答デバイス）
図２２は、遠隔から放送コンテンツと双方向通信する本発明の一実施形態に係るシステム２２００を示すブロック図である。図２２に示すように、放送ネットワーク１０５は、放送コンテンツ２２０３を放送受信機２２０５に対して放送する。一実施形態では、放送ネットワーク１０５はテレビ放送ネットワーク１２０を備え、また、放送受信機２２０５はレシピエント（消費者１１０）のテレビを備える。別の一実施形態では、放送ネットワーク１０５はケーブルネットワーク１３５を備え、放送受信機２２０５は、ケーブルから直接入力するテレビか、もしくは、ケーブルから入力してテレビに放送コンテンツ２２０３を送るケーブルチューナー用セットトップボックスのいずれか一方を備える。別の一実施形態では、放送ネットワーク１０５は衛星ネットワーク１４０を備え、放送受信機２２０５は、放送コンテンツ２２０３を受信してテレビに送る衛星受信機を備える。その他の実施形態では、放送ネットワーク１０５はラジオ放送ネットワークを備え、放送受信機２２０５はラジオ受信機を備えていてもよい。また、放送ネットワーク１０５はサーバー通信用ストリーミングオーディオ／ビデオを備え、放送受信機２２０５は、インターネット等の分散コンピュータネットワークを介してサーバーに接続するパーソナルコンピュータを備えていてもよい。その他の放送ネットワークや受信機も本発明の範囲内にある。
【０１４５】
サーバーコンピュータ２２３０は、分散コンピュータネットワークを介してクライアントコンピュータ２２２０に質問を送る。質問には、放送コンテンツ２２０３から選択された一部分に関する質問が含まれている。図２２に示すように、ネットワークはインターネット２２２５を備えていてもよい。実施形態では、クライアントコンピュータ２２２０は、パーソナルコンピュータやラップトップコンピュータやパーソナルデジタルアシスタント（ＰＤＡ）を備えていてもよい。その他の実施形態では、クライアントコンピュータ２２２０は、ケーブルもしくは衛星向けのセットトップボックス、ビデオカセットレコーダ、もしくは、パーソナルビデオレコーダ（ＰＶＲ）を備えていてもよい。さらに、これらの実施形態では、クライアントコンピュータ２２２０は放送受信機２２０５を備えていてもよい。
【０１４６】
クライアントコンピュータ２２２０は、クライアント送信機／受信機２２１５に質問を送る。クライアント送信機／受信機２２１５は、双方向通信リモート質問応答デバイスを備える双方向通信リモートコントローラ２２１０にインタラクティブ通信信号２２１７を送信する。インタラクティブ通信信号２２１７には、サーバーコンピュータ２２３０から受信した質問が含まれていてもよい。また、インタラクティブ通信信号２２１７には、（以下で議論する）同期信号２２０４やその他の情報が含まれていてもよい。
【０１４７】
一実施形態では、クライアント送信機／受信機２２１５はクライアントコンピュータ２２２０に組み込まれた一構成要素であってもよい。別の一実施形態では、クライアント送信機／受信機２２１５は、クライアントコンピュータ２２２０に接続された別個の構成要素であってもよい。クライアント送信機／受信機２２１５は、送信と受信の両機能を実行する単体の構成要素であってもよい。もしくは、クライアント送信機／受信機２２１５は、送信および受信機能をそれぞれ実行する個別の構成要素であってもよい。例えば、ＰＣを使う場合は、クライアントコンピュータ２２２０をクライアント送信機／受信機２２１５に接続するには、クライアントコンピュータ２２２０のＵＳＢ、シリアルポート、または、その他のポートを利用したり、カードスロットに挿入されたカードを利用したり、クライアントコンピュータ２２２０に接続されたイーサネットを介して接続することができる。本明細書全体を通して「クライアント送信機／受信機」２２１５は上述の実施形態に適用されるものである。
【０１４８】
双方向通信リモートコントローラ２２１０はインタラクティブ通信信号２２１７を受信し、双方向通信リモートコントローラ２２１０を操作するレシピエントに質問を提供する。図２２と図２３を参照して、双方向通信リモートコントローラ２２１０について説明する。図２３は、本発明の一実施形態に係る双方向通信リモートコントローラ２２１０を示すブロック図である。
【０１４９】
放送コンテンツ２２０３のレシピエントは双方向リモートコントローラ２２１０を利用して、放送コンテンツ２２０３を提供する局のチャンネルに放送受信機２２０５をチューニングすることができる。一実施形態では、レシピエントは、チャンネル制御キーパッド２３１０などの入力装置からリモートコントローラ２２１０のプロセッサ２３０４に局のチャンネルを入力することができる。プロセッサ２３０４は、放送受信機２２０５を局のチャンネルにチューニングする命令を含むチャンネル制御信号２２１２を生成する。そして、チャンネル制御送信機２３１２がチャンネル制御信号２２１２を放送受信機２２０５に送信することによって、放送受信機２２０５を局のチャンネルにチューニングすることができる。
【０１５０】
チャンネル制御キーパッド２３１０によって、双方向通信リモートコントローラ２２１０は、テレビやその他のマルチメディア装置に対する遠隔制御機能を実行することができる。マルチメディア装置は、ケーブルボックス、デジタル衛星向けセットトップボックス、ＰＶＲコントローラ、オーディオ受信機／増幅器コントローラを備えていてもよい。双方向通信リモートコントローラ２２１０は、製造工程でメモリ（不図示）に格納される多くのデバイス制御コードをもつ「ユニバーサルリモコン」を備えていてもよい。また、双方向通信リモートコントローラ２２１０は遠隔制御機能を学習することによって、「学習機能付きリモコン」で使われる従来技術を利用することができる。また、双方向通信リモートコントローラ２２１０は、インターネットから遠隔制御コードをダウンロードし、メモリに格納することもできるので、レシピエントは、新しいハードウェアを自宅に追加する際にコードを容易に更新することができる。
【０１５１】
双方向通信送信機／受信機２３０２は、クライアント送信機／受信機２２１５から送信されたインタラクティブ通信信号２２１７を受信してプロセッサ２３０４に送る。プロセッサ２３０４は、インタラクティブ通信信号２２１７から質問を解析し、ディスプレイ２３０６にその質問を表示する。実施形態では、ディスプレイ２３０６は、バックライト付きの、もしくは、バックライト無しのＬＥＤディスプレイ、あるいは、ＬＣＤディスプレイを備えている。また、ディスプレイ２３０６は、ＰＤＡやラップトップコンピュータと同様の設計と仕様のフルカラービジュアルアクティブマトリックスディスプレイを備えていてもよい。ディスプレイのサイズと所要電力は、双方向通信リモートコントローラ２２１０の所要電力、バッテリ仕様、バッテリの予想寿命に影響を及ぼす。
【０１５２】
クライアント送信機／受信機２２１５は、各双方向通信リモートコントローラ２２１０のユニークな媒体アクセス制御（「ＭＡＣ」）アドレスを参照することによって、一つの場所の範囲内で、複数の双方向通信リモートコントローラ２２１０と双方向通信することができる。本実施形態によれば、クライアントコンピュータ２２２０は、ＭＡＣアドレスを認識することによって、どの双方向通信リモートコントローラ２２１０であるか、また、間接的にどのレシピエントと双方向通信しているかを判定することができる。また、クライアント送信機／受信機２２１５は、許容範囲内にある双方向通信リモートコントローラ２２１０が受信可能な包括的インタラクティブ通信信号２２１２を送信することができる。
【０１５３】
クライアント送信機／受信機２２１５と双方向通信送信機／受信機２３０２間では、チャンネル制御送信機２３１２が利用するものと同じか、もしくは、異なるフォーマットで信号を送ることができる。例えば、無線周波数（ＲＦ）、赤外線（ＩＲ）、超広帯域（ＵＷＢ）、もしくは、その他の方法を利用することによって、インタラクティブ通信信号２２１７およびチャンネル制御信号２２１２を送信することができる。
【０１５４】
双方向通信リモートコントローラ２２１０を操作するレシピエントは、双方向通信リモートコントローラ２２１０を介して直接質問に応答することができる。レシピエントは、双方向通信応答キーパッド２３０８などの入力装置からプロセッサ２３０４に応答を入力することができる。一実施形態の双方向通信応答キーパッド２３０８は全英数字キーボードタイプキーパッドを備える。別の一実施形態の双方向通信応答キーパッド２３０８は複数の多肢の応答ボタンを備える。本実施形態によれば、レシピエントは、該当する多肢ボタンを選択することによって、多肢の質問に対する応答を入力することができる。従って、双方向通信応答キーパッド２３０８は、多肢応答のための単純なキーを備えていてもよい。また、数字、記号、および、全機能的な矢印キーと、双方向通信応答プロセス用にカスタマイズされた特殊機能キーを備える全「ＱＷＥＲＴＹ」キーボードを備えるように拡張することもできる。別の一実施形態の双方向通信応答キーパッド２３０８は、ディスプレイ２３０６に表示される近傍情報に対応する「ソフトボタン」を備えていてもよい。そのソフトボタンによって、レシピエントは、予めプログラムされているか、即ち、画面上の双方向通信応答（例えば、多肢の文字、もしくは、選択肢）をワンタッチ入力したり、双方向通信に関して予めプログラムされたマクロ（つまり、複数のユーザが双方向通信リモートコントローラ２２１０にログインして利用することができる識別番号）を格納することができる。その他の実施形態では、質問に対する応答を入力するための入力装置は、タッチスクリーン、スタイラスによって操作される感圧スクリーン、ジョイスティック、双方向通信リモートコントローラ２２１０に質問に対する応答を入力するためのその他の適切なデバイスを備えていてもよい。
【０１５５】
一実施形態の双方向通信応答キーパッド２３０８とチャンネル制御キーパッド２３１０は、双方向通信リモートコントローラ２２１０の構成要素を個々に備えていてもよい。別の一実施形態の双方向通信応答キーパッド２３０８とチャンネル制御キーパッド２３１０は、双方向通信リモートコントローラ２２１０の一つの構成要素を備えていてもよい。この場合、双方向通信リモートコントローラ２２１０は、双方向通信応答機能とチャンネル制御機能を切り替えるための選択ボタン（不図示）を備えていてもよい。
【０１５６】
双方向通信送信機／受信機２３０２はインタラクティブ通信信号２２１７を利用して、レシピエントが入力した応答をクライアント送信機／受信機２２１５に送信する。一実施形態の双方向通信送信機／受信機２３０２は、送信と受信の両機能を実行する一構成要素を備える。別の一実施形態の双方向通信送信機／受信機２３０２は、送信と受信の機能をそれぞれ実行する構成要素を個別に備える。本明細書全体を通して「双方向通信送信機／受信機」２３０２は上述の実施形態に適用されるものである。
【０１５７】
クライアント送信機／受信機２２１５は、双方向通信送信機／受信機２３０２から受信したレシピエントの応答をクライアントコンピュータ２２２０に送る。クライアントコンピュータ２２２０は、レシピエントの応答をインターネット２２２５を介してサーバーコンピュータ２２３０に送る。サーバーコンピュータ２２３０は、レシピエントの応答をデータ記憶センター１９５に送る。
【０１５８】
データ記憶センター１９５は、レシピエントの応答が質問に対する正しい返答かどうかを判定する。そして、データ記憶センター１９５は、質問に対する正しい返答を提出したレシピエントに賞を与える。質問に対する正しい返答を含む応答がなされたことは、その応答を返したレシピエントが、少なくとも質問内にアドレス指定された放送コンテンツ２２０３から選択された一部分に接したことを意味する。別の一実施形態のサーバーコンピュータ２２３０はデータ記憶センター１９５を備えており、データ記憶センター１９５の機能を実行することができる。
【０１５９】
放送コンテンツ２２０３を放送受信機２２０５に送るときに同期して、質問を双方向通信リモートコントローラ２２１０に提供することができる。放送ネットワーク１０５は、同期信号２２０４をサーバーコンピュータ２２３０に送ることができる。同期信号２２０４は、放送ネットワーク１０５が放送コンテンツ２２０３を放送する放送時間を示す情報を含んでいてもよい。また、同期信号２２０４は、放送コンテンツ２２０３が提供される局のチャンネルを含んでいてもよい。
【０１６０】
一実施形態のサーバーコンピュータ２２３０は、同期信号２２０４に含まれる放送時間に基づいてクライアントコンピュータ２２２０に質問を送ることができる。従って、サーバーコンピュータ２２３０がクライアントコンピュータ２２２０に質問を送る時間を制御することによって、サーバーコンピュータ２２３０は、双方向通信リモートコントローラ２２１０が質問を提供する時間を制御することができる。
【０１６１】
別の一実施形態のサーバーコンピュータ２２３０は、クライアントコンピュータ２２２０にインターネット２２２５を介して同期信号を送ることができる。そして、クライアントコンピュータ２２２０は同期信号２２０４に含まれる放送時間に基づいて、クライアント送信機／受信機２２１５を介して双方向通信リモートコントローラ２２１０に質問を送ることができる。例えば、クライアントコンピュータ２２２０は、同期信号２２０５に示された放送時間に質問を送ることができる。この場合、双方向通信リモートコントローラ２２１０は、放送コンテンツ２２０３を放送受信機２２０５に送るときに同期して質問を表示させる。また、同期信号２２０４に含まれる放送時間情報に遅延時間を加えることによって、放送コンテンツ２２０３を放送受信機２２０５に送った後の所望の時間に、質問を双方向通信リモートコントローラ２２１０に提供するようにしてもよい。従って、クライアントコンピュータ２２２０が同期信号２２０４に含まれる情報に基づいてクライアント送信機／受信機２２１５が双方向通信リモートコントローラ２２１０に質問を送る時間を制御することによって、双方向通信リモートコントローラ２２１０は、質問を提供する時間を制御することができる。
【０１６２】
別の一実施形態のクライアントコンピュータ２２２０は、クライアント送信機／受信機２２１５を介して同期信号２２０４を双方向通信リモートコントローラ２２１０に送信することができる。この場合、プロセッサ２３０４は、同期信号２２０４に含まれる放送時間情報に基づいて質問をディスプレイ２３０６に表示させることができる。従って、プロセッサ２３０４が質問がディスプレイ２３０６に表示される時間を制御することによって、双方向通信リモートコントローラ２２１０は、質問を提供する時間を制御することができる。
【０１６３】
また、一実施形態のサーバーコンピュータ２２３０（もしくはサーバーコンピュータ２２３０によって提供されるウェブサイト）は、双方向通信リモートコントローラ２２１０のディスプレイ２３０６を介して他のテレビチャンネルで利用可能な所望のコンテンツをレシピエントに通知することもできる。所望のコンテンツには、様々な時間に様々なネットワークに提供されるＣＲＡＶ広告が含まれていてもよい。また、所望のコンテンツとしては、予め選ばれたコンテンツ、例えば、急報や、選ばれたスポーツチームや、選ばれたエンターテイナーや、選ばれたＴＶショーや、レシピエントが通知してほしいと望むその他の放送コンテンツがある。従って、レシピエントは、サーバーコンピュータ２２３０から受信した通知に応じてチャンネルを変えて、所望のコンテンツを見ることができる。図２８を参照して述べたように、双方向通信リモートコントローラ２２１０は、サーバーコンピュータ２２３０から受信した通知に応じて放送受信機２２０５を所望のコンテンツが提供される局のチャンネルに自動的にチューニングすることができる。従って、レシピエントは、通知してほしいと望む放送コンテンツを予め選択することができる。サーバーコンピュータ２２３０が予め選択されたコンテンツの放送、もしくは、次の放送を検出すると、サーバーコンピュータ２２３０は、コンテンツの識別子、放送時間、および、放送局のチャンネルを含む同期信号２２０４を生成して送ることができる。ディスプレイ２３０６は同期信号からの情報を提供する。そして、レシピエントは、所望の局のチャンネルに放送受信機２２０５をチューニングして、予め選択したコンテンツを見ることができる。また、双方向通信リモートコントローラ２２１０は、自動的に放送受信機２２０５を所望の局のチャンネルにチューニングして、予め選択したコンテンツを提供することもできる。レシピエントは、双方向通信リモートコントローラを手動で、もしくは、自動で操作するように構成することができる。
【０１６４】
クライアント送信機／受信機２２１５は、各双方向通信リモートコントローラ２２１０のユニークなＭＡＣアドレスを参照することによって、一つの場所の範囲内で、複数の双方向通信リモートコントローラ２２１０と双方向通信することができる。本実施形態のクライアントコンピュータ２２２０はＭＡＣアドレスを識別することによって、どの双方向通信リモートコントローラ２２１０であるか、また間接的にどのレシピエントと双方向通信しているかを判定することができる。
【０１６５】
ＭＡＣアドレスには、ネットワーク上の各ノードをユニークに識別するハードウェアアドレスが含まれている。ＣＲＡＶに登録する場合、レシピエントは、自身の人口統計情報（年齢、性別、住所、給料、教育等）を提供することによって登録番号を受け取ることができる。そして、ユーザは、自身の双方向通信リモートコントローラ２２１０のＭＡＣアドレスを登録番号と関連付ける。個々の登録番号とＭＡＣアドレスによって、複数のレシピエントが同一の双方向通信リモートコントローラ２２１０を利用することができる。例えば、４人家族の場合は、各人が異なる登録番号を持つことができる。家族の一人が双方向通信リモートコントローラ２２１０を介してサーバーコンピュータ２２３０にログインする際は、サーバーコンピュータ２２３０は、常に登録番号に基づいて特定の個人を識別することができる。従って、サーバーコンピュータ２２３０は現在双方向通信リモートコントローラ２２１０を利用している家族の一員の人口統計情報に基づいて、放送コンテンツ２２０３に関する質問を送ることができる。
【０１６６】
別の一実施形態のサーバーコンピュータ２２１０は、レシピエントそれぞれの人口統計情報とは無関係の共通質問を送ることができる。従って、未登録（および登録済み）のレシピエントは質問を受信して応答することができる。さらに、放送コンテンツ２２０３に質問が含まれていてもよい。また、レシピエントは、双方向通信リモートコントローラ２２１０を介してその質問に応答することができる。
【０１６７】
図２２に示した実施形態は、双方向通信リモートコントローラ２２１０を利用して一レシピエントが放送コンテンツ２２０３と双方向通信するケースを示している。しかしながら、複数のクライアントコンピュータ２２２０をサーバーコンピュータ２２３０に接続し、複数の双方向通信リモートコントローラ２２１０を複数のクライアントコンピュータ２２２０に接続することによって、複数のレシピエントが複数の放送受信機２２０５に送られる放送コンテンツを同時に受信して双方向通信することができる。
【０１６８】
図２２に示した実施形態は、放送ネットワーク１０５が既存の放送テクノロジとインフラストラクチャを利用してインタラクティブコンテンツ（および質問）をレシピエント（消費者１１０）に放送し、次に、レシピエントがインターネットに接続された情報収集システムを介して応答するという「二部構成」のインタラクティブテレビ処理を示す。レシピエントは、インターネットに接続された双方向通信リモートコントローラ２２１０を利用して質問に対する応答をサーバーコンピュータ２２３０のウェブサイトに送信し、インターネット２２２５を介してレシピエントに送られたその他の質問を受信し双方向通信する。サーバーコンピュータ２２３０のインターネットウェブサイトは応答を収集したり、処理したり、データを取り出したりでき、また、（ＣＲＡＶ双方向通信広告プロセスと同様に）情報をデータ記憶センター１９５に送信することができる。さらに、サードパーティによる「同期化サービス」によって、放送コンテンツ２２０３に対する質問と追加質問の登録を同期させることによって、タイムリーに正確な情報が双方向通信リモートコントローラ２２１０によって確実に送信されて、収集される。場合によっては、同期化サービスはプロモータや、テレビネットワークや、ケーブル用ネットワークや、衛星ネットワークや、サーバーコンピュータによって自動化可能であって、放送会社がこれらのサービスを独自の方法で手動でもしくは自動的に提供することもできる。
【０１６９】
一実施形態の双方向通信リモートコントローラ２２１０は、第一機能としてインタラクティブテレビサービスを提供する。オプションとしてであるが、双方向通信リモートコントローラ２２１０によって、レシピエントはテレビやホームシアターシステムの電源や音量や放送受信機２２０５で見ているチャンネルを遠隔から制御することができる。双方向通信リモートコントローラ２２１０は、集積した２つの通信用送信機を利用することができる。そのうちの１つは、クライアントコンピュータとの対話用（つまり、ＲＦを利用する）、もう１つは、チャンネル制御信号２２１２の送信用（つまりＩＲを利用する）である。双方向通信リモートコントローラ２２１０上にある同じキー、もしくは、別のキー、あるいは、ボタンによってテレビを制御するだけでなく、双方向通信のためのデータ（質問に対する応答）を入力することができる。このような双方向通信リモートコントローラ２２１０は、テレビ向けの遠隔制御機能とともにインタラクティブテレビ向けのサービスを提供するだけであるが、多くの消費者の購買意欲をかきたてる価格で構成され、販売される。
【０１７０】
一実施形態のクライアントコンピュータ２２２０は、ケーブル向けセットトップボックスもしくは衛星受信機を備えていてもよく、これによって、クライアントコンピュータ２２２０と放送受信機２２０５の２重の機能をそれぞれ実行することができる。ケーブル向けセットトップボックスもしくは衛星受信機は、電話機もしくはインターネット接続を介してサーバーコンピュータ２２３０に情報を送るバックチャンネルを備えていてもよい。バックチャンネルは、放送ネットワーク１０５からケーブル向けセットトップボックスの放送受信機２２０５の一構成要素もしくは衛星受信機に対してコンテンツを放送するために利用されるチャンネルや媒体とは異なるものである。
【０１７１】
双方向通信リモートコントローラ２２１０のその他の構成要素（不図示）は、配線接続の電源の切断時での動作に十分な充電式（もしくは、交換式）のバッテリシステムを備えていてもよい。また、双方向通信リモートコントローラ２２１０は、充電架台に接続するための充電用接点、もしくは、別のＤＣ電源プラグを備えていてもよい。これによって、デバイスを定期的に充電することができる。また、双方向通信リモートコントローラ２２１０は取り外し可能なバッテリコンパートメントを備えていてもよい。これによって、使い捨て式の、もしくは、充電式のバッテリを利用することができる。双方向通信リモートコントローラ２２１０は、演算や双方向通信に関わるイベントや遠隔制御機能を実行するのに十分なメモリと処理電力を備えていてもよい。双方向通信リモートコントローラ２２１０により、新たなキーボードシートを追加するだけでなく、１つ以上のカードスロットによって部品を拡張する（ＰＭＣＩＡカードやフラッシュメモリカード等の追加）ことができる。これによって、将来、特殊な双方向通信アプリケーションを導入することができる。
【０１７２】
図２４は、本発明の一実施形態に係る放送コンテンツ２２０３と遠隔から双方向通信する方法２４００を示すフロー図である。図２２、図２３、図２４を参照して方法２４００について説明する。ステップ２４０５では、放送ネットワーク１０５はコンテンツ２２０３を複数のレシピエントに放送する。ステップ２４１０では、双方向通信リモートコントローラ２２１０は放送受信機２２０５を所望の局のチャンネルにチューニングして、放送コンテンツ２２０３を受信する。図２５を参照してステップ２４１０についてさらに詳細に説明する。さらに、図２８を参照して、受信機を所望のチャンネルにチューニングする別の方法について説明する。
【０１７３】
ステップ２４１５では、放送受信機２２０５は放送コンテンツ２２０３を受信して提供する。ステップ２４２０では、双方向通信リモートコントローラ２２１０に質問が提供される。図２６を参照して、ステップ２４２０についてさらに詳細に説明する。放送コンテンツ２２０３の一部として質問を放送受信機２２０５に提供することもできる。
【０１７４】
ステップ２４２５では、レシピエントは、双方向通信リモートコントローラ２２１０を介して質問に対する応答を送る。図２７を参照してステップ２４２５についてさらに詳細に説明する。ステップ２４３０では、データ記憶センター１９５は、レシピエントの応答が質問に対する正しい返答かどうかを判定する。次に、ステップ２４３５では、データ記憶センター１９５は、質問に対する正しい返答を含む応答を返したレシピエントに賞を与える。質問に対する正しい返答を含む応答がなされたことは、応答する各レシピエントが質問によって質問されたコンテンツから選択された一部分に接したことを意味する。
【０１７５】
図２５は、図４のステップ２４１０で言及したように、放送受信機２２０５を所望の局のチャンネルにチューニングする本発明の一実施形態に係る方法２４１０を示すフロー図である。図２２、図２３、図２５を参照して方法２４１０について説明する。ステップ２５０５では、レシピエントはチャンネル制御キーパッド２３１０を利用して双方向通信リモートコントローラ２２１０に所望の局のチャンネルを入力する。
【０１７６】
ステップ２５０７では、プロセッサ２３０４は、レシピエントがチャンネル制御キーパッド２３１０から入力した局のチャンネルに放送受信機２２０５をチューニングする命令を含むチャンネル制御信号２２１２を生成する。次に、ステップ２５１０では、チャンネル制御送信機２３１２は、チャンネル制御信号２２１２を放送受信機２２０５に送信する。ステップ２５１５では、放送受信機２２０５は、チャンネル制御信号２２１２を受信し、チャネル制御信号２２１２に含まれる命令に基づいて所望の局のチャンネルにチューニングする。次に、ステップ２４１５に移行する（図２４）。
【０１７７】
図２６は、図４のステップ２４２０で言及したように、双方向通信リモートコントローラ２２１０に質問を提供する本発明の一実施形態に係る方法２４２０を示すフロー図である。図２２、図２３、図２６を参照して方法２４２０について説明する。ステップ２６０５では、放送ネットワーク１０５は同期信号２２０４を送り、放送コンテンツ２２０３から選択された一部分に関する質問を提供する。別の一実施形態では、サーバーコンピュータ２２３０は同期信号２２０４を生成して送ることができる。同期信号２２０４は、放送コンテンツ２２０３が放送受信機２２０５に提供される放送時間だけでなく、放送受信機２２０５が放送コンテンツ２２０３を提供する局のチャンネルを示す情報を含んでいてもよい。また、同期信号は、放送コンテンツ２２０３から選択された一部分に関する質問を含んでいてもよい。サーバーコンピュータ２２３０は、同期信号２２０４に質問を付加してもよい。
【０１７８】
ステップ２６１０では、サーバーコンピュータ２２３０は、インターネット２２２５を介してクライアントコンピュータ２２２０に同期信号２２０４を送る。ステップ２６１５では、クライアントコンピュータ２２２０は、インタラクティブ通信信号２２１７を介して、クライアント送信機／受信機２２１５から双方向通信リモートコントローラ２２１０に同期信号２２０４を送信する。
【０１７９】
ステップ２６２０では、双方向通信リモートコントローラ２２１０は、双方向通信送信機／受信機２３０２を介して、同期信号２２０４を含むインタラクティブ通信信号２２１７を受信する。次に、ステップ２６２５では、プロセッサ２３０４は、インタラクティブ通信信号２２１７から質問を解析し、同期信号２２０４に含まれる放送時間に基づいてディスプレイ２３０６に質問を表示する。
【０１８０】
一実施形態の双方向通信リモートコントローラ２２１０は、サーバーコンピュータ２２３０とのアクションの結果として、放送時間に基づいて質問を表示する。この場合、サーバーコンピュータ２２３０は、同期信号２２０４に含まれる放送時間情報に基づいてクライアントコンピュータ２２２０に質問を送る。従って、放送コンテンツ２２０３が放送受信機２２０５に提供される時間と同期する適切な放送時間に双方向通信リモートコントローラ２２１０に質問が送られる。
【０１８１】
別の一実施形態の双方向通信リモートコントローラ２２１０は、サーバーコンピュータ２２２０とのアクションの結果として、放送時間に基づいて質問を表示する。この場合、クライアントコンピュータ２２２０は、同期信号２２０４に含まれる放送時間情報に基づいて双方向通信リモートコントローラ２２１０に質問を送る。従って、クライアントコンピュータ２２２０は、放送コンテンツ２２０３が放送受信機２２０５に提供される時間に同期した適切な放送時間に質問を双方向通信リモートコントローラ２２１０に送信する。
【０１８２】
さらに別の一実施形態の双方向通信リモートコントローラ２２１０は、双方向通信リモートコントローラ２２１０のプロセッサ２３０４とのアクションの結果として、放送時間に基づいて質問を表示する。この場合、双方向通信リモートコントローラ２２１０は、同期信号２２０４と質問をインタラクティブ通信信号２２１７を介して受信する。次に、プロセッサ２３０４は、同期信号２２０４に含まれる放送時間情報に基づいて質問をディスプレイ２３０６に提供する適切な時間を決定する。従って、プロセッサ２３０４は、放送コンテンツ２２０３が放送受信機２２０５に提供される時間に同期する適切な時間に質問をディスプレイ２３０６に表示する。
【０１８３】
放送コンテンツ２２０３の提供に「同期して」質問を提供することは、放送コンテンツ２２０３の放送時間に基づいて質問を提供することである。このため、放送コンテンツ２２０３の提供と同時に、もしくは、放送コンテンツ２２０３の提供前の所定の時間に、もしくは、放送コンテンツ２２０３の提供後の所定の時間に質問を提供することができる。
【０１８４】
再び図２６のステップ２６２５を参照すると、処理はステップ２６２５からステップ２４２５に移行する（図４）。
【０１８５】
図２７は、図４のステップ２４２５で言及したように、本発明の一実施形態に係る双方向通信リモートコントローラ２２１０を介して質問に対する応答を送る方法２４２５を示すフロー図である。図２２、図２３、図２７を参照して方法２４２５について説明する。ステップ２７０５では、レシピエントは、双方向通信応答キーパッド２３０８から双方向通信リモートコントローラ２２１０のプロセッサ２３０４に応答を入力する。次に、ステップ２７１０では、双方向通信リモートコントローラ２２１０の双方向通信送信機／受信機２３０２は、双方向通信リモートコントローラ２２１０からクライアントコンピュータ２２２０のクライアント送信機／受信機２２１５に対してレシピエントの応答を送信する。ステップ２７１５では、クライアントコンピュータ２２２０は、レシピエントの応答をインターネット２２２５を介してサーバーコンピュータ２２３０に送る。ステップ２７２０では、サーバーコンピュータ２２３０はレシピエントの応答をデータ記憶センター１９５に送る。次に、ステップ２４３０に移行する（図４）。
【０１８６】
レシピエントが双方向通信リモートコントローラ２２１０の利用を可能にするインターネットプログラムにオンラインかつリアルタイムで接続することによって、そのプロセスとデバイスを最適に利用することができる。しかしながら、クライアントコンピュータ２２２０は、遅延時間に基づいてインタラクティブコンテンツをダウンロードすることもできる。また、タイムスタンプに基づいて暗号化されたソフトウェアを利用することによって、インタラクティブ情報を双方向通信リモートコントローラ２２１０にリアルタイムに送信しているように見せることができる。そのようなソフトウェアは、時間に基づいて暗号化されている場合に、インタラクティブコンテンツ（質問）を関連するインタラクティブ放送コンテンツ２２０３と同期させて配信することによって、レシピエントがインタラクティブデータをアクセスできないように設計することが可能である。クライアントコンピュータ２２２０は応答を記憶することができる。また、オプションとして、正確なタイムスタンプ情報（レシピエントや他者による改ざんを防ぐために暗号化してもよい）を付加することによって、タイムリーに応答を確認することもできる。その後、インターネット２２２５への周期的な接続が確立されると、クライアントコンピュータ２２２０はサーバーコンピュータ２２３０（情報収集システム１１２）に応答を送信することができる。一実施形態では、レシピエントは放送コンテンツ２２０３からパスワードを得ることができる。これによって、レシピエントは、双方向通信リモートコントローラ２２１０もしくはクライアントコンピュータ２２２０にアクセスする際に、双方向通信リモートコントローラ２２１０もしくはクライアントコンピュータ２２２０に格納された情報のロックを解除する、即ち、復号化することができる。従って、双方向通信中にリアルタイムにインターネットに接続する必要はない。また、ダイヤルアップインターネットサービスのレシピエントが利用する電話回線と同様にインターネットへの要求も減少する。
【０１８７】
ＣＲＡＶ広告のインタラクティブテレビ放送は、双方向通信リモートコントローラ２２１０を利用するためのアプリケーションであるだけでなく、本システムおよびプロセスを利用したアプリケーションの一つであるが、当業者であれば、ラジオ放送などの放送コンテンツも、インタラクティブコンテンツを提供する本方法を利用することによる恩恵を受けることができ、また、双方向通信リモートコントローラ２２１０を利用することによって音声のみの放送コンテンツと双方向通信が可能になることは理解できる。
【０１８８】
図２８は、本発明の一実施形態に係る放送コンテンツの提供を遠隔から制御する方法２８００を示すフロー図である。図２２、図２３、図２８を参照して方法２８００について説明する。ステップ２８０５では同期信号２２０４を生成する。同期信号２２０４は、放送コンテンツ２２０３の次の（もしくは、現在の）放送時間と、放送コンテンツ２２０３を提供する局のチャンネルを示すものである。図２２に示すように、放送ネットワーク１０５は同期信号２２０４を生成することができる。別の一実施形態によれば、データ記憶センター１９５もしくはサーバーコンピュータ２２３０は同期信号２２０４を生成することができる。
【０１８９】
ステップ２８１０では、サーバーコンピュータ２２３０は、同期信号に含まれる放送時間に基づいてインターネット２２２５を介してクライアントコンピュータ２２２０に同期信号を送る。ステップ２８１５では、クライアントコンピュータ２２２０は、クライアント送信機／受信機２２１５を介して双方向通信リモートコントローラ２２１０に同期信号２２０４を送信する。次に、ステップ２８２０では、双方向通信リモートコントローラ２２１０は、放送受信機２２０５が放送コンテンツ２２０３を提供する局のチャンネルに自動的にチューニングする。図２９を参照して、ステップ２８２０についてさらに詳細に説明する。
【０１９０】
ステップ２８２５では、放送ネットワーク１０５はコンテンツ２２０３を複数のレシピエント（消費者１１０）に放送する。ステップ２８３０では、放送受信機２２０５は放送コンテンツ２２０３を受信して局のチャンネルに提供する。図２８に示すように、方法２８００によれば、放送コンテンツ２２０３を受信する適切な時間に放送受信機２２０５を所望の局のチャンネルに自動的にチューニングすることができる。
【０１９１】
上述したように、サーバーコンピュータ２２３０は、同期信号に含まれる放送時間に基づく適切な時間に同期信号を送る。別の一実施形態のクライアントコンピュータ２２２０は、同期信号に含まれる放送時間に基づく適切な時間に同期信号を送信することができる。さらに別の一実施形態のプロセッサ２３０４は、同期信号に含まれる放送時間に基づく適切な時間にチャンネル制御信号２２１２を生成することができる。
【０１９２】
図２９は、図２８のステップ２８２０で言及したように、放送コンテンツ２２０３を提供する局のチャンネルに放送受信機２２０５をチューニングする本発明の一実施形態に係る方法２８２０を示すフロー図である。図２２、図２３、図２９を参照して方法２８２０について説明する。ステップ２９０５では、双方向通信リモートコントローラ２２１０の双方向通信送信機／受信機２３０２は、クライアント送信機／受信機２２１５から同期信号２２０４を受信する。ステップ２９１０では、プロセッサ２３０４は、同期信号２２０４に含まれる局のチャンネルに放送受信機２２０５をチューニングする命令を含むチャンネル制御信号２２１２を生成する。
【０１９３】
次に、ステップ２９１５では、チャンネル制御送信機２３１２は、チャンネル制御信号２２１２を放送受信機２２０５に送信する。ステップ２９２０では、放送受信機２２０５は、チャンネル制御信号２２１２を受信して、チャネル制御信号２２１２に含まれる命令に基づいて受信機を局のチャンネルにチューニングする。次に、ステップ２８２５に移行する（図２９）。
【０１９４】
図３０は、本発明の別の一実施形態に係る双方向通信リモートコントローラ３０００を示すブロック図である。図に示すように、双方向通信リモートコントローラ３０００は、図２３に示した双方向通信リモートコントローラ２２１０の構成要素を備える。さらに、双方向通信リモートコントローラ３０００は、マイクロフォン３００２とスピーカー３００４を備えているため、双方向の音声通信が可能である。マイクロフォン３００２はレシピエントから音声を受信し、双方向通信送信機／受信機２３０２にレシピエントの音声を送る。双方向通信送信機／受信機２３０２は、クライアント送信機／受信機２２１５に対してレシピエントの音声を、クライアントコンピュータ２２２０に対する入力として送信する。さらに、スピーカー３００４は、双方向通信送信機／受信機２３０３を介して受信した送信者の音声をクライアントコンピュータ２２２０のクライアント送信機／受信機２２１５から送ることができる。従って、双方向通信リモートコントローラ２２１０は双方向音声通信を行うことができる。これによって、インターネットプロトコル音声（「ＶｏＩＰ」）電話を構成することができる。
【０１９５】
一実施形態（不図示）では、マイクロフォン３００２とスピーカー３００４として、プロセッサ２３０４に接続するヘッドセットもしくは個別のイヤーピースとマイクロフォンを利用することができる。
【０１９６】
一実施形態では、レシピエントの音声は双方向通信リモートコントローラ２２１０とクライアント送信機／受信機２２１５間でアナログ通信され、クライアントコンピュータ２２２０に入力される。そして、クライアントコンピュータ２２２０は、従来のＶｏＩＰソフトウェアを利用してレシピエントのアナログ音声を処理することによって、レシピエントの音声をＶｏＩＰ電話呼として送ることができる。また、クライアントコンピュータ２２２０は、インターネット２２２５を介してＶｏＩＰ送信者の音声を受信し、送信者の音声をアナログ信号に変換することができる。そして、クライアントコンピュータ２２２０は、送信者のアナログ音声をクライアント送信機／受信機２２１５を介して双方向通信リモートコントローラ２２１０に送ることができる。
【０１９７】
別の一実施形態の双方向通信リモートコントローラ３０００は、アナログ−デジタル変換器（不図示）を備えていてもよい。アナログ−デジタル変換器は、レシピエントのアナログ音声をデジタル信号に変換してから、レシピエントのデジタル音声信号をクライアント送信機／受信機２２１５に送信することができる。さらに、双方向通信リモートコントローラ３０００は、送信者のデジタル音声信号を受信し、送信者のデジタル音声信号をアナログ信号に変換し、スピーカー３００４から送ることができる。また、双方向通信リモートコントローラ３０００は、ＶｏＩＰ変換処理を実行するソフトウェアを備えていてもよい。この場合、双方向通信リモートコントローラ３０００は、レシピエントのデジタル音声をＶｏＩＰ信号に変換し、そのＶｏＩＰ信号をクライアント送信機／受信機２２１５に送信することができる。さらに、双方向通信リモートコントローラ３０００は、クライアント送信機／受信機２２１５から送信者のＶｏＩＰ音声信号を受信し、その送信者のＶｏＩＰ音声信号をアナログ信号に変換し、そのアナログ信号をスピーカー３００４から送ることができる。
【０１９８】
双方向通信リモートコントローラ２２１０をさらに望ましいものにするために、特定のボード上の機能とハードウェアを追加することによって、デバイスがもてうるタック数を増やすことができる。例えば、ディスプレイと多機能キーパッドを利用することによって、また、内蔵メモリとプロセッサを利用してデバイスが単純もしくは複雑な演算を実行できるようにすることによって、放映される教育番組やゲームショーで必要とされる数学の演算問題を実行することができる。その後、無線接続を介してコントローラ２２１０からコンピュータ、続いてホストウェブサイトへ応答を送信することができる。個人、即ち、ログインユーザは、数学に関する応答と学生や競争相手であるユーザの照合ができるようにコントローラ２２１０に接続もしくは登録することができる。
【０１９９】
さらに、コントローラ２２１０は、カードスキャナ（不図示）を装備して製造されていてもよい。これによって、ユーザは、ＩＤカードもしくはクレジットカードをスキャナに「通す」ことができる。そして、ユーザは、コントローラ２２１０に「ログイン」するか、もしくは、インターネットに接続されたトランザクションを実行することができる。時間に基づくＣＲＡＶ広告の場合は、ＩＤカードによって複数の人が一つのコントローラ２２１０に迅速にログインしたり、ログアウトすることが可能になる。例えば、一人以上の者が必要な質問に回答しログアウトし、別のユーザがＩＤカードを通し、ログインし、応答し、ログアウトすることができる。ＣＲＡＶ広告もしくは番組で見たものを購入したい、もしくは、画面上で購入するように要求もしくは誘導された場合は、実際のクレジットカードを利用することによって、単純にクレジットカード番号を入力する場合と異なり、ユーザとベンダの双方にとって安全かつ便利にトランザクションを実行することができる。
【０２００】
さらに、間接的にコントローラ２２１０をインターネットに接続することによって、ユーザは、インターネットを介してインターネットに接続している他者や同様のデバイスの所有者と通信することができる。キーボード、もしくは、デバイスの制御と通信を可能にする多目的キーを使って入力された簡単なメッセージをコントローラ２２１０から送ることによって、ホストウェブサイト、即ち、インターネットに接続している他者とチャットすることができる。インターネットを介して一つのコントローラ２２１０から対象とするレシピエントに入力情報を送信することができ、また、ディスプレイ２３０６上で入力情報を見ることもできる。
【０２０１】
図３０を参照して述べたように、コントローラ２２１０がイヤピースとマイクロフォン（コントローラ２２１０内に個別に内蔵できる）を内蔵している場合、コントローラ２２１０は新しいＶｏＩＰ技術を利用することができる。これによって、一つのコントローラ２２１０から受信した音声パケットもしくは音声ストリームをインターネットに接続しているクライアントコンピュータ２２２０や、インターネットに接続しているコンピュータや、最終的にはインターネットを利用可能なデバイスを利用している他のユーザにインターネットを介して送信することができる。これによって、ユーザは音声やデータを受け取ったり、聞いたり、通信したりすることができる。従来のソフトウェアやハードウェアによって、音声対応のコントローラ２２１０のユーザは従来の電話に接続することができる。しかしながら、専用ネットワークを介して接続されているデバイスのためのＶＯＩＰに関しては、より安全で誤りの少ないＶＯＩＰ環境がある。そのような環境では、例えば、二人が、二つのコントローラ２２１０（とユーザ）が通信できるように設計されたインターネットネットワークを介して接続されたそれらのコントローラ２２１０を利用する場合、ユーザにとってパケット損失が少ないか、もしくは、全くなく、また、コストが小さいか、もしくは、全くかからない状態での明瞭な音声通信が可能となる。
【０２０２】
実際に、既存の音声認識ソフトによって、地球の反対側にいる二人のユーザはインターネットを介して互いを見つけることができる。一人の所有者（ユーザ１）がマイクロフォンに向かって「電話」と言って、電話モードに「切り替える」ことによって、コントローラ２２１０が通信可能となる。そして、マイクロフォンに向かって「ジョー・スミスを探しなさい」と言うことによって、ジョー・スミスという名前の人（早い段階でユーザ１によって識別されているため、特定のジョー・スミスだけが接続される）は、（可聴音、ベル音、ディスプレイ２３０６上に表示された情報、バイブレーション、もしくは、これらの組み合わせ、その他の警告方法によって）コントローラ２２１０から注意を促される。そして、ジョー・スミスはユーザ１と話すことができる。このようなシナリオでは長距離料金はかからない。そのため、レシピエントは、ＣＲＡＶ広告や質問と双方向通信することができるコントローラ２２１０をますます買いたくなる。
【０２０３】
実施形態によれば、双方向通信リモートコントローラ２２１０は複数のオーディオ装置やビデオ装置を制御したり、ＣＲＡＶ広告やその他のコンテンツや他のインターネットユーザやコントローラ２２１０のユーザと「チャット」や「インスタントメッセージ」を受信したり、応答したり、オプションとしてコントローラ２２１０が行った演算結果をインターネットを介して送信したり、クレジットカードを通してインターネットを介してアイテムを購入したり、他のコントローラ２２１０のユーザやインターネットに接続しているユーザや既存の地上電話もしくは無線電話のユーザとＶＯＩＰ通信することができる。ＣＲＡＶ広告との双方向通信を可能にする同じ接続系列（およびホストウェブサイト）によって、コントローラ２２１０が実行する他の全てのインターネット機能が有効となる。
【０２０４】
必要に応じて、双方向通信応答キーパッド２３０８を「切り替える」、即ち、有効にすることができる。これによって、二次的な機能、例えば、英数字「入力」機能（ディスプレイに表示し、その後、別のユーザに「送信」することによって、チャットやインスタントメッセージ機能を利用することができる）や、演算機能（そのプロセスや結果を、別のユーザや、演算応答を収集する教育ウェブサイトやゲームウェブサイトなどのホストウェブサイトに送信することができる）を利用することができる。コントローラ２２１０は、リモートコントローラや電話機に良く似た小型形状因子に基づいて設計可能であり、これによって、片手での制御が可能となる。
【０２０５】
別の一実施形態の双方向通信リモートコントローラはチャンネル制御送信機を省いてもよい。この場合、双方向通信リモートコントローラは質問応答デバイスを備えていてもよい。これによって、放送コンテンツから選択された一部分に関する質問を表示したり、レシピエントが質問に対する応答を入力したり、送信することができる。
【０２０６】
図３１は、本発明の一実施形態に係る双方向通信リモートコントローラ３１００のフォームファクターを示すブロック図である。図２２、図２３、図３１を参照して、双方向通信リモートコントローラ３１００について説明する。図に示すように、双方向通信リモートコントローラ３１００の一例は、従来のオーディオ／ビジュアルリモートコントローラ、あるいは、電話器の小型形状因子を備えている。そのような小型形状因子のおかげで、ユーザは片手で操作することができる。
【０２０７】
双方向通信リモートコントローラ３１００は一次キーパッド３１０２を備えている。これによって、ユーザは従来の遠隔制御機能を実行させることによって、オーディオ／ビジュアル構成要素を遠隔から制御することができる。二次キーパッドエリア３１０４により、ユーザは補助的な遠隔制御機能を実行させることによって、その他の構成要素の機能を遠隔から制御することができる。例えば、二次キーパッドエリア３１０４によって、ユーザは、ビデオカセットレコーダやデジタルビデオディスクプレーヤーやパーソナルビデオレコーダ（ＰＶＲ）やその他の構成要素を制御することができる。さらに、二次キーパッドエリア３１０４によって、ユーザはＣＲＡＶ応答機能を実行させることができる。ＣＲＡＶ応答機能には、多肢問を選択する機能やこれらの回答をクライアントコンピュータ２２２０に送信する機能が含まれている。
【０２０８】
また、双方向通信リモートコントローラ３１００はディスプレイ３１０６を備える。ディスプレイ３１０６は、ＬＥＤ／ＬＣＤディスプレイ画面、パッシブ／アクティブマトリックスタイプカラーディスプレイ、あるいは、その他のディスプレイを備えていてもよい。ディスプレイは、双方向通信リモートコントローラ３１００から受信した質問や、ユーザが入力した応答や、その他のテキストメッセージを提供することができる。
【０２０９】
双方向通信リモートコントローラ３１００は、チャンネル制御信号２２１２（もしくは、その他のオーディオ／ビジュアル制御信号）を送信するためのチャンネル制御送信機２３１２（不図示）と、インタラクティブ通信信号２２１７を送受信するための双方向通信送信機／受信機２３０２（不図示）を備えていてもよい。
【０２１０】
一実施形態では、一次キーパッドエリア３１０２の押下ボタンを「切り換える」、即ち、有効にすることによって、二次機能を利用することができる。二次機能には、英数字「入力」機能や演算機能やその他の機能がある。英数字入力機能によって、テキストをディスプレイ３１０６に入力し、その後、リモートコンピュータ２２２０に送信することができる。送信されたテキストには、質問の応答や、インスタントメッセージや、その他のメッセージが含まれていてもよい。演算機能により、質問に対する応答を演算するようにユーザに求める教育コンテンツもしくはゲームコンテンツと双方向通信することができる。別の一実施形態の二次機能には電話ダイアル機能が含まれている。
【０２１１】
電話機能として、双方向通信リモートコントローラ３１００はイヤーピース／スピーカー３１０８とマイクロフォン３１１０を備える。スピーカー３１０８とマイクロフォン３１１０は、デバイスの前面もしくは裏面に目立たないように配置することができる。これによって、双方向音声通信が可能となる。
【０２１２】
また、双方向通信リモートコントローラ３１００は、片側にカードから磁気帯情報を読み取るための磁気カード読取装置（不図示）を備えていてもよい。これによって、ログイン情報を入手したり、消費者トランザクションを実行することができる。
【０２１３】
双方向通信リモートコントローラ３１００は統合デバイスであって、複数のオーディオ装置やビデオ装置を制御したり、ＣＲＡＶ広告やその他のコンテンツや他のインターネットユーザや双方向通信リモートコントローラ３１００のユーザとの「チャット」を受信したり、応答したり、演算を実行して演算結果を送信したり、クレジットカードを通してインターネットを介してアイテムを購入したり、他の双方向通信リモートコントローラ２２１０のユーザやインターネットに接続しているユーザや従来の地上電話もしくは無線電話のユーザとＶＯＩＰ通信することができる。
【０２１４】
図３１に示すように、双方向通信リモートコントローラ３１００は、オーディオ／ビジュアル構成要素を制御するための従来の多機能（「ユニバーサル」）リモートコントローラのバランス、重さ、デザイン、寸法と同じように構成されていてもよい。これによって、オペレータは片手で使用することができる。双方向通信リモートコントローラ３１００の外観は従来のリモートコントローラの外観と同じであってもよい。従って、消費者は、双方向通信リモートコントローラ３１００を、従来のリモートコントローラに取って代わることができ、様々なオーディオ／ビジュアル構成要素だけでなく広告やその他の放送コンテンツと遠隔から双方向通信することを可能にする多機能リモートコントローラであると認識することができる。
【０２１５】
消費者は、自身の遠隔制御デバイスを片手で操作したいと望んでいる。消費者は、一つの機能を実行する複数のリモートコントローラよりも、複数の機能を実行する一つのリモートコントローラを望んでいる。双方向通信リモートコントローラ３１００一例によれば、片手で多機能操作が可能であり、さらに、放送コンテンツと双方向通信することができる。マーケティングのための従来のリモートコントローラの外観によって、ユーザは、双方向通信リモートコントローラが多機能リモートコントローラであることを認識することができる。さらによく見みると、消費者は、放送コンテンツとの双方向通信機能や遠隔電話機能も備えていることを認識できる。さらに、家族の一人が放送広告やその他のコンテンツと双方向通信するためにリモートコントローラを購入することを躊躇していても、多機能リモートコントローラの外観と機能性により、家族に双方向通信リモートコントローラ３１００の購入を促すことができる。何故ならば、双方向通信リモートコントローラ３１００は、家族が所有する複数のリモートコントローラと取り替えることができ、また、他にも双方向通信機能を備えているからである。
【０２１６】
図３２は、放送コンテンツ２２０３の視聴率情報をリアルタイムで獲得する本発明の一実施形態に係る方法３２００を示すフロー図である。図２２、図２３、図３２を参照して方法３２００について説明する。図３２に示すように、方法３２００は図２４の方法２４００を参照して既に説明したステップを備えている。
【０２１７】
図３２を参照して、ステップ２４０５では、放送ネットワーク１０５は放送コンテンツ２２０３を複数のレシピエントに放送する。ステップ３２１０では、放送ネットワーク１０５は放送コンテンツ２２０３とともにコンテンツ識別信号を放送する。一実施形態の放送ネットワーク１０５は、コンテンツ識別信号を放送コンテンツ２２０３に入れることができる。別の一実施形態の放送ネットワークは、コンテンツ識別信号を含むコンテンツを受信し、受信したコンテンツを放送することができる。コンテンツ識別信号は、放送ネットワークや、コンテンツを放送する放送ネットワークの特定のチャンネルや、放送中の特定の広告やその他のコンテンツを識別するための情報を含んでいてもよい。
【０２１８】
一実施形態のコンテンツ情報信号は、放送コンテンツに関する情報を識別する情報を含む不可聴の高周波信号を含んでいてもよい。例えば、その情報には、放送ネットワークやチャンネルや日付や時間やコンテンツの種類やスポンサーやその他のコンテンツ情報が含まれていてもよい。コンテンツ情報を伝達するために適当な信号であればどのようなものでも利用することができる。
【０２１９】
ステップ３２１５では、方法３２００に基づき特定のレシピエントが放送コンテンツ２２０３を受信したかどうかを判定する。図３３を参照して、ステップ３２１５についてさらに詳細に説明する。
【０２２０】
特定のレシピエントが放送コンテンツ２２０３を受信したと判定すると、方法３２００では、方法２４００に基づいて特定のレシピエントの放送コンテンツ２２０３に対する露出時間（没頭度）を確認する。従って、方法３２００は、図２４を参照して既に議論したステップ２４２０からステップ２４３５を実行する。
【０２２１】
図３３は、図３２のステップ３２１５で言及したように、特定のレシピエントが放送コンテンツ２２０３を受信したかどうかを判定する本発明の一実施形態に係る方法３２１５を示すフロー図である。図２２、図２３、図３３を参照して方法３２１５について説明する。
【０２２２】
ステップ３３０５では、双方向通信リモートコントローラ３０００は放送コンテンツ識別信号を検出する。一実施形態の双方向通信リモートコントローラ３０００は、マイクロフォン３００２から収集した音をモニタリングすることによって、コンテンツ識別信号を検出することができる。本実施形態のプロセッサ２３０４は、マイクロフォン３００２から収集した音を分析することによって、その音がコンテンツ識別信号を含むかどうかを判定することができる。
【０２２３】
ステップ３３１０では、双方向通信リモートコントローラ３０００はコンテンツ識別信号を検出したかどうかを判定する。放送受信機２２０５の電源が入っていないか、適切なチャンネルにチューニングされていない場合、放送受信機２２０５は放送コンテンツ２２０３やコンテンツ識別信号を提供しない。この場合、双方向通信リモートコントローラ３０００はマイクロフォン３００２からコンテンツ識別信号を検出しない。従って、ステップ３３１５に分岐する。ステップ３３１５では、プロセッサ２３０４はその位置では放送コンテンツが提供されないと判定する。
【０２２４】
放送受信機２２０５の電源が入っており、適切なチャンネルにチューニングされている場合、放送受信機２２０５は放送コンテンツ２２０３やコンテンツ識別信号を提供する。この場合、双方向通信リモートコントローラ３０００はマイクロフォン３００２からコンテンツ識別信号を検出する。従って、方法３２１５はステップ３３１０からステップ３３２０に分岐する。ステップ３３２０では、プロセッサ２３０４はコンテンツ識別信号の受信に基づいて放送コンテンツがその位置で提供されると判定する。
【０２２５】
ステップ３３２５では、プロセッサ２３０４は、放送コンテンツ識別信号の受信を記録する。一実施形態のプロセッサ２３０４は、放送コンテンツの識別情報だけでなく、受信の日付や時間を記録することができる。ステップ３３２７では、プロセッサ２３０４は双方向通信送信機／受信機２３０２を介して記録済み受信内容をクライアント送信機／受信機２２１５に送信することによって、記録済みコンテンツ識別信号の受信内容をデータ記憶センター１９５に送る。従って、データ記憶センター１９５は、放送コンテンツ２２０３を提供する放送受信機２２０５の数を判定することができる。
【０２２６】
必要であれば、方法３２１５では、放送コンテンツに実際に接しているレシピエントを確認することができる。例えば、室内にある双方向通信リモートコントローラ３０００がコンテンツ情報信号を受信していても、レシピエントが放送受信機のある室内にいない場合、レシピエントは放送受信機２２０５に提供されている放送コンテンツ２２０３には接していない。従って、ステップ３３３０では、サーバーコンピュータ２２３０は、確認質問をクライアントコンピュータ２２２０に送ることによって、クライアント送信機／受信機２２１５を介して双方向通信リモートコントローラに送信することができる。双方向通信リモートコントローラ３０００は、送信された確認質問を受信して、その確認質問をディスプレイ２３０６上に表示することができる。一実施形態の確認質問は、「見ていますか？」を含んでいてもよい。その他の実施形態の双方向通信リモートコントローラは、振動または音を出すことによって、確認質問に対してレシピエントに注意を促すことができる。
【０２２７】
ステップ３３３５では、方法３２１５は、質問に対する応答が受信されたかどうかを判定する。放送コンテンツ２２０３を受信するレシピエントが不在の場合、サーバーコンピュータ２２３０は確認質問に対する応答を受信しない。従って、方法はステップ３３４０に分岐する。そして、サーバーコンピュータ２２３０が確認質問に対する応答を受信しなかったので、サーバーコンピュータ２２３０は、レシピエントが放送コンテンツを受信しなかったことが確認できる。次に、ステップ３３４５では、サーバーコンピュータは、双方向通信リモートコントローラ３０００がコンテンツ識別信号を検出しても、レシピエントが放送コンテンツを受信しなかったことを記録する。ステップ３３５０では、サーバーコンピュータ２２３０は、視聴率を計算するために、受信なしという記録をデータ記憶センター１９５に送る。
【０２２８】
放送コンテンツ２２０３を受信するレシピエントが存在する場合は、双方向通信リモートコントローラ３０００に応答を入力して、双方向通信リモートコントローラ３０００からクライアント送信機／受信機２２１５に応答を送信することによって、レシピエントは確認質問に対して応答する。これによって、その後、それをサーバーコンピュータ２２３０に送ることができる。この場合、方法３２１５はステップ３３３５からステップ３３５５に分岐する。そして、サーバーコンピュータ２２３０は、確認質問に対する応答の受信に基づいて放送コンテンツに対するレシピエントの露出時間を確認する。
【０２２９】
一実施形態の確認質問は、元の確認質問と通信する、即ち、元の確認質問とは別の質問を備えていてもよい。例えば、別の確認質問によって、レシピエントに対して、人口統計情報や、レシピエントから放送コンテンツを受信する他のレシピエントの人口統計情報を入力するように求めることができる。従って、フォローアップ質問を、データ記憶センター１９５にまだ登録されていない特定のレシピエントの人口統計情報に合わせて仕立てることができる。
【０２３０】
ステップ３３６０では、サーバーコンピュータ２２３０は放送コンテンツを受信したレシピエントを記録する。次に、ステップ３３６５では、サーバーコンピュータ２２３０は、視聴率を計算するために、記録済みの受信内容をデータ記憶センター１９５に送る。次に、ステップ２４２０に移行する（図３２）。
【０２３１】
上述したように、方法３２００では、双方向通信リモートコントローラを介して各視聴者の習慣を記録することができる。さらに、レシピエントが双方向通信リモートコントローラを利用してサーバーコンピュータにログインする場合は、サーバーコンピュータは放送コンテンツを受信する各視聴者の人口統計情報を判定することができる。方法３２００によれば、放送コンテンツの提供を検出して視聴率を計算するために、その情報をデータ記憶センターに送信することによって、視聴者の習慣をリアルタイムで監視することができる。
【０２３２】
放送コンテンツの特定部分に関する質問に簡単な回答、例えば、多肢問の回答が含まれている場合、正しい回答を推測できる場合がある。しかしながら、方法３２００によれば、レシピエントがコンテンツを実際に見ているかどうかを確認することができる。従って、ステップ３３３５でレシピエントがコンテンツを受信していることを示す応答をしなかった場合、方法３２００によれば、ステップ２４２０で提供される質問をレシピエントが受信しないようにすることができる。従って、方法３２００によれば、没頭度確認プロセスを確認することができる。
【０２３３】
一実施形態では、各レシピエントは視聴率情報を取り出せるように、もしくは、その機能を無効にするように、それぞれの双方向通信リモートコントローラを構成することができる。別の一実施形態では、視聴率情報の取り出しが常に可能なように構成することができる。
【０２３４】
一実施形態では、方法３２００で用いられる双方向通信リモートコントローラは図３０に示す各構成要素を備える。その他の実施形態の双方向通信リモートコントローラは、図３０に示す構成要素より多くの、もしくは、より少ない構成要素を備えていてもよい。例えば、一実施形態の双方向通信リモートコントローラは、質問応答デバイスを備えていてもよい。これによって、質問を受信したり、質問に対して入力した応答を送信したり、コンテンツ識別信号受信記録を送信することができる。別の一実施形態の双方向通信リモートコントローラは、コンテンツ識別信号受信記録を送信するデバイスを備えていてもよい。従って、様々なレベルの機能を実行する複数の異なる双方向通信リモートコントローラによって方法３２００を実施することができる。
【０２３５】
（双方向通信リモートコントローラの例）
本発明の実施形態によれば、例えば、以下のシナリオが可能になる。
【０２３６】
ジョーンズ夫妻と娘のパムは、３つの双方向通信遠隔制御デバイスを所有している。彼らの家では、常にＣＲＡＶを利用可能なＩＳＰにブロードバンド接続されており、双方向通信リモートコンロールデバイスは、彼らの家の書斎にあるパーソナルクライアントコンピュータに付属するクライアント送信機／受信機を介してインターネットに接続されている。
【０２３７】
ジョーンズ夫妻は、居間のテレビで録画した番組を見ている。この番組は、ＰＶＲデバイスのハードドライブに記憶されている。ハードドライブは、過去１４日間に放映されたテレビ番組をすべて記憶しており、ジョーンズ夫妻は二人が楽しめる番組を選択した。録画されたコマーシャルの間、ジョーンズ夫妻のどちらかが、双方向通信遠隔制御デバイスを利用して３０秒早送りしてコンテンツをスキップする。ジョーンズ氏の双方向通信遠隔制御デバイスは青、ジョーンズ夫人のものは赤である。ジョーンズ夫妻は、全てのコマーシャルを最初の２秒間だけ見て、後はスキップすることに決めている。一人がコマーシャルを見たいと望む場合は、その人は、「３０秒巻き戻し」ボタンを押して、広告に対する興味を表明する。しかし、そのようなことはめったに起こらない。
【０２３８】
ジョーンズ夫妻は、２５，０００ドル以上の商品がもらえる生放送のＣＲＡＶ広告（予め選択しておいたコンテンツ）がケーブルチャンネルで放送されるときにＣＲＡＶウェブサイトから彼らに通知する機能を有効にした。午後８時４２分、青と赤の双方向通信遠隔制御デバイスが振動し、その直後、両方のデバイスがテレビに信号を送信してＰＶＲを無効にし、デジタルケーブル向けセットトップボックスをチャンネル４３４に切り換える。３秒以内に、ＣＲＡＶの警告が放送されて画面に表示される。それによると、次の４つの広告のうちの１つに従ってＣＲＡＶ質問に対して正確に解答した登録済みのＣＲＡＶプレーヤーのうちの１０組のペアに１４日間のニュージーランド旅行が与えられる。
【０２３９】
ジョーンズ夫妻は４つの広告のすべてを注意深く見た。そして、放送チャンネルと双方向通信リモートコントローラディスプレイに質問広告が表示される。放送質問は、放送されたソフトドリンクの広告に関するものである。ジョーンズ氏のディスプレイに表示された質問は、放送された自動車広告に関するものである。そして、ジョーンズ夫人のディスプレイに表示された質問もソフトドリンクの広告に関する質問である。１０秒後、テレビ画面と両方の双方向通信リモートコントローラのディスプレイに３つの多肢問が表示される。ジョーンズ氏のディスプレイに表示された選択肢と、放送チャンネルとジョーンズ夫人のディスプレイに表示されたものは異なっている。ジョーンズ夫人は、答える前に、ソフトドリンクのコマーシャルをもう一度見たいと思い、ＰＶＲデバイスに記録しておいた番組を「巻き戻し」て、ソフトドリンク広告をもう一度見た。ジョーンズ氏は、彼の双方向通信リモートコントローラの「Ｂ」ボタンを押下して「Ｂ」を選択し、次に、「ＣＲＡＶ」ボタンを押下して彼の選択をＣＲＡＶウェブサイトに送信する。そして、従来のリモートコンローラ機能を有効にするために彼のデバイスをリセットする。ジョーンズ夫人はソフトドリンクのコマーシャルを再度見て、多肢問の１つと一致する情報を見つけて、彼女の双方向通信リモートコントローラの「Ｃ」ボタンを押下し、その後、「ＣＲＡＶ」ボタンを押下して彼女の選択をＣＲＡＶウェブサイトに送信する。
【０２４０】
ＣＲＡＶウェブサイトは二人の選択を認識し、また、それらの選択とともにユニークな識別情報を受信する。これによって、データ記憶センターは、質問に対する応答とユーザの識別情報を一致させることができる。
【０２４１】
ジョーンズ夫妻からの応答に続いて、ＰＶＲに予め録画されていた番組が再び画面に映し出される。しかしながら、ジョーンズ夫人の双方向通信リモートコントローラのディスプレイには第二の質問が表示され、コマーシャルで宣伝されていた新製品のソフトドリンク２ケースを無料で受け取るかどうかについてたずねている。彼女は送料と手数料の２ドルを支払いさえすればよい。彼女はオファーを受けることにして「イエス」ボタンを押下して、その後、カードリーダーに彼女のクレジットカードを通した。ディスプレイでは、彼女がログインしたＰＩＮ番号をたずねている。最後に、ディスプレイでは、彼女のオーダーが受け取られ、「Free Case Promo」の請求者名で彼女の口座に対して２ドル請求され、そして彼女はそのことを受け入れて、１０営業日内にそのソフトドリンクを新たに購入すれば３ドル引きという割引券を受け取るという旨を説明している。
【０２４２】
一方、二階では、パムがチャンネル８８５から放送された宿題をしている。彼女は様々な分野の勉強をしている。歴史問題が画面に表示され、彼女の双方向通信リモートコントローラのディスプレイに多肢問が表示される。彼女は、彼女の回答を選択して送信する。家庭向けパーソナルコンピュータは、彼女の双方向通信遠隔制御デバイス（迷彩色）から送られた信号を認識し、ＣＲＡＶが有効なウェブサイトから彼女の選択を収集し、彼女の応答を評価するデータベースに彼女の選択を送信する。パムは定期的に数学の問題が出題されるので、彼女の双方向通信リモートコントローラの演算実行機能が有効になっている。彼女は演算結果を送信する。正解すると彼女のディスプレイにその旨が表示される。不正解だった場合は、デバイスは音を鳴らし、再度トライするように彼女に促す。２度失敗するとディスプレイには正しい回答が表示され、その演算方法を教示する。ホストウェブサイトからＣＲＡＶ  ＩＳＰプロバイダを介して正しい回答と説明がパムの双方向通信遠隔制御デバイスに送信される。
【０２４３】
宿題が終わると、パムはマイクロフォンに向かって「電話」と言い、その後、「スーザンを探しなさい」と言う。双方向通信リモートコントローラはＩＳＰにコマンドを送信する。このＩＳＰはボイスコマンドを認識し、ネットワーク接続を開放することによってＶＯＩＰ機能を有効にする。そして、パムの「スーザンを探しなさい」コマンドをパムが登録したユーザ「スーザン・ロジャース」と一致させる。彼女もまた双方向通信リモートコントローラの所有者である。システムは、スーザン・ロジャースがネットワークに接続していることを認識する。スーザンの双方向通信リモートコントローラの着信音が鳴る。スーザンは、彼女の双方向通信遠隔制御デバイスを手に取り、パム・ジョーンズが自分にアクセスしようとしていることをディスプレイで見る。スーザンはマイクロフォンに向かって「ハロー」と言う。デバイスは、スーザンの「ハロー」というボイスコマンドによって音声通信が有効になったことを認識し、二人は接続され、５分間のＶＯＩＰ通話が行われる。
【０２４４】
最後に、数マイル離れたところに住むジョーンズおばあさんは、自宅で彼女の双方向通信遠隔制御デバイス（彼女の息子が自分の双方向通信遠隔制御デバイスとカードスキャナを用いてインターネットを介して購入したもの）を利用している。突然、おばあさんは胸に鋭い痛みを感じる。彼女は即座に彼女の双方向通信リモートコントローラの特殊な「緊急」ボタンを押下する。このボタンにより、彼女のパーソナルコンピュータはＣＲＡＶ有効ウェブサイトに緊急メッセージを送信するように促される。そして、ＣＲＡＶ有効ウェブサイトでは、ウェブサイトを見ている人にジョーンズおばあさんのエリア内のＥＭＳプロバイダとコンタクトをとるように促す。３分後、ＥＭＳがジョーンズおばあさんの病歴記録を抱えて彼女の自宅に到着し、治療を開始する。ストレッチャーにのせられ、病院に運ばれるとき、彼女は双方向通信リモートコントローラを自分の胸に抱きしめていた。
【０２４５】
ＥＭＳへの警報と同時に、自分の母親が双方向通信リモートコントローラの緊急機能を起動したことがジョーンズ氏の双方向通信リモートコントローラにも通知される。少ししてから、彼のディスプレイには彼女が現地の救急処置室に運ばれたことが表示される。ジョーンズ氏は、彼の双方向通信遠隔制御デバイスに「インターホン」と話し、その後、「パム、来なさい」と言う。２階では、パムの双方向通信遠隔制御デバイスのスピーカーから、「パム、来なさい」と聞こえてくる。パムは急いで駆け下り、おばあさんが病院に運ばれたことを聞く。家族全員が車に駆け寄り、１５分後、救急処置室に到着する。
【０２４６】
１時間後、ジョーンズ一家は個室へ案内される。そこでは、おばあさんが双方向通信リモートコントローラを抱きしめたまま気持ちよく休んでいる。おばあさんは息子とその家族のことがわかった。そして、目に涙をためて、彼女の命を救った双方向通信リモートコントローラという思慮深い贈り物に対して息子にお礼を言った。
【０２４７】
一方、誰もいないジョーンズ家では、ジョーンズ氏の双方向通信遠隔制御デバイスの特定音が鳴る。そして、そのディスプレイにはメッセージが点滅し、数時間後に彼が帰宅するまでずっと画面上に表示されている。ジョーンズ一家はニュージーランドに行くことになる。
【０２４８】
本発明の特定の実施形態について詳細に説明したが、この説明では一例を示しているにすぎない。当業者であれば、以下の請求項で定義される本発明の精神と範囲から逸脱することなく、上述した実施形態だけでなく、開示された実施形態に対する様々な変更とそれと等価なステップも構成することができる。本発明の範囲は、それらの変更やそれと等価な構造を包含するものとして最も広く解釈されるべきである。
【図面の簡単な説明】
【０２４９】
【図１】本発明の例示的な実施形態の主要構成部品を示すブロック図である。
【図２】例示的なＣＲＡＶ  Ａｄプロセスの外観を示す流れ図である。
【図３】プロモータがＣＲＡＶ  Ａｄを広告主に販売する方法を記述した例示的なプロセスを示す流れ図である。
【図４】プロモータ及び広告主が将来的なＣＲＡＶ  Ａｄを普及させるために放送ネットワークを使用する方法を記述した例示的なプロセスを示す流れ図である。
【図５】本発明にプライバシーオプションを適用する方法を記述した例示的なプロセスを示す流れ図である。
【図６】ＣＲＡＶ  Ａｄを消費者に伝達し、消費者と相互作用するために、プロモータが放送ネットワーク、デバイス、情報収集システム、データ格納センタを使用する方法を記述した例示的なプロセスを示す流れ図である。
【図７】プロモータが、放送ネットワークを使用して警告、ビネット、質問を伝達する方法を記述した例示的なプロセスを示す流れ図である。
【図８】消費者がＣＲＡＶ  Ａｄに解答する方法を記述した例示的なプロセスを示す流れ図である。
【図９Ａ】ＣＲＡＶ  Ａｄ応答を収集するための例示的な全国規模ネットワークを示す描写図である。
【図９Ｂ】ＣＲＡＶ  Ａｄ応答を収集するための例示的な全国規模ネットワークを示す描写図である。
【図１０】例示的な実施形態において、情報収集システムが登録及び応答情報をデータ格納センタに送信する方法を示す描写図である。
【図１１】プロモータが勝者を選択し賞品を配送する方法を記述した例示的なプロセスを示す流れ図である。
【図１２】ＣＲＡＶ  Ａｄプロセスの概観を記述する例示的なプロセスを示す流れ図である。
【図１３】広告スロットの販売方法を記述した例示的なプロセスを示す流れ図である。
【図１４】例示的な実施形態において、広告料が決定される方法を示す表である。
【図１５】将来的なＣＲＡＶ  Ａｄを普及させるために、ＡＢＳ及びＡＣＭＥの例示的なＣＲＡＶ  Ａｄプロセスを示す描写流れ図である。
【図１６】例示的な実施形態におけるＣＲＡＶ記録を示す表である。
【図１７】例示的な実施形態において、ＡＢＳがＣＲＡＶ  Ａｄを放送する方法を示す流れ図である。
【図１８】例示的な実施形態において、消費者が目にするＣＲＡＶ  Ａｄを示す。
【図１９】例示的な実施形態において、ＣＲＡＶ  Ａｄが消費者により解答される方法を示す流れ図である。
【図２０】例示的な実施形態において、データ格納センタが勝者を選出し、報酬を配送する流れ図である。
【図２１】図２１は、本発明の例示的な実施形態のマスメディアフォーマットに集中したＣＲＡＶ  Ａｄ放送を示す図である。
【図２２】図２２は、本発明の例示的な実施形態の放送コンテンツと遠隔対話するためのシステムを表すブロック図である。
【図２３】図２３は、本発明の例示的な実施形態の双方向遠隔制御を表すブロック図である。
【図２４】図２４は、本発明の例示的な実施形態の放送コンテンツと遠隔で対話するための方法を表すフローチャートである。
【図２５】図２５は、本発明の例示的な実施形態の所望の局チャネルに放送受信機をチューニングするための方法を表すフローチャートである。
【図２６】図２６は、本発明の例示的な実施形態の双方向遠隔制御上の質問を示すための方法を示すフローチャートである。
【図２７】図２７は、本発明の例示的な実施形態の双方向遠隔制御介して質問に応答を伝えるための方法を表すフローチャートである。
【図２８】図２８は、本発明の例示的な実施形態の放送コンテンツの提示を遠隔制御するための方法を表すフローチャートである。
【図２９】図２９は、本発明の例示的な実施形態の放送コンテンツを提示する放送受信機を局チャネルにチューニングするための方法を表すフローチャートである。
【図３０】図３０は、本発明の例示的な実施形態の変更例である双方向遠隔制御を表すブロック図である。
【図３１】図３１は本発明の例示的な実施形態の双方向遠隔制御３１００のフォームファクタを示す図である。
【図３２】図３２は、本発明の例示的な実施形態の放送コンテンツの視聴率情報をリアルタイムで捕らえる方法を表すフローチャートである。
【図３３】図３３は、本発明の例示的な実施形態の特定のレシピエントが放送コンテンツを受信したかどうか判定するための方法を示すフローチャートである。
【図１】
2006505225.tif 000004
【図２】
2006505225.tif 000005
【図３】
2006505225.tif 000006
【図４】
2006505225.tif 000007
【図５】
2006505225.tif 000008
【図６】
2006505225.tif 000009
【図７】
2006505225.tif 000010
【図８】
2006505225.tif 000011
【図９Ａ】
2006505225.tif 000012
【図９Ｂ】
2006505225.tif 000013
【図１０】
2006505225.tif 000014
【図１１】
2006505225.tif 000015
【図１２】
2006505225.tif 000016
【図１３】
2006505225.tif 000017
【図１４】
2006505225.tif 000018
【図１５】
2006505225.tif 000019
【図１６】
2006505225.tif 000020
【図１７】
2006505225.tif 000021
【図１８】
2006505225.tif 000022
【図１９】
2006505225.tif 000023
【図２０】
2006505225.tif 000024
【図２１】
2006505225.tif 000025
【図２２】
2006505225.tif 000026
【図２３】
2006505225.tif 000027
【図２４】
2006505225.tif 000028
【図２５】
2006505225.tif 000029
【図２６】
2006505225.tif 000030
【図２７】
2006505225.tif 000031
【図２８】
2006505225.tif 000032
【図２９】
2006505225.tif 000033
【図３０】
2006505225.tif 000034
【図３１】
2006505225.tif 000035
【図３２】
2006505225.tif 000036
【図３３】
2006505225.tif 000037
【国際調査報告】
2006505225.tif 000038
2006505225.tif 000039
2006505225.tif 000040
2006505225.tif 000041